(57)【要約】  本発明の画像記録システムおよび該方法ならびに被監視者監視支援システムは、所定の作業者が撮像対象の領域に入場すると、第１および第２特定情報のうちの一方の特定情報を読み取って他方の特定情報に紐付けることによって前記第１および第２特定情報を互いに紐付けた紐付け情報を生成し、一方、撮像部から画像とその第２特定情報とを得る。そして、前記撮像部からの前記第２特定情報および前記生成された前記紐付け情報に基づいて、前記撮像部からの画像が前記第１特定情報に紐付けられて画像記憶部に記憶される。
2019142449.tif 000002
【特許請求の範囲】
【請求項１】
所定の撮像対象に対応して設けられ、前記撮像対象を撮像して画像を生成する撮像部と、
前記撮像部で生成された画像を記憶する画像記憶部と、
前記撮像部で生成された画像を前記画像記憶部に記憶させる画像記憶処理部と、
所定の作業者が撮像対象の領域に入場する場合に、前記作業者を特定する第１特定情報および前記撮像対象に対応する撮像部を特定する第２特定情報のうちの一方の特定情報を読み取る読取部と、
前記第１および第２特定情報のうちの他方の特定情報を予め持ち、前記読取部によって前記一方の特定情報を読み取った場合に、前記他方の特定情報と前記読取部で読み取った前記一方の特定情報とを互いに紐付けた紐付け情報を生成し、前記生成した紐付け情報を前記画像記憶処理部へ出力する生成部とを備え、
前記撮像部は、予め自機の第２特定情報を持ち、前記生成した画像を前記自機の第２特定情報と共に前記画像記憶処理部へ出力し、
前記画像記憶処理部は、前記撮像部からの前記第２特定情報および前記生成部からの前記紐付け情報に基づいて、前記撮像部からの画像を前記第１特定情報に紐付けて前記画像記憶部に記憶する、
画像記録システム。
【請求項２】
前記読取部は、さらに、前記作業者が前記撮像対象の領域から退場する場合に、前記第１および第２特定情報のうちの一方の特定情報を読み取り、
前記読取部で読み取った前記一方の特定情報を管理し、既に管理している前記一方の特定情報が前記読取部でさらに読み取った場合に、前記既に管理している前記一方の特定情報の管理を解除する管理部と、
前記管理部で管理されている前記一方の特定情報が有る場合に、撮像開始の指示を前記撮像部へ出力し、前記管理部で管理されている前記一方の特定情報が無くなった場合に、撮像終了の指示を前記撮像部へ出力する撮像制御部とをさらに備え、
前記撮像部は、前記撮像制御部から前記撮像開始の指示を受けると、撮像を開始し、前記撮像制御部から前記撮像終了の指示を受けると、撮像を終了する、
請求項１に記載の画像記録システム。
【請求項３】
前記撮像対象に対応して設けられ、前記撮像対象の領域に対する入場の有無を検知する入場検知部をさらに備え、
前記生成部は、さらに、前記作業者が入る撮像対象の領域における当該撮像対象に対応する前記入場検知部で入場有りを検知した場合に、前記紐付き情報を前記画像記憶処理部へ出力する、
請求項１または請求項２に記載の画像記録システム。
【請求項４】
前記撮像対象に対応して設けられ、前記撮像対象の領域に対する入退場の有無を検知する入退場検知部をさらに備え、
前記撮像制御部は、さらに、前記作業者が入る撮像対象の領域における当該撮像対象に対応する前記入退場検知部で入場有りを検知した場合に、前記撮像開始の指示を前記撮像部へ出力し、さらに、前記作業者が入る撮像対象の領域における当該撮像対象に対応する前記入退場検知部で退場有りを検知した場合に、前記撮像終了の指示を前記撮像部へ出力する、
請求項２に記載の画像記録システム。
【請求項５】
所定の撮像対象に対応して設けられる撮像部で、前記撮像対象を撮像して画像を生成する撮像工程と、
前記撮像工程で生成された画像を画像記憶部に記憶させる画像記憶処理工程と、
所定の作業者が撮像対象の領域に対し入場する場合に、前記作業者を特定する第１特定情報および前記撮像対象に対応する撮像部を特定する第２特定情報のうちの一方の特定情報を読み取る読取工程と、
前記第１および第２特定情報のうちの他方の特定情報を予め持つ生成部で、前記他方の特定情報と前記読取工程で読み取った前記一方の特定情報とを互いに紐付けた紐付け情報を生成する生成工程とを備え、
前記撮像部は、予め自機の第２特定情報を持ち、
前記画像記憶処理工程は、前記撮像部によって前記撮像工程で生成された画像を、前記撮像部の前記第２特定情報および前記生成部によって前記生成工程で生成された前記紐付け情報に基づく前記第１特定情報に紐付けて前記画像記憶部に記憶する、
画像記録方法。
【請求項６】
監視領域に対応して設けられ、前記監視領域に所在する被監視者に関わる所定のイベントを検知するセンサ装置、前記センサ装置と通信可能に接続され前記センサ装置から受信した検知結果を管理する中央管理装置、および、前記中央管理装置と通信可能に接続され前記中央管理装置を介して前記検知結果を受信して表示する端末装置を備え、前記被監視者の監視を支援する被監視者監視支援システムであって、
さらに、前記監視領域を前記撮像対象の領域とした請求項１ないし請求項４のいずれか１項に記載の画像記録システムを備え、
前記中央管理装置は、前記画像記憶部と、前記画像記憶処理部とを備え、
前記画像記憶処理部は、前記撮像部からの画像を前記第１特定情報に紐付けて前記画像記憶部に記憶する際に、前記センサ装置から直近に受信した検知結果をさらに前記撮像部からの画像に紐付ける、
被監視者監視支援システム。
【発明の詳細な説明】
【技術分野】
【０００１】
本発明は、画像を記録する画像記録システムおよび画像記録方法に関する。本発明は、前記画像記録システムを備え、監視対象である被監視者の監視を支援する被監視者監視支援システムに関する。
【背景技術】
【０００２】
近年、超高齢社会の突入に伴って、看護業界や介護業界等の業務を補完する技術が、研究、開発されており、例えば、特許文献１に開示されている。【０００３】
この特許文献１に開示されたナースコールシステムは、ベッドに設置されて患者が看護師を呼び出すためのナースコール子機と、ナースステーションに設置されて前記ナースコール子機による呼び出しに応答するためのナースコール親機とを有するナースコールシステムであって、ベッド上の患者をベッド上方から撮像するカメラと、前記カメラの撮像映像から、患者が上半身を起こした状態及び患者がベッド上から離れた状態のうち少なくとも一方の発生を判断して注意状態発生信号を出力する状態判断手段とを有し、前記ナースコール親機は、前記注意状態発生信号を受けて報知動作する報知手段を有する。【０００４】
ところで、例えば病院や介護施設等では、患者や被介護者等に対する医療、看護および介護等の仕事や、それに付随するカルテ、看護記録および介護記録等の仕事や、さらに栄養管理や清掃等の様々な仕事がある。この仕事を行うために、例えば医師、看護師、介護士、栄養士および清掃者等の作業者は、前記患者や被介護者の所在する場所に赴く。前記仕事における手際、内容の適切さおよび丁寧さ等は、通常、前記仕事を行う作業者の個々人により差が生じるものである。前記手際の悪さは、業務効率を下げるため、好ましくなく、前記適切さや前記丁寧さは、病院や介護施設等に対する評判に関わるため、適正であることが好ましい。このため、前記作業者の上司は、前記作業者を指導する必要があるが、このためには、前記仕事上における前記作業者の実態を正確に把握することが望まれる。【０００５】
前記特許文献１に開示されたナースコールシステムは、ベッド上の患者をベッド上方からカメラで撮像し、その映像を保存する。前記映像には、患者と共に看護師も映り込むことが予想されるが、看護師を特定していない。このため、前記映像のファイルままでは、複数のファイルの中から、所望の看護師に対する映像のファイルを抽出できないので、前記映像の各ファイルをそれぞれ再生して所望の看護師に対する映像のファイルを探し出さなければならず、手間（工数）を要してしまう。
【先行技術文献】
【特許文献】
【０００６】
【特許文献１】特開２０１４−９０９１３号公報
【発明の概要】
【０００７】
本発明は、上述の事情に鑑みて為された発明であり、その目的は、所望（目的）の作業者に対する画像をより簡単に抽出できる画像記録システムおよび画像記録方法ならびに前記画像記録システムを備える被監視者監視支援システムを提供することである。
【０００８】
上述した目的を実現するために、本発明の一側面を反映した画像記録システム、画像記録方法および被監視者監視支援システムは、所定の作業者が撮像対象の領域に入場すると、第１および第２特定情報のうちの一方の特定情報を読み取って他方の特定情報に紐付けることによって前記第１および第２特定情報を互いに紐付けた紐付け情報を生成し、一方、撮像部から画像とその第２特定情報とを得る。そして、前記撮像部からの前記第２特定情報および前記生成された前記紐付け情報に基づいて、前記撮像部からの画像が前記第１特定情報に紐付けられて画像記憶部に記憶される。
【０００９】
発明の１または複数の実施形態により与えられる利点および特徴は、以下に与えられる詳細な説明および添付図面から十分に理解される。これら詳細な説明及び添付図面は、例としてのみ与えられるものであり本発明の限定の定義として意図されるものではない。
【図面の簡単な説明】
【００１０】
【図１】実施形態における画像記録システムの構成を示す図である。
【図２】前記画像記録システムにおける第１実施形態の撮像装置の構成を示す図である。
【図３】前記画像記録システムにおける第１実施形態の管理サーバ装置の構成を示す図である。
【図４】図３に示す前記管理サーバ装置に記憶される画像情報テーブルの構成を示す図である。
【図５】前記画像記録システムにおける第１実施形態の携帯端末装置の構成を示す図である。
【図６】一例として、前記画像記録システムにおける画像記録に関する第１実施形態の動作を示すシーケンス図である。
【図７】図６に示す動作におけるＣＵ入出状況情報テーブルの変遷を説明するための図である。
【図８】前記管理サーバ装置に表示される、複数の画像ファイルの中から所望の作業者に対する画像を抽出した抽出結果を表示する抽出結果表示画面の一例を示す図である。
【図９】前記画像記録システムにおける第２実施形態の撮像装置の構成を示す図である。
【図１０】前記画像記録システムにおける第２実施形態の管理サーバ装置の構成を示す図である。
【図１１】前記画像記録システムにおける第２実施形態の携帯端末装置の構成を示す図である。
【図１２】一例として、前記画像記録システムにおける画像記録に関する第２実施形態の動作を示すシーケンス図である。
【図１３】図１２に示す動作におけるＳＶ入出状況情報テーブルの変遷を説明するための図である。
【図１４】前記画像記録システムにおける第３実施形態の撮像装置の構成を示す図である。
【図１５】一例として、前記画像記録システムにおける画像記録に関する第３実施形態の動作を示すシーケンス図である。
【図１６】図１５に示す動作におけるＣＵ入出状況情報テーブルの変遷を説明するための図である。
【図１７】第４実施形態における被監視者監視支援システムの構成を示す図である。
【図１８】前記被監視者監視支援システムにおけるセンサ装置の構成を示す図である。
【図１９】前記被監視者監視支援システムにおける管理サーバ装置の構成を示す図である。
【図２０】図１９に示す前記管理サーバ装置に記憶される検知イベント付き画像情報テーブルの構成を示す図である。
【図２１】前記被監視者監視支援システムにおける携帯端末装置の構成を示す図である。
【図２２】一例として、前記被監視者監視支援システムにおけるイベントの検知および画像記録に関する動作を示すシーケンス図である。
【図２３】前記携帯端末装置に表示される待受け画面の一例を示す図である。
【図２４】前記携帯端末装置に表示される監視情報画面の一例を示す図である。
【図２５】前記携帯端末装置に表示されるナースコール受付画面の一例を示す図である。
【図２６】前記被監視者監視支援システムにおいて、前記管理サーバ装置に表示される、複数の画像ファイルの中から所望の作業者に対する画像を抽出した抽出結果を表示する抽出結果表示画面の一例を示す図である。
【図２７】前記被監視者監視支援システムにおいて、前記管理サーバ装置に表示される、複数の画像ファイルの中から所望の検知結果に対する画像を抽出した抽出結果を表示する抽出結果表示画面の他の一例を示す図である。
【発明を実施するための形態】
【００１１】
以下、図面を参照して、本発明の１または複数の実施形態が説明される。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１２】
実施形態における画像記録システムは、所定の撮像対象を撮像することによって生成された画像を、前記撮像対象の領域に入った所定の作業者と紐付けて記録（記憶）する装置であり、撮像部と、画像記憶部と、画像記憶処理部と、読取部と、生成部とを備える。前記撮像部は、所定の撮像対象に対応して設けられ、前記撮像対象を撮像して画像を生成する。前記画像記憶部は、前記撮像部で生成された画像を記憶する。前記画像記憶処理部は、前記撮像部で生成された画像を前記画像記憶部に記憶させる。前記読取部は、所定の作業者が撮像対象の領域に入場する場合に、前記作業者を特定する第１特定情報および前記撮像対象に対応する撮像部を特定する第２特定情報のうちの一方の特定情報を読み取る。前記生成部は、前記第１および第２特定情報のうちの他方の特定情報を予め持ち、前記読取部によって前記一方の特定情報を読み取った場合に、前記他方の特定情報と前記読取部で読み取った前記一方の特定情報とを互いに紐付けた紐付け情報を生成し、前記生成した紐付け情報を前記画像記憶処理部へ出力する。そして、本実施形態では、前記撮像部は、予め自機の第２特定情報を持ち、前記生成した画像を前記自機の第２特定情報と共に前記画像記憶処理部へ出力し、前記画像記憶処理部は、前記撮像部からの前記第２特定情報および前記生成部からの前記紐付け情報に基づいて、前記撮像部からの画像を前記第１特定情報に紐付けて前記画像記憶部に記憶する。以下、このような画像記録システムがセンサ装置ＳＵ、識別装置ＲＤ、管理サーバ装置ＳＶおよび携帯端末装置ＴＡの複数の機器を備える場合について、より具体的に説明する。そして、この場合に、前記撮像部、前記画像記憶部、前記画像記憶処理部、前記読取部および前記生成部それぞれは、これら複数の機器のうちのいずれに実装されて良い。
【００１３】
（第１実施形態）
図１は、実施形態における画像記録システムの構成を示す図である。図２は、前記画像記録システムにおける第１実施形態の撮像装置の構成を示す図である。図３は、前記画像記録システムにおける第１実施形態の管理サーバ装置の構成を示す図である。図４は、図３に示す前記管理サーバ装置に記憶される画像情報テーブルの構成を示す図である。図５は、前記画像記録システムにおける第１実施形態の携帯端末装置の構成を示す図である。
【００１４】
第１実施形態における画像記録システムＭＳａは、所定の撮像対象を撮像することによって生成された画像を、前記撮像対象の領域に入った所定の作業者と紐付けて記録（記憶）するものであり、第１実施形態では、前記読取部は、ＩＤ装置ＲＤａに実装され、前記撮像部および前記生成部は、撮像装置ＣＵａに実装され、前記画像記憶部および前記画像記憶処理部は、管理サーバ装置ＳＶａに実装される。
【００１５】
この画像記録システムＭＳａは、例えば、図１に示すように、１または複数の撮像装置ＣＵａ（ＣＵａ−１〜ＣＵａ−３）と、１または複数の識別装置（ＩＤ装置）ＲＤａ（ＲＤａ−１〜ＲＤａ−３）と、管理サーバ装置ＳＶａと、１または複数の携帯端末装置ＴＡａ（ＴＡａ−１、ＴＡａ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数の撮像装置ＣＵａ−１〜ＣＵａ−３、管理サーバ装置ＳＶａ、複数の携帯端末装置ＴＡａ−１、ＴＡａ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数の撮像装置ＣＵａ−１〜ＣＵａ−３、管理サーバ装置ＳＶａおよび構内交換機ＣＸは、集線装置ＬＳに接続され、複数の携帯端末装置ＴＡａ−１、ＴＡａ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００１６】
画像記録システムＭＳａは、記録すべき画像に応じて適宜な場所に配設される。前記記録すべき画像は、任意の種類であって良いが、一例として、本実施形態では、監視すべき（見守るべき）監視対象（見守り対象）である被監視者（見守り対象者）Ｏｂ（Ｏｂ−１〜Ｏｂ−３）の所在する監視領域を撮像対象の領域として、前記被監視者Ｏｂの所在する建物に配設される。前記被監視者Ｏｂは、任意の種類であって良い。図１に示す例では、画像記録システムＭＳａは、複数の被監視者Ｏｂが入居する複数の居室ＲＭや、管理室や集会室等の複数の居室を備える建物に配設されている。
【００１７】
構内交換機（回線切換機）ＣＸは、ネットワークＮＷに接続され、携帯端末装置ＴＡａ同士における発信、着信および通話等の内線電話の制御を行って前記携帯端末装置ＴＡａ同士の内線電話を実施し、そして、例えば固定電話網や携帯電話網等の公衆電話網ＰＮを介して例えば固定電話機や携帯電話機等の外線電話機ＴＬに接続され、外線電話機ＴＬと携帯端末装置ＴＡａとの間における発信、着信および通話等の外線電話の制御を行って外線電話機ＴＬと携帯端末装置ＴＡａとの間における外線電話を実施するものである。構内交換機ＣＸは、例えば、デジタル交換機や、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅＸｃｈａｎｇｅ）等である。
【００１８】
ＩＤ装置ＲＤａは、撮像対象の領域に対応して設けられ、所定の作業者が前記撮像対象の領域に入退場する場合に、前記作業者を特定する第１特定情報および前記撮像対象に対応する撮像装置ＣＵａを特定する第２特定情報のうちの一方の特定情報を読み取る装置である。より具体的には、本実施形態では、ＩＤ装置ＲＤａは、後述のように前記第１特定情報を記憶する携帯端末装置ＴＡａから無線通信で前記第１特定情報を読み取り、この読み取った前記第１特定情報を有線通信または無線通信で、当該ＩＤ装置ＲＤａが設けられた前記撮像対象の領域に対応して設けられた撮像装置ＣＵａへ通知するリーダである。すなわち、１対１で、あるいは、１対多で、あるいは、多対１で、あるいは、多対多で互いに対応付けられたＩＤ装置ＲＤａおよび撮像装置ＣＵａは、同一の撮像対象の領域に対応付けられる。前記携帯端末装置ＴＡａには、後述するように、携帯電話装置、スマートフォンおよびタブレット端末装置等が含まれる。ＩＤ装置ＲＤａと携帯端末装置ＴＡａとの間における前記無線通信には、例えばＢｌｕｅｔｏｏｔｈ（登録商標）規格等の近距離無線通信が利用される。ＩＤ装置ＲＤａと撮像装置ＣＵａとの間における前記有線通信または無線通信には、例えば前記ネットワークＮＷが利用されて良く、あるいは、ＩＤ装置ＲＤａと撮像装置ＣＵａとの間における前記無線通信には、例えば前記近距離無線通信が利用されて良い。
【００１９】
前記撮像対象は、記録すべき画像に応じた適宜な被写体であり、任意であって良い。本実施形態では、上述したように被監視者Ｏｂの所在する監視領域を撮像対象の領域としており、前記監視領域は、被監視者Ｏｂが居る居室ＲＭである。このため、複数のＩＤ装置ＲＤａ−１〜ＲＤａ−３それぞれは、複数の居室ＲＭ−１〜ＲＭ−３それぞれに配設されている。
【００２０】
なお、一例として、画像記録システムＭＳａが病院の建物に配設される場合には、前記監視領域は、被監視者Ｏｂが居る病院の居室（病室）であり、また他の一例として、画像路記録システムＭＳａが住戸の建物に配設される場合には、前記監視領域は、被監視者Ｏｂが居る住戸の居室である。また他の一例として、前記居室が複数の被監視者Ｏｂが所在するいわゆる大部屋である場合には、前記監視領域は、被監視者Ｏｂが使用する寝具を含む所定の領域であって良い。あるいは、前記監視領域は、住戸の居室における、被監視者Ｏｂが使用する寝具を含む所定の領域であって良い。
【００２１】
前記第１特定情報は、前記作業者を特定するための情報であり、例えば、作業者ＮＳを特定し識別するための識別子である作業者識別子（作業者ＩＤ）である。前記作業者ＩＤは、例えば、作業者名、職員番号およびシリアル番号等の所定の符号列である。作業者ＮＳは、所定の仕事を行う者であり、画像記録システムＭＳａが配設される場所に応じた適宜な者である。一例では、作業者ＮＳは、前記被監視者Ｏｂが患者である場合に前記患者に対し医療や看護等の各仕事を行う医師や看護師、前記被監視者Ｏｂが被介護者である場合に前記被介護者に対し介護の仕事を行う介護士、前記患者や前記被介護者等の栄誉管理の仕事を行う栄養士、および、清掃等の仕事を行う清掃者等である。
【００２２】
前記第２特定情報は、前記撮像対象に対応する撮像装置ＣＵａを特定するための情報であり、例えば、撮像装置ＣＵａを特定し識別するための識別子である撮像装置識別子（カメラＩＤ）である。本実施形態では、撮像装置ＣＵａは、前記撮像対象に対応して設けられ、前記撮像対象の領域は、被監視者Ｏｂが所在する居室であるので、前記カメラＩＤは、居室名、居室番号、前記居室ＲＭに所在する被監視者Ｏｂの被監視者名およびシリアル番号等の所定の符号列であって良い。
【００２３】
なお、ＩＤ装置ＲＤａは、第１実施形態では、所定の作業者が撮像対象の領域に入場する場合に、前記作業者を特定する第１特定情報および前記撮像対象に対応する撮像部を特定する第２特定情報のうちの一方の特定情報を読み取る読取部の一例に相当する。
【００２４】
また、上述では、ＩＤ装置ＲＤａは、携帯端末装置ＴＡａから無線通信で前記第１特定情報を読み取り、この読み取った前記第１特定情報を有線通信または無線通信で撮像装置ＣＵａへ通知するリーダであったが、これに限定されるものではなく、他の装置であっても良い。例えば、作業者ＮＳが携帯端末装置ＴＡａとは別途に、前記第１特定情報を記憶するＩＣカード（ＲＦタグ）または磁気カードを所持する場合には、ＩＤ装置ＲＤａは、前記ＩＣカード（ＲＦタグ）または前記磁気カードから前記第１特定情報を読み取り、この読み取った前記第１特定情報を有線通信または無線通信で撮像装置ＣＵａへ通知するカードリーダであって良い。あるいは、作業者ＮＳが携帯端末装置ＴＡａとは別途に、前記第１特定情報を表す１次元コード（バーコード）または２次元コードを持つＩＤカードを所持する場合には、ＩＤ装置ＲＤａは、前記１次元コード（バーコード）または前記２次元コードから前記第１特定情報を読み取り、この読み取った前記第１特定情報を有線通信または無線通信で撮像装置ＣＵａへ通知するコードリーダであって良い。
【００２５】
撮像装置ＣＵａは、撮像対象に対応して設けられ、ネットワークＮＷを介して管理サーバ装置ＳＶａと通信する通信機能等を備え、前記撮像対象を撮像して画像を生成する装置である。そして、本実施形態では、撮像装置ＣＵａは、撮像対象の領域に対する作業者ＮＳの入出状況を管理し、予め自機の第２特定情報（本実施形態ではカメラＩＤ）を持ち、前記生成した画像を前記自機の第２特定情報と共に管理サーバ装置ＳＶａへ出力（送信）する。このような撮像装置ＣＵａは、例えば、図２に示すように、カメラ１１と、撮像側制御処理部（ＣＵ制御処理部）１２ａと、撮像側通信インターフェース部（ＣＵ通信ＩＦ部）１３と、撮像側記憶部（ＣＵ記憶部）１４ａとを備える。
【００２６】
カメラ１１は、ＣＵ制御処理部１２ａに接続され、ＣＵ制御処理部１２ａの制御に従って、画像（画像データ）を生成する装置である。前記画像には、静止画（静止画データ）および動画（動画データ）が含まれる。カメラ１１は、撮像対象（図１に示す例では配設場所の居室（部屋）ＲＭ）を撮像可能に配置される。撮像対象の領域全体を撮像できるように、カメラ１１は、撮像対象の上方から撮像可能に配設され、前記撮像対象を俯瞰した画像を生成し、前記撮像対象の画像（対象画像）をＣＵ制御処理部１２ａへ出力する。好ましくは、撮像対象の領域全体を撮像できる蓋然性が高いことから、カメラ１１は、被監視者Ｏｂが所在する居室ＲＭの天井面に配設される。このようなカメラ１１は、例えば、可視光の画像を生成する可視カメラであって良く、あるいは例えば、比較的暗がりでも撮像対象を撮像できるように、赤外線の画像を生成する赤外線カメラであって良い。
【００２７】
ＣＵ通信ＩＦ部１３は、ＣＵ制御処理部１２ａに接続され、ＣＵ制御処理部１２ａの制御に従って通信を行うための通信回路である。ＣＵ通信ＩＦ部１３は、ＣＵ制御処理部１２ａから入力された転送すべきデータを収容した通信信号を、この画像記録システムＭＳａのネットワークＮＷで用いられる通信プロトコルに従って生成し、この生成した通信信号をネットワークＮＷを介して管理サーバ装置ＳＶａへ送信する。ＳＵ通信ＩＦ部１３は、ネットワークＮＷを介して管理サーバ装置ＳＶａから通信信号を受信し、この受信した通信信号からデータを取り出し、この取り出したデータをＣＵ制御処理部１２ａが処理可能な形式のデータに変換してＣＵ制御処理部１２ａへ出力する。ＣＵ通信ＩＦ部１３は、例えば、ＩＥＥＥ８０２．１１規格等に従った通信インターフェース回路を備えて構成される。
【００２８】
なお、ＩＤ装置ＲＤａと撮像装置ＣＵａとの間における前記有線通信または無線通信に前記ネットワークＮＷが利用されずに、例えば前記近距離無線通信が利用される場合には、ＣＵ通信ＩＦ部１３は、さらに、前記近距離無線通信に応じた通信インターフェース回路（例えばＢｌｕｅｔｏｏｔｈ（登録商標）規格の通信インターフェース回路）を備えて構成される。
【００２９】
ＣＵ記憶部１４ａは、ＣＵ制御処理部１２ａに接続され、ＣＵ制御処理部１２ａの制御に従って、各種の所定のプログラムおよび各種の所定のデータを記憶する回路である。前記各種の所定のプログラムには、例えば、所定のＣＵ制御処理プログラムが含まれ、前記ＣＵ制御処理プログラムには、例えば、撮像装置ＣＵａの各部１１、１３、１４ａを当該各部の機能に応じてそれぞれ制御するＣＵ制御プログラムや、作業者ＮＳが撮像対象の領域（本実施形態では前記居室ＲＭ）に入場（入室）する際にＩＤ装置ＲＤａによって第１特定情報（本実施形態では作業者ＩＤ）を読み取った場合に、自機の第２特定情報（本実施形態ではカメラＩＤ）とＩＤ装置ＲＤａによって読み取った第１特定情報とを互いに紐付けた紐付け情報を生成し、前記生成した紐付け情報を管理サーバ装置ＳＶａへ出力（送信）する生成プログラムや、後述のように管理されている前記第１特定情報（本実施形態では作業者ＩＤ）が有る場合に、撮像開始の指示をカメラ１１へ出力し、前記管理されている前記第１特定情報が無くなった場合に、撮像終了の指示をカメラ１１へ出力する撮像制御プログラム等が含まれる。前記各種の所定のデータには、自機の第２特定情報（本実施形態ではカメラＩＤ）、管理サーバ装置ＳＶａの通信アドレス、および、撮像対象の領域に対する作業者ＮＳの入出状況を表すＣＵ入出状況情報等の、各プログラムを実行する上で必要なデータ等が含まれる。ＣＵ記憶部１４ａは、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＣＵ記憶部１４ａは、前記所定のプログラムの実行中に生じるデータ等を記憶するいわゆるＣＵ制御処理部１２ａのワーキングメモリとなるＲＡＭ（Ｒａｎｄｏｍ  Ａｃｃｅｓｓ  Ｍｅｍｏｒｙ）等を含む。そして、ＣＵ記憶部１４ａは、前記ＣＵ入出状況情報を記憶する撮像側入出状況情報記憶部（ＣＵ入出状況情報記憶部）１４１ａを機能的に備える。
【００３０】
ＣＵ入出状況情報記憶部１４１ａは、撮像対象の領域に対する作業者ＮＳの入出状況を表す前記ＣＵ入出状況情報を記憶するものである。本実施形態では、ＣＵ入出状況情報は、前記第１特定情報、本実施形態では、作業者ＩＤの記憶の有り無しによって、撮像対象の領域に対する作業者ＮＳの入出状況を表す。より具体的には、ＣＵ入出状況情報記憶部１４１ａは、後述の図７に示すように、作業者ＩＤを登録する作業者ＩＤフィールド１４１１を備え、作業者ＩＤごとにレコードを持つ撮像側入出状況情報テーブル（ＣＵ入出状況情報テーブル）ＭＴａを記憶する。ＩＤ装置ＲＤａから作業者ＩＤが通知された場合に、この通知された作業者ＩＤがＣＵ入出状況情報テーブルＭＴａの作業者ＩＤフィールド１４１１に登録されていない場合には、新たなレコードが生成され、この新たに生成されたレコードの作業者ＩＤフィールド１４１１に前記通知された作業者ＩＤが登録される。これによって撮像対象の領域に作業者ＩＤを持つ作業者ＮＳが入場（入室、在室）した状況がＣＵ入出状況情報記憶部１４１ａに記憶される。一方、ＩＤ装置ＲＤａから作業者ＩＤが通知された場合に、この通知された作業者ＩＤがＣＵ入出状況情報テーブルＭＴａの作業者ＩＤフィールド１４１１に既に登録されている場合には、前記通知された作業者ＩＤを登録するレコードが削除される（作業者ＩＤフィールド１４１１から作業者ＩＤが消去される）。これによって撮像対象の領域から作業者ＩＤを持つ作業者ＮＳが退場（退室、不在）した状況がＣＵ入出状況情報記憶部１４１ａに記憶される。
【００３１】
ＣＵ制御処理部１２ａは、撮像装置ＣＵａの各部１１、１３、１４ａを当該各部の機能に応じてそれぞれ制御し、前記撮像対象を撮像して画像を生成し、この生成した画像を、管理サーバ装置ＳＶａへ通知するための回路である。そして、ＣＵ制御処理部１２ａは、撮像対象の領域に対する作業者ＮＳの入出状況を管理し、前記生成した画像を管理サーバ装置ＳＶａへ通知する際に、ＣＵ記憶部１４ａに予め記憶された自機の第２特定情報（本実施形態ではカメラＩＤ）と共に、前記生成した画像を管理サーバ装置ＳＶａへ通知する。ＣＵ制御処理部１２ａは、例えば、ＣＰＵ（Ｃｅｎｔｒａｌ  Ｐｒｏｃｅｓｓｉｎｇ  Ｕｎｉｔ）およびその周辺回路を備えて構成される。ＣＵ制御処理部１２ａは、前記ＣＵ制御処理プログラムが実行されることによって、撮像側制御部（ＣＵ制御部）１２１、生成部１２２ａおよび撮像制御部１２３を機能的に備える。
【００３２】
ＣＵ制御部１２１は、撮像装置ＣＵａの各部１１、１３、１４ａを当該各部の機能に応じてそれぞれ制御し、撮像装置ＣＵａの全体制御を司るものである。ＣＵ制御部１２１は、年月日時分秒で計時する。
【００３３】
生成部１２２ａは、作業者ＮＳが撮像対象の領域（本実施形態では前記居室ＲＭ）に入場（入室）する際にＩＤ装置ＲＤａによって第１特定情報（本実施形態では作業者ＩＤ）を読み取った場合に、自機の第２特定情報（本実施形態ではカメラＩＤ）とＩＤ装置ＲＤａによって読み取った第１特定情報とを互いに紐付けた紐付け情報を生成し、前記生成した紐付け情報を管理サーバ装置ＳＶａへ出力（送信）するものである。
【００３４】
本実施形態では、生成部１２２ａは、撮像対象の領域に対する作業者ＮＳの入出状況を管理するための撮像側管理処理部（ＣＵ管理処理部）１２２１ａと、紐付け情報を生成して送信するための通知処理部１２２２とを機能的に備える。
【００３５】
ＣＵ管理処理部１２２１ａは、ＩＤ装置ＲＤａで読み取った前記第１特定情報（本実施形態では作業者ＩＤ）を管理するものである。本実施形態では、カメラ１１による撮像の開始および終了を撮像制御部１２３によって制御するために、ＣＵ管理処理部１２２１ａは、さらに、既に管理している前記第１特定情報がＩＤ装置ＲＤａでさらに読み取った場合に、前記既に管理している前記第１特定情報の管理を解除する。より具体的には、ＣＵ管理処理部１２２１ａは、ＩＤ装置ＲＤａで読み取ってＩＤ装置ＲＤａから作業者ＩＤが通知された場合に、この通知された作業者ＩＤが、ＣＵ入出状況情報記憶部１４１ａに記憶されているＣＵ入出状況情報テーブルＭＴａの作業者ＩＤフィールド１４１１に登録されていない場合には、新たなレコードを生成し、この新たに生成したレコードの作業者ＩＤフィールド１４１１に前記通知された作業者ＩＤを登録する。一方、ＣＵ管理処理部１２２１ａは、ＩＤ装置ＲＤａで読み取ってＩＤ装置ＲＤａから作業者ＩＤが通知された場合に、この通知された作業者ＩＤが、ＣＵ入出状況情報記憶部１４１ａに記憶されているＣＵ入出状況情報テーブルＭＴａの作業者ＩＤフィールド１４１１に登録されている場合には、前記通知された作業者ＩＤを登録するレコードを削除する。このようにＣＵ管理処理部１２２１ａは、作業者ＩＤの記憶の有り無しによって、撮像対象の領域に対する作業者ＮＳの入出状況を管理する。
【００３６】
通知処理部１２２２は、ＣＵ管理処理部１２２１ａによる管理結果に応じて紐付け情報を生成し、この生成した紐付け情報を管理サーバ装置ＳＶａへ通知（送信）するものである。より具体的には、通知処理部１２２２は、上述のようにＣＵ入出状況情報テーブルＭＴａに新たなレコードを生成して作業者ＩＤフィールド１４１１に前記通知された作業者ＩＤを登録した場合には、作業者ＮＳが撮像対象の領域に入場したと判断し、自機のカメラＩＤとＩＤ装置ＲＤａで読み取ってＩＤ装置ＲＤａから通知された作業者ＩＤとを互いに紐付けた紐付け情報を生成し、この生成した紐付け情報、および、撮像開始時刻としての現在の時刻を収容した通信信号（紐付け情報通知通信信号）を管理サーバ装置ＳＶａ宛に生成し、この生成した紐付け情報通知通信信号をＣＵ通信ＩＦ１３で管理サーバ装置ＳＶａへ送信する。
【００３７】
撮像制御部１２３は、上述のように生成部１２２ａによって管理されている入出状況の管理結果に基づいて撮像開始および撮像終了の各指示をカメラ１１へ出力するものである。より具体的には、撮像制御部１２３は、生成部１２２ａのＣＵ管理処理部１２２１ａで管理されている前記第１特定情報（本実施形態では作業者ＩＤ）が有る場合に、撮像を開始させる撮像開始の指示をカメラ１１へ出力し、前記管理されている前記第１特定情報が無くなった場合に、撮像を終了させる撮像終了の指示をカメラ１１へ出力する。
【００３８】
カメラ１１は、上述のように撮像制御部１２３から前記撮像開始の指示を受けると、撮像を開始し、この撮像によって生成した画像をＣＵ制御処理部１２ａへ出力し、ＣＵ制御処理部１２ａは、この画像をＣＵ記憶部１４ａに一時的に記憶する。一方、カメラ１１は、撮像制御部１２３から前記撮像終了の指示を受けると、撮像を終了する。撮像が終了すると、ＣＵ制御処理部１２ａは、ＣＵ記憶部１４ａに一時的に記憶した前記画像を管理サーバ装置ＳＶａへ送信する。より具体的には、ＣＵ制御処理部１２ａは、ＣＵ記憶部１４ａに一時的に記憶した前記画像（画像データ）、自機のカメラＩＤ、および、撮像終了時刻としての現在の時刻を収容した通信信号（画像通知通信信号）を管理サーバ装置ＳＶａ宛に生成し、この生成した画像通知通信信号をＣＵ通信ＩＦ１３で管理サーバ装置ＳＶａへ送信する。ＣＵ制御処理部１２ａは、ＣＵ記憶部１４ａに一時的に記憶した前記画像を管理サーバ装置ＳＶａへ送信すると、前記画像をＣＵ記憶部１４ａから削除（消去）する。
【００３９】
なお、上述では、撮像装置ＣＵａは、撮像制御部１２３によって、撮像対象の領域に対する作業者ＮＳの入出状況を管理し、この入出状況の管理結果に基づいて撮像開始および撮像終了の各指示をカメラ１１へ出力したが、撮像装置ＣＵａは、撮像制御部１２３を備えずに、ＣＵ制御部１２１によって、ＩＤ装置ＲＤａで前記一方の特定情報を読み取った場合（本実施形態ではＩＤ装置ＲＤａから作業者ＩＤが通知された場合）に、カメラ１１で撮像を開始し、予め設定された所定の時間（例えば３分、５分および１０分等）の経過後、自動的に前記撮像を終了し、前記画像通知通信信号を管理サーバ装置ＳＶａへ送信しても良い。
【００４０】
図１には、一例として、第１ないし第３撮像装置ＣＵａ−１〜ＣＵａ−３が示されており、第１撮像装置ＣＵａ−１は、第１ＩＤ装置ＲＤａ−１と共に、被監視者Ｏｂの一人であるＡさんＯｂ−１の居室ＲＭ−１（不図示）に配設され、第２撮像装置ＣＵａ−２は、第２ＩＤ装置ＲＤａ−２と共に、被監視者Ｏｂの一人であるＢさんＯｂ−２の居室ＲＭ−２（不図示）に配設され、そして、第３撮像装置ＣＵａ−３は、第３ＩＤ装置ＲＤａ−３と共に、被監視者Ｏｂの一人であるＣさんＯｂ−３の居室ＲＭ−３（不図示）に配設されている。
【００４１】
なお、撮像装置ＣＵａは、第１実施形態では、所定の撮像対象に対応して設けられ、前記撮像対象を撮像して画像を生成する撮像部の一例に相当する。
【００４２】
管理サーバ装置ＳＶａは、ネットワークＮＷを介して他の装置ＣＵａ、ＴＡａと通信する通信機能を備え、撮像装置ＣＵａから画像を受信すると、前記画像を記憶して管理し、クライアント（本実施形態では携帯端末装置ＴＡａ等）の要求に応じたデータを前記クライアントに提供し、画像記録システムＭＳａ全体を管理する装置である。そして、本実施形態では、管理サーバ装置ＳＶａは、前記画像を記憶する際に、前記画像と共に撮像装置ＣＵａから受信した前記第２特定情報としてのカメラＩＤおよび前記撮像装置ＣＵａから受信した紐付け情報に基づいて、前記画像を前記第１特定情報としての作業者ＩＤに紐付けて記憶する。このような管理サーバ装置ＳＶａは、例えば、図３に示すように、サーバ側通信インターフェース部（ＳＶ通信ＩＦ部）２１と、サーバ側制御処理部（ＳＶ制御処理部）２２ａと、サーバ側記憶部（ＳＶ記憶部）２３ａと、サーバ側入力部（ＳＶ入力部）２４と、サーバ側出力部（ＳＶ出力部）２５と、サーバ側インターフェース部（ＳＶＩＤ部）２６とを備える。
【００４３】
ＳＶ通信ＩＦ部２１は、ＣＵ通信ＩＦ部１３と同様に、ＳＶ制御処理部２２ａに接続され、ＳＶ制御処理部２２ａの制御に従って通信を行うための通信回路である。ＳＶ通信ＩＦ部２１は、例えば、ＩＥＥＥ８０２．１１規格等に従った通信インターフェース回路を備えて構成される。
【００４４】
ＳＶ入力部２４は、ＳＶ制御処理部２２ａに接続され、例えば、画像を検索する検索キーや前記検索キーに該当する画像の表示を指示するコマンド等の各種コマンド、および、例えばネットワークＮＷを介して撮像装置ＣＵａに設定するカメラＩＤ等の、画像記録システムＭＳａを作動する上で必要な各種データを管理サーバ装置ＳＶａに入力する装置であり、例えば、所定の機能を割り付けられた複数の入力スイッチ、キーボードおよびマウス等である。
【００４５】
ＳＶ出力部２５は、ＳＶ制御処理部２２ａに接続され、ＳＶ制御処理部２２ａの制御に従って、ＳＶ入力部２４から入力されたコマンドやデータや、前記検索キーに該当する画像等を出力する装置であり、例えばＣＲＴディスプレイ、ＬＣＤ（液晶表示装置）および有機ＥＬディスプレイ等の表示装置である。
【００４６】
ＳＶＩＦ部２６は、例えば、外部の機器との間でデータを入出力する回路であり、例えば、シリアル通信方式であるＲＳ−２３２Ｃのインターフェース回路、Ｂｌｕｅｔｏｏｔｈ（登録商標）規格を用いたインターフェース回路、ＩｒＤＡ（Ｉｎｆｒａｒｅｄ  Ｄａｔａ  Ａｓｓｃｏｉａｔｉｏｎ）規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００４７】
ＳＶ記憶部２３ａは、ＳＶ制御処理部２２ａに接続され、ＳＶ制御処理部２２ａの制御に従って、各種の所定のプログラムおよび各種の所定のデータを記憶する回路である。前記各種の所定のプログラムには、例えば、所定のＳＶ制御処理プログラムが含まれ、前記ＳＶ制御処理プログラムには、例えば、管理サーバ装置ＳＶａの各部２１、２３ａ、２４〜２６を当該各部の機能に応じてそれぞれ制御するＳＶ制御プログラムや、撮像装置ＣＵａで生成された画像を後述の画像記憶部２３１ａに記憶させる画像記憶処理プログラム等が含まれる。前記各種の所定のデータには、自機の、管理サーバ装置ＳＶａを特定し管理サーバ装置ＳＶａを識別するためのサーバ識別子（サーバＩＤ）や、撮像装置ＣＵａで生成され受信した前記画像（画像データ）等の各プログラムを実行する上で必要なデータ等が含まれる。ＳＶ記憶部２３ａは、例えばＲＯＭやＥＥＰＲＯＭやＲＡＭ等を備える。なお、ＳＶ記憶部２３ａは、必要に応じて比較的大容量のハードディスク装置（ＨＤＤ）をさらに備えても良い。そして、前記画像を記憶するために、ＳＶ記憶部２３ａは、画像記憶部２３１ａを機能的に備える。
【００４８】
画像記憶部２３１ａは、撮像装置ＣＵａからの画像を第１特定情報（本実施形態では作業者ＩＤ）に紐付けて記憶するものである。より具体的には、本実施形態では、前記画像通知通信信号に収容された前記画像（画像データ）は、自動的に割り振られたファイル名（画像ファイル名）を付して画像記憶部２３１ａに記憶され、前記画像の画像ファイル名と作業者ＩＤとが互いに紐付けられ、互いに紐付けられた前記画像および作業者ＩＤは、テーブル形式で画像記憶部２３１ａに記憶される。互いに紐付けられた前記画像および作業者ＩＤを登録する画像情報テーブルＰＴは、例えば、図４に示すように、互いに紐付けられた１組の画像および作業者ＩＤに対し自動的に割り振られたシリアル番号を画像ＩＤとして登録する画像ＩＤフィールド２３１１と、前記画像を記録した時刻を登録する記録時刻フィールド２３１２と、前記画像に対し自動的に付けられた画像ファイル名を登録する画像ファイル名フィールド２３１３と、前記画像に紐付けられた作業者ＩＤを登録する作業者ＩＤフィールド２３１４とを備え、前記画像ごと（互いに紐付けられた１組の前記画像および作業者ＩＤごと）にレコードを持つ。記録時刻フィールド２３１２は、開始の時刻を登録する開始時刻サブフィールド２３１２１と、終了の時刻を登録する終了時刻サブフィールド２３１２２とを備える。
【００４９】
ＳＶ制御処理部２２ａは、管理サーバ装置ＳＶａの各部２１、２３ａ、２４〜２６を当該各部の機能に応じてそれぞれ制御し、撮像装置ＣＵａから画像を受信すると、前記画像を記憶して管理し、クライアント（本実施形態では携帯端末装置ＴＡａ等）の要求に応じたデータを前記クライアントに提供し、画像記録システムＭＳａ全体を管理するための回路である。そして、本実施形態では、ＳＶ制御処理部２２ａは、前記画像を記憶する際に、前記画像と共に撮像装置ＣＵａから受信した前記第２特定情報としてのカメラＩＤおよび撮像装置ＣＵａから受信した紐付け情報に基づいて、前記画像を前記第１特定情報としての作業者ＩＤに紐付けて記憶する。ＳＶ制御処理部２２ａは、例えば、ＣＰＵおよびその周辺回路を備えて構成される。ＳＶ制御処理部２２ａは、前記ＳＶ制御処理プログラムが実行されることによって、サーバ側制御部（ＳＶ制御部）２２１および画像記憶処理部２２２ａを機能的に備える。
【００５０】
ＳＶ制御部２２１は、管理サーバ装置ＳＶａの各部２１、２３ａ、２４〜２６を当該各部の機能に応じてそれぞれ制御し、管理サーバ装置ＳＶａの全体制御を司るものである。ＳＶ制御部２２１は、年月日時分秒で計時する。
【００５１】
画像記憶処理部２２２ａは、撮像装置ＣＵａで生成された画像を画像記憶部２３１ａに記憶させるものである。画像記憶処理部２２２ａは、前記画像を記憶する際に、前記画像と共に撮像装置ＣＵａから受信した前記第２特定情報（本実施形態ではカメラＩＤ）および撮像装置ＣＵａから受信した紐付け情報に基づいて、前記画像を前記第１特定情報（本実施形態では作業者ＩＤ）に紐付けて画像記憶部２３１ａに記憶する。より具体的には、画像記憶処理部２２２ａは、まず、撮像装置ＣＵａから紐付け情報通知通信信号を受信した場合に、前記受信した入場の紐付け情報通知通信信号に収容された紐付け情報および撮像開始時刻をＳＶ記憶部２３ａに一時的に仮に記憶する。次に、画像記憶処理部２２２ａは、撮像装置ＣＵａから画像通知通信信号を受信した場合に、この受信した画像通知通信信号に収容された画像（画像データ）を、画像ファイル名を付して画像記憶部２３１ａに記憶する。前記画像ファイル名は、任意であって良いが、例えば、画像記憶部２３１ａに記憶する順に００００１から割り振られたシリアル番号である。次に、画像記憶処理部２２２ａは、ＳＶ記憶部２３ａに一時的に仮に記憶されている各紐付け情報の各カメラＩＤの中から、前記受信した画像通知通信信号に収容された前記第２特定情報としてのカメラＩＤと一致するカメラＩＤを選定（検索）し、この選定したカメラＩＤを持つ紐付け情報における前記第１特定情報としての作業者ＩＤおよび前記撮像開始時刻と、前記受信した画像通知通信信号に収容された前記画像（前記画像ファイル名）および撮像終了時刻と、を紐付ける。画像記憶処理部２２２ａは、この紐付けた１組の前記作業者ＩＤ、前記撮像開始時刻、前記画像および前記撮像終了時刻に対し、シリアル番号を画像ＩＤとして割り振る。この画像ＩＤとして割り振られるシリアル番号は、本実施形態では、画像ファイル名として割り振られた前記シリアル番号と兼用される。そして、画像記憶処理部２２２ａは、画像記憶部２３１ａに記憶されている画像情報テーブルＰＴに新たなレコードを生成し、この生成したレコードにおける画像ＩＤフィールド２３１１、開始時刻サブフィールド２３１２１、終了時刻サブフィールド２３１２２、画像ファイル名フィールド２３１３および作業者ＩＤフィールド２３１４それぞれに、前記画像ＩＤ、前記撮像開始時刻（前記紐付け情報通知通信信号に収容された時刻）、前記撮像終了時刻（前記画像通知通信信号に収容された時刻）、前記画像ファイル名および前記作業者ＩＤそれぞれを登録する。そして、画像記憶処理部２２２ａは、この登録した、ＳＶ記憶部２３ａに一時的に仮に記憶されている前記紐付け情報および前記撮像開始時刻を消去（削除）する。
【００５２】
このような管理サーバ装置ＳＶａは、例えば、通信機能付きのコンピュータによって構成可能である。
【００５３】
携帯端末装置ＴＡａは、ネットワークＮＷを介して管理サーバ装置ＳＶａと通信する通信機能、所定の情報を表示する表示機能、所定の指示やデータを入力する入力機能、および、音声通話を行う通話機能等を備え、管理サーバ装置ＳＶａから受信したデータを表示したり、内線電話したり、外線電話したり等するための機器である。そして、本実施形態では、携帯端末装置ＴＡａは、前記第１特定情報（本実施形態では作業者ＩＤ）を記憶し、この前記第１特定情報をＩＤ装置ＲＤａに読み取らせる。このような携帯端末装置ＴＡａは、本実施形態では、例えば、図５に示すように、端末側通信インターフェース部（ＴＡ通信ＩＦ部）３１と、端末側制御処理部（ＴＡ制御処理部）３２ａと、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【００５４】
ＴＡ音入出力部３４は、ＴＡ制御処理部３２ａに接続され、外部の音を取得して携帯端末装置ＴＡａに入力するための回路であって、ＴＡ制御処理部３２ａの制御に従って音を表す電気信号に応じた音を生成して出力するための回路である。ＴＡ音入出力部３４は、例えば、音の電気信号（音データ）を音の機械振動信号（音響信号）に変換するスピーカ等と、可聴領域の音の機械振動信号を電気信号に変換するマイクロフォン等とを備えて構成される。ＴＡ音入出力部３４は、外部の音を表す電気信号をＴＡ制御処理部３２ａへ出力し、また、ＴＡ制御処理部３２ａから入力された電気信号を音の機械振動信号に変換して出力する。
【００５５】
ＴＡ入力部３５は、ＴＡ制御処理部３２ａに接続され、例えば、所定の操作を受け付け、携帯端末装置ＴＡａに入力する回路であり、例えば、所定の機能を割り付けられた複数の入力スイッチ等である。ＴＡ表示部３６は、ＴＡ制御処理部３２ａに接続され、ＴＡ制御処理部３２ａの制御に従って、ＴＡ入力部３５から入力された所定の操作内容や、管理サーバ装置ＳＶａから受信したデータ等を表示する回路であり、例えばＬＣＤ（液晶ディスプレイ）および有機ＥＬディスプレイ等の表示装置である。そして、本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等の作業者（ユーザ）ＮＳが、入力したい入力内容を表示した表示位置を触れると、位置入力デバイスによってその位置が検出され、検出された位置に表示された表示内容が作業者ＮＳの操作入力内容として携帯端末装置ＴＡａに入力される。
【００５６】
ＴＡＩＦ部３７は、ＳＶＩＦ部２６と同様に、ＴＡ制御処理部３２ａに接続され、ＴＡ制御処理部３２ａの制御に従って、外部機器との間でデータの入出力を行う回路である。
【００５７】
ＴＡ通信ＩＦ部３１は、ＣＵ通信ＩＦ部１３と同様に、ＴＡ制御処理部３２ａに接続され、ＴＡ制御処理部３２ａの制御に従って通信を行うための通信回路である。ＴＡ通信ＩＦ部３１は、例えば、ＩＥＥＥ８０２．１１規格等に従った通信インターフェース回路を備えて構成される。
【００５８】
ＴＡ記憶部３３ａは、ＴＡ制御処理部３２ａに接続され、ＴＡ制御処理部３２ａの制御に従って、各種の所定のプログラムおよび各種の所定のデータを記憶する回路である。前記各種の所定のプログラムには、例えば、所定のＴＡ制御処理プログラムが含まれ、前記ＴＡ制御処理プログラムには、例えば、携帯端末装置ＴＡａの各部３１、３３ａ、３４〜３７を当該各部の機能に応じてそれぞれ制御するＴＡ制御プログラムや、前記第１特定情報（本実施形態では作業者ＩＤ）をＩＤ装置ＲＤａへ出力する作業者ＩＤ情報出力処理プログラム等の制御処理プログラムが含まれる。前記各種の所定のデータでは、自機の前記第１特定情報（本実施形態では作業者ＩＤ）や、管理サーバ装置ＳＶａの通信アドレス等の各プログラムを実行する上で必要なデータ等が含まれる。ＴＡ記憶部３３ａは、例えばＲＯＭやＥＥＰＲＯＭやＲＡＭ等を備える。前記第１特定情報（本実施形態では作業者ＩＤ）を記憶するために、ＴＡ記憶部３３ａは、作業者ＩＤ情報記憶部３３１を機能的に備える。
【００５９】
作業者ＩＤ情報記憶部３３１は、作業者ＮＳを特定する第１特定情報、本実施形態では作業者ＩＤを記憶するものである。作業者ＩＤは、例えば、予め携帯端末装置ＴＡａに登録されて作業者ＩＤ情報記憶部３３１に記憶されて良く、あるいは、例えば、ログインの際にＴＡ入力部３５から入力され、作業者ＩＤ情報記憶部３３１に記憶されて良い。
【００６０】
ＴＡ制御処理部３２ａは、携帯端末装置ＴＡａの各部３１、３３ａ、３４〜３７を当該各部の機能に応じてそれぞれ制御するための回路である。そして、第１実施形態では、ＴＡ制御処理部３２ａは、第１特定情報をＩＤ装置ＲＤａに読み取らせる。ＴＡ制御処理部３２ａは、例えば、ＣＰＵおよびその周辺回路を備えて構成される。ＴＡ制御処理部３２ａは、ＴＡ制御処理プログラムが実行されることによって、端末側制御部（ＴＡ制御部）３２１および作業者ＩＤ情報出力処理部３２２を機能的に備える。
【００６１】
ＴＡ制御部３２１は、携帯端末装置ＴＡａの各部３１、３３ａ、３４〜３７を当該各部の機能に応じてそれぞれ制御し、携帯端末装置ＴＡａの全体制御を司るものである。ＴＡ制御部３２１は、年月日時分秒で計時する。
【００６２】
作業者ＩＤ情報出力処理部３２５は、前記第１特定情報として、作業者ＩＤ情報記憶部３３２ａに記憶されている作業者ＩＤを、ＩＤ装置ＲＤａへＴＡＩＦ部３７で出力するものである。
【００６３】
このような携帯端末装置ＴＡａは、例えば、いわゆるタブレット型コンピュータやスマートフォンや携帯電話機等の、持ち運び可能な通信端末装置によって構成可能である。
【００６４】
次に、本実施形態の動作について説明する。図６は、一例として、前記画像記録システムにおける画像記録に関する第１実施形態の動作を示すシーケンス図である。図７は、図６に示す動作におけるＣＵ入出状況情報テーブルの変遷を説明するための図である。図７には、紙面左側から紙面右側へ順に、時刻ｔ１１、時刻ｔ１２および時刻ｔ１３それぞれの各ＣＵ入出状況情報テーブルＭＴａ−ｔ１１、ＭＴａ−ｔ１２、ＭＴａ−ｔ１３が示されている。図８は、前記管理サーバ装置に表示される、複数の画像ファイルの中から所望の作業者に対する画像を抽出した抽出結果を表示する抽出結果表示画面の一例を示す図である。
【００６５】
上記構成の画像記録システムＭＳａでは、各装置ＣＵａ、ＲＤａ、ＳＶａ、ＴＡａは、電源が投入されると、必要な各部の初期化を実行し、その稼働を始める。撮像装置ＣＵａでは、そのＣＵ制御処理プログラムの実行によって、ＣＵ制御処理部１２ａには、ＣＵ制御部１２１、生成部１２２ａおよび撮像制御部１２３が機能的に構成される。管理サーバ装置ＳＶａでは、そのＳＶ制御処理プログラムの実行によって、ＳＶ制御処理部２２ａには、ＳＶ制御部２２１および画像記憶処理部２２２ａが機能的に構成される。そして、携帯端末装置ＴＡａでは、そのＴＡ制御処理プログラムの実行によって、ＴＡ制御処理部３２ａには、ＴＡ制御部３２１および作業者ＩＤ情報出力処理部３２２が機能的に構成される。
【００６６】
そして、画像記録システムＭＳａは、次のような画像記録に関する第１実施形態の動作によって各撮像装置ＣＵａ−１〜ＣＵａ−３から各画像を収集し、各画像を記録（記憶）する。ここで、以下の説明において、一例として、その当初では、例えばログイン操作の際に、作業者ＮＳ−１が携帯する携帯端末装置ＴＡａ−１には、作業者ＩＤ；「ＩＤ−ＮＡ」が入力され、作業者ＩＤ；「ＩＤ−ＮＡ」が予め記憶されているものとする。そして、居室ＲＭ−１には、作業者ＮＳが在室せず、ＣＵ入出状況情報記憶部１４１ａに記憶されているＣＵ入出状況情報テーブルＭＴａ−ｔ１１には、図７の紙面左側に示すように、作業者ＩＤが登録（記憶）されていないものとする。
【００６７】
図６において、例えば看護や介護や清掃等の所定の仕事を行うために、作業者ＮＳ−１は、被監視者Ｏｂ−１の居室ＲＭ−１（撮像対象の領域）に入室（入場）する際に、その携行している携帯端末装置ＴＡａ−１を、前記居室ＲＭ−１に対応して設けられたＩＤ装置ＲＤａ−１に近接させ、作業者ＩＤ（第１特定情報）を読み取らせる読み取り操作を行う（Ｃ１１）。
【００６８】
携帯端末装置ＴＡａ−１とＩＤ装置ＲＤａ−１とは、互いに近接されると、携帯端末装置ＴＡａ−１は、ＴＡ制御処理部３２ａの作業者ＩＤ情報出力処理部３２５によって、ＴＡ記憶部３３ａの作業者ＩＤ情報記憶部３３２に記憶されている作業者ＩＤ；「ＩＤ−ＮＡ」を取り出し、この取り出した作業者ＩＤ；「ＩＤ−ＮＡ」をＴＡＩＦ部３７で送信し（前記作業者ＩＤ；「ＩＤ−ＮＡ」を収容する通信信号をＴＡＩＦ部３７で送信し）、ＩＤ装置ＲＤａ−１は、携帯端末装置ＴＡａ−１から送信された作業者ＩＤ；「ＩＤ−ＮＡ」を受信し、これによって作業者ＩＤを携帯端末装置ＴＡａ−１から読み取る（Ｃ１２）。
【００６９】
続いて、ＩＤ装置ＲＤａ−１は、携帯端末装置ＴＡａ−１から読み取った作業者ＩＤ；「ＩＤ−ＮＡ」を、前記居室ＲＭ−１に設けられた撮像装置ＣＵａ−１へ通知（前記作業者ＩＤ；「ＩＤ−ＮＡ」を収容する通信信号を前記撮像装置ＣＵａ−１へ送信）する（Ｃ１３）。
【００７０】
ＩＤ装置ＲＤａ−１から作業者ＩＤ；「ＩＤ−ＮＡ」の通知を受けると、撮像装置ＣＵａ−１は、前記居室ＲＭ−１に対する作業者ＮＳの入出状況を処理するために、ＣＵ制御処理部１２ａにおける生成部１２２ａのＣＵ管理処理部１２２１ａによって、ＩＤ装置ＲＤａ−１から通知された作業者ＩＤ；「ＩＤ−ＮＡ」を管理する（Ｃ１４）。より具体的には、この通知された作業者ＩＤ；「ＩＤ−ＮＡ」が、ＣＵ入出状況情報記憶部１４１ａに記憶されているＣＵ入出状況情報テーブルＭＴａの作業者ＩＤフィールド１４１１に登録されていない場合には、ＣＵ管理処理部１２２１ａは、新たなレコードを生成し、この新たに生成したレコードの作業者ＩＤフィールド１４１１に前記通知された作業者ＩＤ；「ＩＤ−ＮＡ」を登録する。一方、この通知された作業者ＩＤ；「ＩＤ−ＮＡ」が、ＣＵ入出状況情報記憶部１４１ａに記憶されているＣＵ入出状況情報テーブルＭＴａの作業者ＩＤフィールド１４１１に登録されている場合には、ＣＵ管理処理部１２２１ａは、前記通知された作業者ＩＤ；「ＩＤ−ＮＡ」を登録するレコードを削除する（作業者ＩＤフィールド１４１１から作業者ＩＤを消去する）。
【００７１】
図７に示す例では、ＩＤ装置ＲＤａ−１から作業者ＩＤ；「ＩＤ−ＮＡ」の通知を受けると、この通知された作業者ＩＤ；「ＩＤ−ＮＡ」が、ＣＵ入出状況情報記憶部１４１ａに記憶されているＣＵ入出状況情報テーブルＭＴａ−ｔ１１の作業者ＩＤフィールド１４１１に登録されていないので、ＣＵ管理処理部１２２１ａは、新たなレコードを生成し、この新たに生成したレコードの作業者ＩＤフィールド１４１１に前記通知された作業者ＩＤ；「ＩＤ−ＮＡ」を登録する。これによって図７の紙面左側に示すＣＵ入出状況情報テーブルＭＴａ−ｔ１１からその紙面中央に示すＣＵ入出状況情報テーブルＭＴａ−ｔ１２となり、ＣＵ入出状況情報記憶部１４１ａには、作業者ＩＤ；「ＩＤ−ＮＡ」を登録したＣＵ入出状況情報テーブルＭＴａ−ｔ１２が記憶される。
【００７２】
続いて、ＣＵ管理処理部１２２１ａで管理されているＣＵ入出状況情報テーブルＭＴａ−ｔ１２に、作業者ＩＤ；「ＩＤ−ＮＡ」が有るので、撮像装置ＣＵａ−１は、撮像を開始するために、撮像制御部１２３によって、撮像を開始させる撮像開始の指示をカメラ１１へ出力する（Ｃ１５）。カメラ１１は、撮像制御部１２３から前記撮像開始の指示を受けると、撮像を開始し、この撮像によって生成した画像をＣＵ制御処理部１２ａへ出力し、ＣＵ制御処理部１２ａは、この画像をＣＵ記憶部１４ａに一時的に記憶する。これによって撮像対象を撮像した画像（本実施形態では動画）が生成され、ＣＵ記憶部１４ａに記憶されて行く。前記動画は、例えば２４ｆｐｓや３０ｆｐｓ等の通常のフレームレートであって良く、あるいは、データ容量を低減するために、前記通常のフレームレートより低い例えば１５ｆｐｓや１０ｆｐｓや５ｆｐｓ等のフレームレートであって良い。
【００７３】
続いて、処理Ｃ１４で新たに作業者ＩＤを登録したので、撮像装置ＣＵａ−１は、紐付き情報を通知するために、ＣＵ制御処理部１２ａにおける生成部１２２ａの通知処理部１２２２によって、自機のカメラＩＤ；「ＣＵ−１」とＩＤ装置ＲＤａによって読み取って通知された作業者ＩＤ；「ＩＤ−ＮＡ」とを互いに紐付けた紐付け情報を生成し、この生成した紐付け情報および撮像開始時刻としての現在の時刻を管理サーバ装置ＳＶａへ通知（前記紐付け情報および現在の時刻（撮像開始時刻）を収容した紐付け情報通知通信信号を管理サーバ装置ＳＶａへ送信）する（Ｃ１６）。
【００７４】
撮像装置ＣＵａ−１から紐付け情報および撮像開始時刻の通知を受けると（撮像装置ＣＵａ−１から紐付け情報通知通信信号を受信すると）、管理サーバ装置ＳＶａは、前記紐付け情報および撮像開始時刻をＳＶ記憶部２３ａに一時的に仮に記憶する（Ｃ１７）。
【００７５】
そして、前記仕事の終了によって、前記居室ＲＭ−１に在室している作業者ＮＳ−１は、退出する際に、その携行している携帯端末装置ＴＡａ−１を、前記居室ＲＭ−１に対応して設けられたＩＤ装置ＲＤａ−１に近接させ、作業者ＩＤ；「ＩＤ−ＮＡ」を読み取らせる読み取り操作を行う（Ｃ２１）。
【００７６】
携帯端末装置ＴＡａ−１とＩＤ装置ＲＤａ−１とは、互いに近接されると、上述の処理Ｃ１２と同様に、携帯端末装置ＴＡａ−１では、作業者ＩＤ情報出力処理部３２５は、作業者ＩＤ情報記憶部３３２ａに記憶されている作業者ＩＤ；「ＩＤ−ＮＡ」を取り出し、この取り出した作業者ＩＤ；「ＩＤ−ＮＡ」をＴＡＩＦ部３７で送信し、ＩＤ装置ＲＤａ−１は、携帯端末装置ＴＡａ−１から送信された作業者ＩＤ；「ＩＤ−ＮＡ」を受信し、これによって作業者ＩＤ；「ＩＤ−ＮＡ」を携帯端末装置ＴＡａ−１から読み取る（Ｃ２２）。
【００７７】
続いて、ＩＤ装置ＲＤａ−１は、上述の処理Ｃ１３と同様に、携帯端末装置ＴＡａ−１から読み取った作業者ＩＤ；「ＩＤ−ＮＡ」を、前記居室ＲＭ−１に設けられた撮像装置ＣＵａ−１へ通知する（Ｃ２３）。
【００７８】
ＩＤ装置ＲＤａ−１から作業者ＩＤ；「ＩＤ−ＮＡ」の通知を受けると、撮像装置ＣＵａ−１は、前記居室ＲＭ−１に対する作業者ＮＳの入出状況を処理するために、ＣＵ管理処理部１２２１ａによって、ＩＤ装置ＲＤａ−１から通知された作業者ＩＤ；「ＩＤ−ＮＡ」を管理する（Ｃ２４）。より具体的には、ここでは、図７の紙面中央に示すように、この通知された作業者ＩＤ；「ＩＤ−ＮＡ」が、ＣＵ入出状況情報記憶部１４１ａに記憶されているＣＵ入出状況情報テーブルＭＴａ−ｔ１２の作業者ＩＤフィールド１４１１に登録されているので、ＣＵ管理処理部１２２１ａは、前記通知された作業者ＩＤ；「ＩＤ−ＮＡ」を登録するレコードを削除する。これによって図７の紙面中央に示すＣＵ入出状況情報テーブルＭＴａ−ｔ１２からその紙面右側に示すＣＵ入出状況情報テーブルＭＴａ−ｔ１３となり、ＳＵ入出状況情報記憶部１４１ａには、作業者ＩＤ；「ＩＤ−ＮＡ」を登録したレコードが無くなって、作業者ＩＤを１つも登録しないＣＵ入出状況情報テーブルＭＴａ−ｔ１３が記憶される。通知処理部１２２２は、作業者ＩＤを登録しなかったので、紐付け情報を生成せず、紐付け情報通知通信信号を送信しない。
【００７９】
続いて、ＣＵ管理処理部１２２１ａで管理されているＣＵ入出状況情報テーブルＭＴａ−ｔ１３に、作業者ＩＤが無いので、撮像装置ＣＵａ−１は、撮像を終了するために、撮像制御部１２３によって、撮像を終了させる撮像終了の指示をカメラ１１へ出力する（Ｃ２５）。カメラ１１は、撮像制御部１２３から前記撮像終了の指示を受けると、撮像を終了する。
【００８０】
撮像が終了すると、撮像装置ＣＵａ−１は、ＣＵ制御処理部１２ａによって、ＣＵ記憶部１４ａに一時的に記憶した前記画像を管理サーバ装置ＳＶａへ送信する（Ｃ２６）。より具体的には、ＣＵ制御処理部１２ａは、ＣＵ記憶部１４ａに一時的に記憶した前記画像、自機のカメラＩＤ、および、撮像終了時刻としての現在の時刻を収容した画像通知通信信号を管理サーバ装置ＳＶａへ送信する。
【００８１】
撮像装置ＣＵａから前記画像の通知を受けると（撮像装置ＣＵａから画像通知通信信号を受信すると）、管理サーバ装置ＳＶａは、ＳＶ制御処理部２２ａの画像記憶処理部２２２ａによって、前記撮像装置ＣＵａからの画像を前記第１特定情報としての作業者ＩＤに紐付けて画像記憶部２３１ａに記憶する（Ｃ２７）。より具体的には、画像記憶処理部２２２ａは、前記受信した画像通知通信信号に収容された画像を、画像ファイル名を付して画像記憶部２３１ａに記憶する。次に、画像記憶処理部２２２ａは、ＳＶ記憶部２３ａに一時的に仮に記憶されている各紐付け情報の各カメラＩＤの中から、前記受信した画像通知通信信号に収容されたカメラＩＤと一致するカメラＩＤを選定（検索）し、この選定したカメラＩＤを持つ紐付け情報における作業者ＩＤおよび前記撮像開始時刻と、前記受信した画像通知通信信号に収容された前記画像（前記画像ファイル名）および前記撮像終了時刻と、を紐付ける。次に、画像記憶処理部２２２ａは、この紐付けた１組の前記作業者ＩＤ、前記撮像開始時刻、前記画像ファイル名および前記撮像終了時刻とに対し、シリアル番号を画像ＩＤとして割り振る。そして、画像記憶処理部２２２ａは、画像記憶部２３１ａに記憶されている画像情報テーブルＰＴに新たなレコードを生成し、この生成したレコードにおける画像ＩＤフィールド２３１１、開始時刻サブフィールド２３１２１、終了時刻サブフィールド２３１２２、画像ファイル名フィールド２３１３および作業者ＩＤフィールド２３１４それぞれに、前記画像ＩＤ、前記撮像開始時刻（前記紐付け情報通知通信信号に収容された時刻）、前記撮像終了時刻（前記画像通知通信信号に収容された時刻）、画像ファイル名および作業者ＩＤそれぞれを登録する。そして、画像記憶処理部２２２ａは、ＳＶ記憶部２３ａに一時的に仮に記憶されている前記紐付け情報および前記撮像開始時刻を消去（削除）する。
【００８２】
このような動作によって、画像記録システムＭＳａは、各居室ＲＭ−１〜ＲＭ−３に配置された各撮像装置ＣＵａ−１〜ＣＵａ−３から各画像を収集し、各画像に作業者ＩＤを紐付けて記憶（記録）する。
【００８３】
そして、所望（目的）の作業者ＮＳに対する画像を抽出する場合には、例えば前記作業者ＮＳの上司等のオペレータは、ＳＶ入力部２４から検索キーとして前記所望の作業者ＮＳに対応する作業者ＩＤを入力し、検索開始の指示を入力する。
【００８４】
管理サーバ装置ＳＶａは、検索キーの作業者ＩＤと検索開始の指示を受け付けると、ＳＶ制御処理部２２ａによって、画像記憶部２３１に記憶されている各画像の中から、前記検索キーの作業者ＩＤを持つ画像を検索し、ＳＶ出力部２５に出力する。より具体的には、検索キーの作業者ＩＤ；「ＩＤ−ＮＡ」を受け付けると、ＳＶ制御処理部２２ａは、画像記憶部２３１ａに記憶されている画像情報テーブルＰＴの作業者ＩＤフィールド２３１４に、前記受け付けた作業者ＩＤ；「ＩＤ−ＮＡ」を登録するレコードを抽出し、この抽出したレコードにおける各フィールド２３１１、２３１２（２３１２１、２３１２２）、２３１３、２３１４に登録されている画像ＩＤ、記録時刻（撮像開始時刻、撮像終了時刻）、画像ファイル名および作業者ＩＤを取り出し、この取り出した画像ＩＤ、記録時刻（撮像開始時刻、撮像終了時刻）、画像ファイル名および作業者ＩＤを、例えば、図８に示すように、一覧表形式でＳＶ出力部２５に表示する。この図８に示す例の抽出結果表示画面６１は、前記取り出した画像ＩＤを表示する画像ＩＤ表示欄６１１と、前記取り出した記録時刻を表示する記録時刻表示欄６１２と、前記取り出した画像ファイル名を表示する画像ファイル名表示欄６１３と、前記取り出した作業者ＩＤを表示する作業者ＩＤ表示欄６１４とを備え、前記抽出したレコードの個数に応じた個数の表示行を持つ。記録時刻表示欄６１２は、前記取り出した撮像開始時刻および撮像終了時刻それぞれを表示する開始時刻表示欄６１２１および終了時刻表示欄６１２２を備える。そして、画像ファイル名表示欄６１３に表示された画像ファイル名をＳＶ入力部２４から入力操作すると（例えばマウスによってカーソルを画像ファイル名に合わせ、左クリックすると）、ＳＶ制御処理部２２ａは、この入力操作された画像ファイル名を持つ画像を画像記憶部２３１から取り出し、この取り出した画像をＳＶ出力部２５に再生表示する。前記画像は、例えば、抽出結果表示画面６１に替え、ＳＶ出力部２５に再生表示される。この場合には、前記画像の再生が終了すると、前記抽出結果表示画面６１がＳＶ出力部２５に表示される。あるいは、例えば、前記画像は、新たなウィンドウでＳＶ出力部２５に再生表示される。これによって前記オペレータは、所望の作業者ＮＳに対する画像を参照できる。
【００８５】
以上説明したように、本第１実施形態における画像記録システムＭＳａおよびこれに実装された画像記録方法は、所定の作業者ＮＳが撮像対象の領域（本実施形態では前記居室ＲＭ）に入場すると、前記第１および第２特定情報のうちの一方の特定情報（本実施形態では第１特定情報としての作業者ＩＤ）を読み取って他方の特定情報（本実施形態では第２特定情報としてのカメラＩＤ）に紐付けることによって前記第１および第２特定情報を互いに紐付けた紐付け情報を生成し、一方、撮像装置ＣＵａから画像とその第２特定情報とを得る。そして、上記画像記録システムＭＳａおよび画像記録方法は、前記画像と共に撮像装置ＣＵａから受信した前記第２特定情報および撮像装置ＣＵａから受信した紐付け情報に基づいて、前記画像を前記第１特定情報に紐付けて画像記憶部２３１ａに記憶する。すなわち、上記画像記録システムＭＳａおよび画像記録方法は、前記紐付け情報から、前記画像に伴う前記第２特定情報に対応する前記第１特定情報を得て、この得られた前記第１特定情報に前記画像を紐付けて画像記憶部２３１ａに記憶する。したがって、上記画像記録システムＭＳａおよび画像記録方法は、前記画像に紐付けられた前記第１特定情報を参照することで、所望（目的）の作業者ＮＳに対する画像をより簡単に抽出できる。このため、作業者ＮＳの上司は、前記作業者ＮＳに対する画像を参照することで、前記作業者ＮＳにおける仕事に対する手際や適切さや丁寧さ等を把握でき、前記作業者ＮＳの実態を把握した上で、前記作業者ＮＳを指導できる。
【００８６】
上記画像記録システムＭＳａおよび画像記録方法は、管理下の前記一方の特定情報（本実施形態では第１特定情報としての作業者ＩＤ）が有る場合に、撮像開始の指示をカメラ１１へ出力し、管理下の前記一方の特定情報が無くなった場合に、撮像終了の指示を前記カメラ１１へ出力する。すなわち、上記画像記録システムＭＳａおよび画像記録方法は、前記撮像対象の領域に対し、作業者ＮＳが入場すると前記撮像開始を指示し、少なくとも１人の作業者ＮＳが所在している間、撮像を継続し、そして、作業者ＮＳが退場すると、前記撮像終了を指示する。このため、上記画像記録システムＭＳａおよび画像記録方法は、少なくとも１人の作業者ＮＳが前記撮像対象の領域内に所在する間の画像を画像記憶部２２１ａに記憶でき、作業者ＮＳの所在に無関係に連続的に撮像する場合（例えば２４時間撮像）に較べて、画像のデータ容量を低減できる。前記作業者ＮＳの上司も、速やかに前記作業者ＮＳの仕事の様子を観察できる。
【００８７】
次に、別の実施形態について説明する。
【００８８】
（第２実施形態）
図９は、前記画像記録システムにおける第２実施形態の撮像装置の構成を示す図である。図１０は、前記画像記録システムにおける第２実施形態の管理サーバ装置の構成を示す図である。図１１は、前記画像記録システムにおける第２実施形態の携帯端末装置の構成を示す図である。
【００８９】
第１実施形態における画像記録システムＭＳａでは、読取操作によって、ＩＤ装置ＲＤａが携帯端末装置ＴＡａから第１特定情報（上述の例では作業者ＩＤ）を読み取り、これを撮像装置ＣＵａへ通知し、撮像装置ＣＵａが、ＩＤ装置ＲＤａから通知された前記第１特定情報と、予め記憶された第２特定情報とを紐付けて紐付け情報として管理サーバ装置ＳＶａへ通知した。一方、第２実施形態における画像記録システムＭＳｂでは、読取操作によって、携帯端末装置ＴＡｂがＩＤ装置ＲＤｂから、第２特定情報を読み取り、この読み取った第２特定情報と、予め記憶された第１特定情報とを紐付けて紐付け情報として管理サーバ装置ＳＶｂへ通知するものである。第２実施形態では、前記読取部および前記生成部は、携帯端末装置ＴＡｂに実装され、前記撮像部は、撮像装置ＣＵｂに実装され、前記画像記憶部および前記画像記憶処理部は、管理サーバ装置ＳＶｂに実装される。第２実施形態における第１および第２特定情報は、それぞれ、第１実施形態と同様に、例えば、作業者ＩＤおよびカメラＩＤである。
【００９０】
このような第２実施形態における画像記録システムＭＳｂは、例えば、図１示すように、第１実施形態における画像記録システムＭＳａと同様に、１または複数の撮像装置ＣＵｂ（ＣＵｂ−１〜ＣＵｂ−３）と、１または複数のＩＤ装置ＲＤｂ（ＲＤｂ−１〜ＲＤｂ−３）と、管理サーバ装置ＳＶｂと、１または複数の携帯端末装置ＴＡｂ（ＴＡｂ−１、ＴＡｂ−２）と、構内交換機ＣＸとを備え、これらは、ネットワークＮＷを介して通信可能に接続される。第２実施形態の画像記録システムＭＳｂにおける構内交換機ＣＸは、第１実施形態の画像記録システムＭＳａにおける構内交換機ＣＸと同様であるので、その説明を省略する。
【００９１】
ＩＤ装置ＲＤｂは、撮像対象に対応する撮像装置ＣＵｂに対応して設けられ、前記撮像装置ＣＵｂを特定する第２特定情報（本実施形態ではカメラＩＤ）を、携帯端末装置ＴＡｂに読み取り可能に備える装置である。このようなＩＤ装置ＲＤｂは、例えば、前記第２特定情報を表す１次元コード（バーコード）または２次元コードを持つ部材である。より具体的には、ＩＤ装置ＲＤｂは、一例では、前記第２特定情報を表す１次元コードまたは２次元コードを印字したプレートであり、当該ＩＤ装置ＲＤｂに対応する撮像装置ＣＵｂの撮像対象の領域に配設される。
【００９２】
なお、上述では、ＩＤ装置ＲＤｂは、前記第２特定情報を表す１次元コードまたは２次元コードを持つ部材であるが、これに限定されるものではなく、他の装置であってもよい。例えば、ＩＤ装置ＲＤｂは、前記第２特定情報を記憶するＩＣカード（ＲＦタグ）または磁気カードでも良い。あるいは、例えば、ＩＤ装置ＲＤｂは、通信機能を備え、前記第２特定情報を記憶するタブレット端末装置であっても良い。
【００９３】
撮像装置ＣＵｂは、第１実施形態の撮像装置ＣＵａと同様に、撮像対象に対応して設けられ、ネットワークＮＷを介して管理サーバ装置ＳＶｂと通信する通信機能等を備え、前記撮像対象を撮像して画像を生成する装置である。第２実施形態における撮像装置ＣＵｂは、第１実施形態における撮像装置ＣＵａのように、第１特定情報（作業者ＩＤ）の管理を行わず、したがって、カメラ１１に対する撮像開始および撮像終了の制御も行わない。このような点で、第２実施形態における撮像装置ＣＵｂは、第１実施形態における撮像装置ＣＵａと異なる。
【００９４】
このような撮像装置ＣＵｂは、例えば、図９に示すように、カメラ１１と、ＣＵ制御処理部１２ｂと、ＣＵ通信ＩＦ部１３と、ＣＵ記憶部１４ｂとを備える。これら第２実施形態の撮像装置ＣＵｂにおけるカメラ１１およびＣＵ通信ＩＦ部１３は、それぞれ、第１実施形態の撮像装置ＣＵａにおけるカメラ１１およびＣＵ通信ＩＦ部１３と同様であるので、その説明を省略する。
【００９５】
ＣＵ記憶部１４ｂは、第２実施形態では撮像装置ＣＵｂが上述したように第１特定情報を管理しないので、ＣＵ入出状況情報記憶部１４１ａを備えない。この点を除き、第２実施形態のＣＵ記憶部１４ｂは、第１実施形態のＣＵ記憶部１４ａと同様であるので、その説明を省略する。
【００９６】
ＣＵ制御処理部１２ｂは、撮像装置ＣＵｂが上述したように第１特定情報を管理せず、カメラ１１に対する撮像開始および撮像終了の制御も行わないので、生成部１２２ａおよび撮像制御部１２３を備えない。すなわち、第２実施形態のＣＵ制御処理部１２ｂは、撮像装置ＣＵｂの各部１１、１３、１４ｂを当該各部の機能に応じてそれぞれ制御し、前記撮像対象を撮像して画像を生成し、この生成した画像を、管理サーバ装置ＳＶｂへ通知するための回路である。そして、ＣＵ制御処理部１２ｂは、前記生成した画像を管理サーバ装置ＳＶｂへ通知する際に、ＣＵ記憶部１４ｂに予め記憶された自機の第２特定情報（本実施形態ではカメラＩＤ）と共に、前記生成した画像と共に管理サーバ装置ＳＶｂへ通知する。ＣＵ制御処理部１２ｂは、例えば、ＣＰＵおよびその周辺回路を備えて構成される。
【００９７】
第２実施形態では、上述のようにカメラ１１に対する撮像開始および撮像終了の制御を行わないので、撮像装置ＣＵｂが稼働を始めると、カメラ１１は、常時、撮像対象を撮像して画像を生成し、この生成した画像をＣＵ制御処理部１２ｂへ出力し、ＣＵ制御処理部１２ｂは、この画像をＣＵ記憶部１４ｂに一時的に記憶する。そして、ＣＵ制御処理部１２ｂは、予め設定された所定の通知タイミングで、カメラ１１で生成され一時的にＣＵ記憶部１４ｂに記憶した画像（画像データ）を画像通知通信信号で管理サーバ装置ＳＶｂへ送信する。前記通知タイミングは、任意であり、例えば、予め設定された時間間隔（例えば勤務体制に応じて８時間間隔や、１日分の２４時間間隔等）であって良く、あるいは、例えば、予め設定された定時（例えば毎正時や、午前０等）であって良い。
【００９８】
管理サーバ装置ＳＶｂは、第１実施形態の管理サーバ装置ＳＶａと同様に、ネットワークＮＷを介して他の装置ＣＵｂ、ＴＡｂと通信する通信機能を備え、撮像装置ＣＵｂから画像を受信すると、前記画像を記憶して管理し、クライアント（本実施形態では携帯端末装置ＴＡｂ等）の要求に応じたデータを前記クライアントに提供し、画像記録システムＭＳｂ全体を管理する装置である。そして、第２実施形態では、管理サーバ装置ＳＶｂは、後述のように携帯端末装置ＴＡｂから通知された紐付け情報としての第１および第２特定情報（本実施形態では作業者ＩＤおよびカメラＩＤ）を管理し、前記通知タイミングで撮像装置ＣＵｂから受信した画像を元画像（オリジナル画像）として記憶し、この元画像から作業者ＮＳの入退場に応じた画像を切り出し、この切り出した前記画像を記憶する際に、前記元画像と共に撮像装置ＣＵｂから受信した前記第２特定情報としてのカメラＩＤおよび前記携帯端末装置ＴＡｂから受信した紐付け情報に基づいて、前記画像を前記第１特定情報としての作業者ＩＤに紐付けて記憶する。このような管理サーバ装置ＳＶｂは、例えば、図１０に示すように、ＳＶ通信ＩＦ部２１と、ＳＶ制御処理部２２ｂと、ＳＶ記憶部２３ｂと、ＳＶ入力部２４と、ＳＶ出力部２５と、ＳＶＩＦ部２６とを備える。これら第２実施形態の管理サーバ装置ＳＶｂにおけるＳＶ通信ＩＦ部２１、ＳＶ入力部２４、ＳＶ出力部２５、ＳＶＩＦ部２６は、それぞれ、第１実施形態の管理サーバ装置ＳＶａにおけるＳＶ通信ＩＦ部２１、ＳＶ入力部２４、ＳＶ出力部２５、ＳＶＩＦ部２６と同様であるので、その説明を省略する。
【００９９】
ＳＶ記憶部２３ｂは、ＳＶ制御処理部２２ｂに接続され、ＳＶ制御処理部２２ｂの制御に従って、各種の所定のプログラムおよび各種の所定のデータを記憶する回路である。前記各種の所定のプログラムには、例えば、所定のＳＶ制御処理プログラムが含まれ、前記ＳＶ制御処理プログラムには、例えば、管理サーバ装置ＳＶｂの各部２１、２３ｂ、２４〜２６を当該各部の機能に応じてそれぞれ制御するＳＶ制御プログラムや、撮像装置ＣＵｂで生成された画像を後述の画像記憶部２３１ｂおよび元画像記憶部２３２に記憶させる画像記憶処理プログラムや、携帯端末装置ＴＡｂから通知された紐付け情報としての第１および第２特定情報（本実施形態では作業者ＩＤおよびカメラＩＤ）を管理するＳＶ管理処理プログラム等が含まれる。前記各種の所定のデータには、自機のサーバＩＤや、撮像装置ＣＵｂで生成され画像通知通信信号で受信した画像（元画像、元画像データ）や、前記元画像から作業者ＮＳの入退場に応じて切り出した画像（画像データ）や、撮像対象の領域に対する作業者ＮＳの入出状況を表すＳＶ入出状況情報等の各プログラムを実行する上で必要なデータ等が含まれる。ＳＶ記憶部２３ｂは、例えばＲＯＭやＥＥＰＲＯＭやＲＡＭ等を備え、必要に応じてＨＤＤをさらに備える。そして、これら前記画像、前記元画像およびＳＶ入出状況情報を記憶するために、ＳＶ記憶部２３ｂは、画像記憶部２３１ｂ、元画像記憶部２３２およびＳＶ入出状況情報記憶部２３３を機能的に備える。
【０１００】
元画像記憶部２３２は、前記通知タイミングに応じて撮像装置ＣＵｂから受信した画像を元画像（オリジナル画像）として第２特定情報（本実施形態ではカメラＩＤ）および撮像終了時刻と紐付けて記憶するものである。より具体的には、本実施形態では、前記画像通知通信信号に収容された前記画像（画像データ）は、自動的に割り振られたファイル名（元画像ファイル名）を付して元画像記憶部２３２に記憶され、前記画像の元画像ファイル名と、前記画像通知通信信号に収容されたカメラＩＤと、前記撮像終了時刻としての、前記画像通知通信信号に収容された時刻とが互いに紐付けられて、元画像記憶部２３２に記憶される。
【０１０１】
画像記憶部２３１ｂは、撮像装置ＣＵａからの前記元画像から、作業者ＮＳの入退場に応じて切り出した前記画像を、第１特定情報（本実施形態では作業者ＩＤ）に紐付けて記憶するものである。第１実施形態の画像記憶部２３１ａは、撮像装置ＣＵａからの前記画像そのものを記憶したが、第２実施形態の画像記憶部２３１ｂは、撮像装置ＣＵｂからの前記元画像から、作業者ＮＳの入退場に応じて切り出した前記画像を記憶する。この点を除き、第２実施形態の画像記憶部２３１ｂは、第１実施形態の画像記憶部２３１ａと同様であるので、その説明を省略する。
【０１０２】
ＳＶ入出状況情報記憶部２３３は、撮像対象の領域に対する作業者ＮＳの入出状況を表す前記ＳＶ入出状況情報を記憶するものである。本実施形態では、ＳＶ入出状況情報は、前記第１特定情報、本実施形態では作業者ＩＤの記憶の有り無しによって、撮像対象の領域に対する作業者ＮＳの入出状況を表す。より具体的には、本実施形態では、撮像対象の領域は、複数の居室ＲＭであるので、各撮像対象の各領域ごとに、当該領域に対する作業者ＮＳの入出状況を表すために、複数の第２特定情報（本実施形態ではカメラＩＤ）それぞれに、前記第１特定情報、本実施形態では作業者ＩＤが対応付けられ、前記ＳＶ入出状況情報としてＳＶ入出状況情報記憶部２３３に記憶される。より詳しくは、ＳＶ入出状況情報は、テーブル形式でＳＶ入出状況情報記憶部２３３に記憶される。このＳＶ入出状況情報を登録するＳＶ入出状況情報テーブルＭＴｂは、例えば、後述の図１３に示すように、カメラＩＤを登録するカメラＩＤフィールド２３３１と、カメラＩＤフィールド２３３１に登録されたカメラＩＤを持つ撮像装置ＣＵｂに対応する撮像対象の領域に対し入退場する作業者ＮＳの作業者ＩＤを登録する作業者ＩＤフィールド２３３２とを備え、カメラＩＤ（すなわち、撮像対象の領域（居室ＲＭ））ごとにレコードを持つ。各レコードのカメラＩＤフィールド２３３１には、複数の撮像対象それぞれに対応する撮像装置ＣＵｂのカメラＩＤが予め登録される。
【０１０３】
ＳＶ制御処理部２２ｂは、管理サーバ装置ＳＶｂの各部２１、２３ｂ、２４〜２６を当該各部の機能に応じてそれぞれ制御し、撮像装置ＣＵｂから画像を受信すると、前記画像を記憶して管理し、クライアント（本実施形態では携帯端末装置ＴＡｂ等）の要求に応じたデータを前記クライアントに提供し、画像記録システムＭＳｂ全体を管理するための回路である。本実施形態では、ＳＶ制御処理部２２ｂは、後述のように携帯端末装置ＴＡｂから通知された紐付け情報としての第１および第２特定情報（本実施形態では作業者ＩＤおよびカメラＩＤ）を管理する。そして、ＳＶ制御処理部２２ｂは、前記画像を記憶する際に、まず、前記通知タイミングに応じて撮像装置ＣＵｂから受信した画像を元画像（オリジナル画像）として記憶し、次に、この元画像から作業者ＮＳの入退場に応じた画像を切り出し、この切り出した前記画像を記憶する際に、前記元画像と共に撮像装置ＣＵｂから受信した前記第２特定情報としてのカメラＩＤおよび前記携帯端末装置ＴＡｂから受信した紐付け情報に基づいて、前記画像を前記第１特定情報としての作業者ＩＤに紐付けて記憶する。ＳＶ制御処理部２２ｂは、例えば、ＣＰＵおよびその周辺回路を備えて構成される。ＳＶ制御処理部２２ｂは、そのＳＶ制御処理プログラムが実行されることによって、ＳＶ制御部２２１、画像記憶処理部２２２ｂおよびＳＶ管理処理部２３３を機能的に備える。第２実施形態の管理サーバ装置ＳＶｂにおけるＳＶ制御部２２１は、第１実施形態の管理サーバ装置ＳＶａにおけるＳＶ制御部２２１と同様であるので、その説明を省略する。
【０１０４】
ＳＶ管理処理部２２３は、携帯端末装置ＴＡｂから通知された前記第１および第２特定情報（本実施形態では、作業者ＩＤおよびカメラＩＤ）を管理するものである。より具体的には、携帯端末装置ＴＡｂから紐付け情報通知通信信号で紐付け情報として第１および第２特定情報として作業者ＩＤおよびカメラＩＤが通知されると、ＳＶ管理処理部２２３は、まず、この通知されたカメラＩＤを、ＳＶ入出状況情報記憶部２３３に記憶されているＳＶ入出状況情報テーブルＭＴｂのカメラＩＤフィールド２３３１に登録するレコードを選定（検索）する。次に、ＳＶ管理処理部２２３は、この選定したレコードにおける作業者ＩＤフィールド２３３２に、前記通知された作業者ＩＤが登録されているか否かを調べる。ＳＶ管理処理部２２３は、この選定したレコードにおける作業者ＩＤフィールド２３３２に、前記通知された作業者ＩＤが登録されていない場合には、前記選定したレコードにおける作業者ＩＤフィールド２３３２に、前記通知された作業者ＩＤが登録する。これによってカメラＩＤを持つ撮像装置ＣＵｂに対応する撮像対象の領域に作業者ＩＤを持つ作業者ＮＳが入場（入室、在室）した状況がＳＶ入出状況情報記憶部２３３に記憶される。一方、ＳＶ管理処理部２２３は、前記選定したレコードにおける作業者ＩＤフィールド２３３２に、前記通知された作業者ＩＤが登録されている場合には、前記選定したレコードにおける作業者ＩＤフィールド２３３２から作業者ＩＤを削除（消去）する。これによってカメラＩＤを持つ撮像装置ＣＵｂに対応する撮像対象の領域から作業者ＩＤを持つ作業者ＮＳが退場（退室、不在）した状況がＳＶ入出状況情報記憶部２３３に記憶される。このようにＳＶ管理処理部２２３は、各カメラＩＤごと（各撮像対象の各領域ごと）に作業者ＩＤの記憶の有り無しによって、撮像対象の領域に対する作業者ＮＳの入出状況を管理する。そして、ＳＶ管理処理部２２３は、各レコードごと（各カメラＩＤごと、すなわち、各撮像対象の各領域ごと）に、作業者ＩＤフィールド２３３２に作業者ＩＤが１つも無い状態から作業者ＩＤが登録されると、この登録した作業者ＩＤの紐付け情報を収容した紐付け情報通知通信信号に収容された時刻を開始時刻として、前記登録した作業者ＩＤ、紐付け情報でこの作業者ＩＤに紐付けられたカメラＩＤおよび前記開始時刻を互いに紐付けてＳＶ記憶部２３ｂに一時的に仮に記憶する。ＳＶ管理処理部２２３は、前記各レコードごとに、前記開始時刻から前記作業者ＩＤフィールド２３３２に作業者ＩＤが１つも無い状態になるまでの間に前記作業者ＩＤフィールド２３３２に登録された作業者ＩＤを、前記互いに紐付けられた作業者ＩＤ、カメラＩＤおよび開始時刻にさらに紐付けてＳＶ記憶部２３ｂに一時的に仮に記憶する。そして、ＳＶ管理処理部２２３は、前記各レコードごとに、前記作業者ＩＤフィールド２３３２に作業者ＩＤが少なくとも１つ有る状態から作業者ＩＤが１つも無くなると、この登録から削除した作業者ＩＤの紐付け情報を収容した紐付け情報通知通信信号に収容された時刻を終了時刻として、この終了時刻を、前記互いに紐付けられた作業者ＩＤ、カメラＩＤおよび開始時刻にさらに紐付けてＳＶ記憶部２３ｂに一時的に仮に記憶する。これによって１つのカメラＩＤ、１または複数の作業者ＩＤ、開始時刻および終了時刻を互いに紐付けた１組の情報がＳＶ記憶部２３ｂに一時的に仮に記憶される。
【０１０５】
画像記憶処理部２２２ｂは、撮像装置ＣＵｂで生成された画像を画像記憶部２３１ｂおよび元画像記憶部２３２に記憶させるものである。本実施形態では、画像記憶処理部２２２ｂは、撮像装置ＣＵｂで生成され撮像装置ＣＵｂから受信した画像を元画像として元画像記憶部２３２に記憶するための元画像記憶処理部２２２２と、前記元画像から作業者ＮＳの入退場に応じて切り出した画像を画像記憶部２３１ｂに記憶するための画像切出記憶処理部２２２１とを機能的に備える。
【０１０６】
元画像記憶処理部２２２２は、前記通知タイミングに応じて撮像装置ＣＵｂから受信した画像を元画像（オリジナル画像）として元画像記憶部２３２に記憶するものである。より具体的には、撮像装置ＣＵｂから画像通知通信信号を受信すると、まず、元画像記憶処理部２２２２は、この受信した画像通知通信信号に収容されている、元画像（元画像データ）としての画像（画像データ）、第２特定情報としてのカメラＩＤ、および、撮像終了時刻としての時刻を取り出す。次に、元画像記憶処理部２２２２は、この取り出した元画像に対して自動的に元画像ファイル名を生成し、この生成した元画像ファイル名を付して前記取り出した元画像を元画像記憶部２３２に記憶する。そして、元画像記憶処理部２２２２は、前記元画像ファイル名と、前記取り出したカメラＩＤと、前記取り出した撮像終了時刻とを互いに紐付けて元画像記憶部２３２に記憶する。
【０１０７】
画像切出記憶処理部２２２１は、前記元画像から作業者ＮＳの入退場に応じた画像を切り出した前記画像を画像記憶部２３１ｂに記憶するものである。画像切出記憶処理部２２２１は、この切り出した前記画像を画像記憶部２３１ｂに記憶する際に、前記元画像と共に撮像装置ＣＵｂから受信した前記第２特定情報としてのカメラＩＤおよび前記携帯端末装置ＴＡｂから受信した紐付け情報に基づいて、前記画像を前記第１特定情報としての作業者ＩＤに紐付けて記憶する。より具体的には、画像切出記憶処理部２２２１は、予め設定された所定の切出タイミングで、まず、ＳＶ管理処理部２２３によってＳＶ記憶部２３ｂに一時的に仮に記憶されている前記互いに紐付けられた１組の作業者ＩＤ、カメラＩＤ、開始時刻および終了時刻を取り出し、元画像記憶部２３２から、この取り出したカメラＩＤに紐付けられ、かつ、前記取り出した開始時刻および終了時刻を含む元画像ファイル名（元画像）を選定（検索）する。元画像ファイル名には、撮像終了時刻が紐付けられ、通知タイミングが既知であるので、元画像の先頭時刻（撮像開始時刻）が算出でき、元画像ファイル名を持つ元画像が前記取り出した開始時刻および終了時刻を含むか否か判定できる。前記切出タイミングは、任意であり、例えば、予め設定された時間間隔（例えば勤務体制に応じて８時間間隔や、１日分の２４時間間隔等）であって良く、あるいは、例えば、予め設定された定時（例えば毎正時や、午前０等）であって良く、あるいは、元画像記憶処理部２２２２によって元画像が元画像記憶部２３２に記憶された時点であって良い。次に、画像切出記憶処理部２２２１は、この選定した元画像ファイル名を持つ元画像から、前記取り出した開始時刻および終了時刻に相当する部分の画像を切り出して新たな画像（画像データ、元画像の時間的な部分画像）を生成する。次に、画像切出記憶処理部２２２１は、この切り出した前記画像に対し自動的に画像ファイル名および画像ＩＤを生成し、前記切り出した前記画像を前記生成した画像ファイル名を付して画像記憶部２３１ｂに記憶する。そして、画像切出記憶処理部２２２１は、画像記憶部２３１ｂに記憶されている画像情報テーブルＰＴに新たなレコードを生成し、この生成したレコードにおける画像ＩＤフィールド２３１１、開始時刻サブ「フィールド２３１２１、終了時刻サブフィールド２３１２２、画像ファイル名フィールド２３１３および作業者ＩＤフィールド２３１４それぞれに、前記生成した画像ＩＤ、前記取り出した開始時刻、前記取り出した終了時刻、前記生成した画像ファイル名、および、前記取り出した作業者ＩＤそれぞれを登録する。そして、画像切出記憶処理部２２２１は、この登録した開始時刻、終了時刻および作業者ＩＤを、これらに紐付けられたカメラＩＤと共に、ＳＶ記憶部２３ｂから消去（削除）する。画像切出記憶処理部２２２１は、このような処理を、ＳＶ管理処理部２２３によってＳＶ記憶部２３ｂに一時的に仮に記憶されている前記互いに紐付けられた１組の作業者ＩＤ、カメラＩＤ、開始時刻および終了時刻が基本的に無くなるまで（全て消去されるまで）繰り返す。
【０１０８】
なお、前記取り出した開始時刻および終了時刻と前記通知タイミングによっては、前記取り出した開始時刻のみを含む元画像ファイル名と前記取り出した終了時刻のみを含む元画像ファイル名とが取り出される場合がある。この場合には、画像切出記憶処理部２２２１は、前記開始時刻のみを含む元画像ファイル名を持つ元画像から、前記開始時刻から前記元画像の終了までを切り出し、前記終了時刻のみを含む元画像ファイル名を持つ元画像から、その先頭から前記終了時刻までを切り出し、これらを連結して新たな画像を生成する。この場合では、通知タイミングと切出タイミングとの関係によっては、前記切出タイミングの時点で、前記取り出した終了時刻のみを含む元画像ファイル名を持つ元画像が元画像記憶部２３２に記憶されていない場合が有り得る。このときには、元画像から前記画像を切り出さず、かつ、ＳＶ記憶部２３ｂに一時的に仮に記憶されている前記互いに紐付けられた１組の作業者ＩＤ、カメラＩＤ、開始時刻および終了時刻を消去せずに、次回の切出タイミングに、ＳＶ記憶部２３ｂに一時的に仮に記憶されている前記互いに紐付けられた１組の作業者ＩＤ、カメラＩＤ、開始時刻および終了時刻が持ち越される（一時的に記憶された状態が維持される）。
【０１０９】
携帯端末装置ＴＡｂは、第１実施形態における携帯端末装置ＴＡａと同様に、ネットワークＮＷを介して管理サーバ装置ＳＶｂと通信する通信機能、所定の情報を表示する表示機能、所定の指示やデータを入力する入力機能、および、音声通話を行う通話機能等を備え、管理サーバ装置ＳＶｂから受信したデータを表示したり、内線電話したり、外線電話したり等するための機器である。そして、本実施形態では、携帯端末装置ＴＡｂは、前記第２特定情報（本実施形態ではカメラＩＤ）をＩＤ装置ＲＤｂから読み取って予め持っている前記第１特定情報（本実施形態では作業者ＩＤ）を、前記読み取った第２特定情報と共に紐付け情報として管理サーバ装置ＳＶｂへ通知する。このような携帯端末装置ＴＡｂは、本実施形態では、例えば、図１１に示すように、ＴＡ通信ＩＦ部３１と、ＴＡ制御処理部３２ｂと、ＴＡ記憶部３３ｂと、ＴＡ音入出力部３４と、ＴＡ入力部３５と、ＴＡ表示部３６と、ＴＡＩＦ部３７とを備える。これら第２実施形態の携帯端末装置ＴＡｂにおけるＴＡ通信ＩＦ部３１、ＴＡ音入出力部３４、ＴＡ入力部３５、ＴＡ表示部３６およびＴＡＩＦ部３７は、それぞれ、第１実施形態の携帯端末装置ＴＡａにおけるＴＡ通信ＩＦ部３１、ＴＡ音入出力部３４、ＴＡ入力部３５、ＴＡ表示部３６およびＴＡＩＦ部３７と同様であるので、その説明を省略する。第２実施形態のＴＡ記憶部３３ｂは、ＴＡ制御処理プログラムに含まれる１つのプログラムとして、前記第２特定情報（本実施形態ではカメラＩＤ）をＩＤ装置ＲＤｂから読み取って予め持っている前記第１特定情報（本実施形態では作業者ＩＤ）を、通知する読取通知処理プログラムをさらに記憶する点を除いて、第１実施形態のＴＡ記憶部３３ａと同様であるので、その説明を省略する。
【０１１０】
ＴＡ制御処理部３２ｂは、第１実施形態におけるＴＡ制御処理部３２ａと同様に、携帯端末装置ＴＡｂの各部３１、３３ｂ、３４〜３７を当該各部の機能に応じてそれぞれ制御し、被監視者Ｏｂの前記監視情報を受けて表示し、ナースコールの応答や声かけするための回路である。そして、第２実施形態では、ＴＡ制御処理部３２ｂは、前記第２特定情報（本実施形態では監視領域ＩＤ（カメラＩＤ））をＩＤ装置ＲＤｂから読み取って予め持っている前記第１特定情報（本実施形態では作業者ＩＤ）を、前記読み取った第２特定情報と共に紐付け情報として管理サーバ装置ＳＶｂへ通知する。ＴＡ制御処理部３２ｂは、例えば、ＣＰＵおよびその周辺回路を備えて構成される。ＴＡ制御処理部３２ｂは、ＴＡ制御処理プログラムが実行されることによって、ＴＡ制御部３２１および読取通知処理部３２３を機能的に備える。これら第２実施形態の携帯端末装置ＴＡｂにおけるＴＡ制御部３２１は、第１実施形態の携帯端末装置ＴＡａにおけるＴＡ制御部３２１と同様であるので、その説明を省略する。
【０１１１】
読取通知処理部３２３は、前記第２特定情報（本実施形態ではカメラＩＤ）をＩＤ装置ＲＤｂから読み取って予め作業者ＩＤ情報記憶部３３２に持っている前記第１特定情報（本実施形態では作業者ＩＤ）を、前記読み取った第２特定情報と共に紐付け情報として管理サーバ装置ＳＶｂへ通知するものである。
【０１１２】
本実施形態では、ＩＤ装置ＲＤｂは、第２特定情報としてカメラＩＤを表す１次元コードまたは２次元コードを印字したプレートであるので、携帯端末装置ＴＡｂは、例えばカメラをさらに備え、読取通知処理部３２３は、前記カメラで１次元コードまたは２次元コードを撮像することによって得られた画像（画像データ）に対し所定の画像処理を実行することで、１次元コードまたは２次元コードを識別して解析し、この解析結果から前記第２特定情報（カメラＩＤ）を読み取る。そして、読取通知処理部３２３は、この読み取った前記第２特定情報（カメラＩＤ）および作業者ＩＤ情報記憶部３３１に記憶されている作業者ＩＤを互いに紐付けて紐付け情報を生成し、この生成した紐付け情報および現在の時刻を収容する通信信号（紐付け情報通知通信信号）を管理サーバ装置ＳＶｂ宛に生成し、この生成した紐付け情報通知通信信号をＴＡ通信ＩＦ部３１で送信する。
【０１１３】
なお、ＩＤ装置ＲＤｂがＩＣカード（ＲＦタグ）または磁気カードである場合には、携帯端末装置ＴＡｂは、ＩＣカードまたは磁気カードのカードリーダをさらに備え、読取通知処理部３２３は、前記カードリーダでＩＣカードまたは磁気カードから前記第２特定情報（カメラＩＤ）を読み取り、前記紐付け情報通知通信信号を管理サーバ装置ＳＶｂへ送信する。あるいは、ＩＤ装置ＲＤｂがタブレット端末装置である場合には、読取通知処理部３２３は、ＴＡＩＦ部３７で前記タブレット端末装置から前記第２特定情報（カメラＩＤ）を読み取り、前記紐付け情報通知通信信号を管理サーバ装置ＳＶｂへ送信する。
【０１１４】
なお、携帯端末装置ＴＡｂは、第２実施形態では、所定の作業者が撮像対象の領域に入場する場合に、前記作業者を特定する第１特定情報および前記撮像対象に対応する撮像部を特定する第２特定情報のうちの一方の特定情報を読み取る読取部の他の一例に相当する。そして、携帯端末装置ＴＡｂは、第２実施形態では、さらに、前記第１および第２特定情報のうちの他方の特定情報を予め持ち、前記読取部によって前記一方の特定情報を読み取った場合に、前記他方の特定情報と前記読取部で読み取った前記一方の特定情報とを互いに紐付けた紐付け情報を生成し、前記生成した紐付け情報を前記画像記憶処理部へ出力する生成部の一例にも相当する。
【０１１５】
次に、本実施形態の動作について説明する。図１２は、一例として、前記画像記録システムにおける画像記録に関する第２実施形態の動作を示すシーケンス図である。図１３は、図１２に示す動作におけるＳＶ入出状況情報テーブルの変遷を説明するための図である。図１３には、紙面左側から紙面右側へ順に、時刻ｔ２１、時刻ｔ２２および時刻ｔ２３それぞれの各ＳＶ入出状況情報テーブルＭＴｂ−ｔ２１、ＭＴｂ−ｔ２２、ＭＴｂ−ｔ２３が示されている。
【０１１６】
上記構成の画像記録システムＭＳｂでは、各装置ＣＵｂ、ＳＶｂ、ＴＡｂは、電源が投入されると、必要な各部の初期化を実行し、その稼働を始める。管理サーバ装置ＳＶｂでは、そのＳＶ制御処理プログラムの実行によって、ＳＶ制御処理部２２ｂには、ＳＶ制御部２２１、画像記憶処理部２２２ｂおよびＳＶ管理処理部２２３が機能的に構成され、画像記憶処理部２２２ｂには、画像切出記憶処理部２２２１および元画像記憶処理部２２２２が機能的に構成される。そして、携帯端末装置ＴＡｂでは、そのＴＡ制御処理プログラムの実行によって、ＴＡ制御処理部３２ｂには、ＴＡ制御部３２１および読取通知処理部３２３が機能的に構成される。
【０１１７】
そして、画像記録システムＭＳｂは、次のような画像記録に関する第２実施形態の動作によって各撮像装置ＣＵｂ−１〜ＣＵｂ−３から各画像を収集し、各画像を記録（記憶）する。ここで、以下の説明において、一例として、その当初では、例えばログイン操作の際に、作業者ＮＳ−１が携帯する携帯端末装置ＴＡａ−１には、作業者ＩＤ；「ＩＤ−ＮＡ」が入力され、作業者ＩＤ；「ＩＤ−ＮＡ」が予め記憶されているものとする。そして、居室ＲＭ−１には、作業者ＮＳが在室せず、ＳＶ入出状況情報記憶部２３３に記憶されているＳＶ入出状況情報テーブルＭＴｂ−ｔ２１には、図１３の紙面左側に示すように、作業者ＩＤが登録（記憶）されていないものとする。
【０１１８】
図１２において、例えば所定の仕事を行うために、作業者ＮＳ−１は、被監視者Ｏｂの居室ＲＭ−１に入室する際に、その携行している携帯端末装置ＴＡｂ−１を、前記居室ＲＭ−１に対応して設けられたＩＤ装置ＲＤｂ−１に近接させ、カメラＩＤ（第２特定情報）を読み取らせる読み取り操作を行う（Ｃ１１１）。
【０１１９】
携帯端末装置ＴＡｂ−１とＩＤ装置ＲＤｂ−１とは、互いに近接されると、携帯端末装置ＴＡｂ−１は、ＴＡ制御処理部３２ｂの読取通知処理部３２３によって、ＩＤ装置ＲＤｂ−１から第２特定情報としてカメラＩＤ；「ＣＵ−１」を読み取る（Ｃ１１２）。
【０１２０】
続いて、携帯端末装置ＴＡｂ−１は、読取通知処理部３２３によって、ＴＡ記憶部３３の作業者ＩＤ情報記憶部３３１に第１特定情報として記憶されている作業者ＩＤ；「ＩＤ−ＮＡ」を取り出し、処理Ｃ１１２で読み取ったカメラＩＤ；「ＣＵ−１」および前記取り出した作業者ＩＤ；「ＩＤ−ＮＡ」を互いに紐付けて紐付け情報を生成し、この生成した紐付け情報および現在の時刻を収容する紐付け情報通知通信信号を管理サーバ装置ＳＶｂ宛に生成し、この生成した紐付け情報通知通信信号をＴＡ通信ＩＦ部３１で送信する（Ｃ１１３）。
【０１２１】
携帯端末装置ＴＡｂ−１から紐付け情報通知通信信号を受信すると、管理サーバ装置ＳＶｂは、撮像対象の領域に対する作業者ＮＳの入出状況を処理するために、ＳＶ制御処理部２２ｂのＳＶ管理処理部２２３によって、携帯端末装置ＴＡｂ−１から送信されたカメラＩＤ；「ＣＵ−１」および作業者ＩＤ；「ＩＤ−ＮＡ」を管理する（Ｃ１１４）。より具体的には、ＳＶ管理処理部２２３は、まず、この受信した紐付け情報通知通信信号に収容された紐付け情報のカメラＩＤ；「ＣＵ−１」を、ＳＶ入出状況情報記憶部２３３に記憶されているＳＶ入出状況情報テーブルＭＴｂのカメラＩＤフィールド２３３１に登録するレコードを選定（検索）する。次に、ＳＶ管理処理部２２３は、この選定したレコードにおける作業者ＩＤフィールド２３３２に、前記受信した紐付け情報通知通信信号に収容された紐付け情報の作業者ＩＤ；「ＩＤ−ＮＡ」が登録されているか否かを調べる。ＳＶ管理処理部２２３は、この選定したレコードにおける作業者ＩＤフィールド２３３２に、前記受信の作業者ＩＤ；「ＩＤ−ＮＡ」が登録されていない場合には、前記選定したレコードにおける作業者ＩＤフィールド２３３２に、前記受信の作業者ＩＤ；「ＩＤ−ＮＡ」を登録する。一方、ＳＶ管理処理部２２３は、前記選定したレコードにおける作業者ＩＤフィールド２３４２に、前記受信の作業者ＩＤ；「ＩＤ−ＮＡ」が登録されている場合には、前記選定したレコードにおける作業者ＩＤフィールド２３４２から作業者ＩＤを削除（消去）する。
【０１２２】
図１３に示す例では、携帯端末装置ＴＡｂ−１から紐付け情報通知通信信号でカメラＩＤ；「ＣＵ−１」および作業者ＩＤ；「ＩＤ−ＮＡ」を受信すると、ＳＶ入出状況情報記憶部２３３に記憶されているＳＶ入出状況情報テーブルＭＴｂ−ｔ２１において、この受信したカメラＩＤ；「ＣＵ−１」をカメラＩＤフィールド２３３１に登録するレコードにおける作業者ＩＤフィールド２３３２に、前記受信した作業者ＩＤ；「ＩＤ−ＮＡ」が登録されていないので、ＳＶ管理処理部２２３は、前記作業者ＩＤフィールド２３３２に、前記受信した作業者ＩＤ；「ＩＤ−ＮＡ」を登録する。これによって図１３の紙面左側に示すＳＶ入出状況情報テーブルＭＴｂ−ｔ２１からその紙面中央に示すＳＶ入出状況情報テーブルＭＴｂ−ｔ２２となり、ＳＶ入出状況情報記憶部２３３には、カメラＩＤ；「ＣＵ−１」をカメラＩＤフィールド２３３１に登録したレコードにおける作業者ＩＤフィールド２３３２に作業者ＩＤ；「ＩＤ−ＮＡ」を登録したＳＶ入出状況情報テーブルＭＴｂ−ｔ２２が記憶される。
【０１２３】
続いて、ＳＶ入出状況情報テーブルＭＴｂ−ｔ２２が更新されると、ＳＶ管理処理部２２３は、前記受信した紐付け情報をＳＶ記憶部２３ｂに一時的に仮に記憶する（Ｃ１１５）。より具体的には、作業者ＩＤフィールド２３３２に作業者ＩＤが１つも無い状態から作業者ＩＤを登録した場合、ＳＶ管理処理部２２３は、前記受信した紐付け情報通知通信信号に収容された時刻を開始時刻として、前記登録した作業者ＩＤ、紐付け情報でこの作業者ＩＤに紐付けられたカメラＩＤおよび前記開始時刻を互いに紐付けてＳＶ記憶部２３ｂに一時的に仮に記憶する。作業者ＩＤフィールド２３３２に作業者ＩＤが有る状態から作業者ＩＤをさらに登録した場合、ＳＶ管理処理部２２３は、前記作業者ＩＤフィールド２３３２に登録された作業者ＩＤを、既にＳＶ記憶部２３ｂに仮に記憶された前記互いに紐付けられた作業者ＩＤ、カメラＩＤおよび開始時刻にさらに紐付けてＳＶ記憶部２３ｂに一時的に仮に記憶する。前記作業者ＩＤフィールド２３３２に作業者ＩＤが少なくとも１つ有る状態から作業者ＩＤが１つも無くなった場合、ＳＶ管理処理部２２３は、この登録から削除した作業者ＩＤの紐付け情報を収容した紐付け情報通知通信信号に収容された時刻を終了時刻として、この終了時刻を、既にＳＶ記憶部２３ｂに仮に記憶された前記互いに紐付けられた作業者ＩＤ、カメラＩＤおよび開始時刻にさらに紐付けてＳＶ記憶部２３ｂに一時的に仮に記憶する。
【０１２４】
図１３に示す例では、作業者ＩＤフィールド２３３２に作業者ＩＤが１つも無い状態から作業者ＩＤを登録した場合であるので、ＳＶ管理処理部２２３は、前記受信した紐付け情報通知通信信号に収容された時刻を開始時刻として、前記登録した作業者ＩＤ、紐付け情報でこの作業者ＩＤに紐付けられたカメラＩＤおよび前記開始時刻を互いに紐付けてＳＶ記憶部２３ｂに一時的に仮に記憶する。
【０１２５】
そして、例えば前記仕事の終了によって、前記居室ＲＭ−１に在室している作業者ＮＳ−１は、退出する際に、その携行している携帯端末装置ＴＡｂ−１を、前記居室ＲＭ−１に対応して設けられたＩＤ装置ＲＤｂ−１に近接させ、カメラＩＤを読み取らせる読み取り操作を行う（Ｃ１２１）。
【０１２６】
携帯端末装置ＴＡｂ−１とＩＤ装置ＲＤｂ−１とは、互いに近接されると、上述の処理Ｃ１１２と同様に、携帯端末装置ＴＡｂ−１は、ＩＤ装置ＲＤｂ−１から第２特定情報としてカメラＩＤ；「ＣＵ−１」を読み取る（Ｃ１２２）。
【０１２７】
続いて、携帯端末装置ＴＡｂ−１は、上述の処理Ｃ１１３と同様に、記憶されている作業者ＩＤ；「ＩＤ−ＮＡ」を取り出し、処理Ｃ１２２で読み取ったカメラＩＤ；「ＣＵ−１」および前記取り出した作業者ＩＤ；「ＩＤ−ＮＡ」を互いに紐付けて紐付け情報を生成し、この生成した紐付け情報および現在の時刻を収容する紐付け情報通知通信信号を管理サーバ装置ＳＶｂへ送信する（Ｃ１２３）。
【０１２８】
携帯端末装置ＴＡｂ−１から紐付け情報知通信信号を受信すると、管理サーバ装置ＳＶｂは、上述の処理Ｃ１１４と同様に、ＳＶ管理処理部２２３によって、携帯端末装置ＴＡｂ−１から送信されたカメラＩＤ；「ＣＵ−１」および作業者ＩＤ；「ＩＤ−ＮＡ」を管理する（Ｃ１２４）。
【０１２９】
図１３に示す例では、携帯端末装置ＴＡｂ−１から紐付け情報通知通信信号でカメラＩＤ；「ＣＵ−１」および作業者ＩＤ；「ＩＤ−ＮＡ」を受信すると、ＳＶ入出状況情報記憶部２３３に記憶されているＳＶ入出状況情報テーブルＭＴｂ−ｔ２２において、この受信したカメラＩＤ；「ＣＵ−１」をカメラＩＤフィールド２３３１に登録するレコードにおける作業者ＩＤフィールド２３３２に、前記受信した作業者ＩＤ；「ＩＤ−ＮＡ」が登録されているので、ＳＶ管理処理部２２３は、前記作業者ＩＤフィールド２３３２から、前記受信した作業者ＩＤ；「ＩＤ−ＮＡ」を削除（消去）する。これによって図１３の紙面中央に示すＳＶ入出状況情報テーブルＭＴｂ−ｔ２２からその紙面右側に示すＳＶ入出状況情報テーブルＭＴｂ−ｔ２３となり、ＳＶ入出状況情報記憶部２３３には、カメラＩＤ；「ＣＵ−１」をカメラＩＤフィールド２３３１に登録したレコードにおける作業者ＩＤフィールド２３３２に作業者ＩＤの登録の無いＳＶ入出状況情報テーブルＭＴｂ−ｔ２３が記憶される。
【０１３０】
続いて、ＳＶ入出状況情報テーブルＭＴｂ−ｔ２３が更新されると、ＳＶ管理処理部２２３は、上述の処理Ｃ１１５と同様に、前記受信した紐付け情報をＳＶ記憶部２３ｂに一時的に仮に記憶する（Ｃ１２５）。
【０１３１】
図１３に示す例では、前記作業者ＩＤフィールド２３３２に作業者ＩＤが少なくとも１つ有る状態から作業者ＩＤが１つも無くなった場合であるので、ＳＶ管理処理部２２３は、この登録から削除した作業者ＩＤの紐付け情報を収容した紐付け情報通知通信信号に収容された時刻を終了時刻として、この終了時刻を、既にＳＶ記憶部２３ｂに仮に記憶された前記互いに紐付けられた作業者ＩＤ、カメラＩＤおよび開始時刻にさらに紐付けてＳＶ記憶部２３ｂに一時的に仮に記憶する。
【０１３２】
このような動作によって撮像対象の領域に対し入退場した作業者ＮＳに関する紐付け情報が開始時刻および終了時刻と共にＳＶ記憶部２３ｂに一時的に仮に記憶され、蓄積されて行く。
【０１３３】
一方、撮像装置ＣＵｂは、カメラ１１によって撮像対象を常時撮像して画像を生成し、この生成した画像をＣＵ記憶部１４ｂに一時的に記憶し、蓄積して行く。通知タイミングになると、撮像装置ＣＵｂは、カメラ１１で生成され一時的にＣＵ記憶部１４ｂに記憶した画像（画像データ）、自機のカメラＩＤおよび撮像終了時刻として現在の時刻を収容した画像通知通信信号を生成し、この生成した画像通知通信信号を管理サーバ装置ＳＶｂへ送信する（Ｃ１３１）。
【０１３４】
撮像装置ＣＵｂから画像通知通信信号を受信すると、管理サーバ装置ＳＶｂは、画像記憶処理部２２２ｂの元画像記憶処理部２２２２によって、前記受信した画像通知通信信号に収容された前記画像（画像データ）を、自動的に割り振られた元画像ファイル名を付して元画像記憶部２３２に記憶する。そして、元画像記憶処理部２２２２は、前記元画像ファイル名と、前記受信した画像通知通信信号に収容されたカメラＩＤと、撮像終了時刻としての、前記受信した画像通知通信信号に収容された時刻とを互いに紐付けて元画像記憶部２３２に記憶する（Ｃ１３２）。
【０１３５】
そして、切出タイミングになると、管理サーバ装置ＳＶｂは、画像記憶処理部２２２ｂの画像切出記憶処理部２２２１によって、元画像から作業者ＮＳの入退場に応じた画像を切り出した前記画像を、前記第１特定情報としての作業者ＩＤに紐付けて画像記憶部２３１に記憶する（Ｃ１４１）。より具体的には、画像切出記憶処理部２２２１は、ＳＶ管理処理部２２３によってＳＶ記憶部２３ｂに一時的に仮に記憶されている前記互いに紐付けられた１組の作業者ＩＤ、カメラＩＤ、開始時刻および終了時刻を取り出し、元画像記憶部２３２から、この取り出したカメラＩＤに紐付けられ、かつ、前記取り出した開始時刻および終了時刻を含む元画像ファイル名を選定する。次に、画像切出記憶処理部２２２１は、この選定した元画像ファイル名を持つ元画像から、前記取り出した開始時刻および終了時刻に相当する部分の画像を切り出して新たな画像を生成する。次に、画像切出記憶処理部２２２１は、この切り出した前記画像に対し自動的に画像ファイル名および画像ＩＤを生成し、前記切り出した前記画像を前記生成した画像ファイル名を付して画像記憶部２３１に記憶する。そして、画像切出記憶処理部２２２１は、画像記憶部２３１に記憶されている画像情報テーブルＰＴに新たなレコードを生成し、この生成したレコードにおける画像ＩＤフィールド２３１１、開始時刻サブ「フィールド２３１２１、終了時刻サブフィールド２３１２２、画像ファイル名フィールド２３１３および作業者ＩＤフィールド２３１４それぞれに、前記生成した画像ＩＤ、前記取り出した開始時刻、前記取り出した終了時刻、前記生成した画像ファイル名、および、前記取り出した作業者ＩＤそれぞれを登録する。そして、画像切出記憶処理部２２２１は、この登録した開始時刻、終了時刻および作業者ＩＤを、これらに紐付けられたカメラＩＤと共に、ＳＶ記憶部２３ｂから消去する。画像切出記憶処理部２２２１は、このような処理を、ＳＶ管理処理部２２３によってＳＶ記憶部２３ｂに一時的に仮に記憶されている前記互いに紐付けられた１組の作業者ＩＤ、カメラＩＤ、開始時刻および終了時刻が基本的に無くなるまで（全て消去されるまで）繰り返す。
【０１３６】
このような動作によって、画像記録システムＭＳｂは、各居室ＲＭ−１〜ＲＭ−３に配置された各撮像装置ＣＵｂ−１〜ＣＵｂ−３から各元画像を収集し、各元画像から、各居室ＲＭ−１〜ＲＭ−３に対する作業者ＮＳの入退場に応じて切り出した各画像を生成し、これら各画像に作業者ＩＤを紐付けて記憶（記録）する。
【０１３７】
そして、所望（目的）の作業者ＮＳに対する画像を抽出する場合には、第１実施形態における画像記録システムＭＳａと同様に、例えば前記作業者ＮＳの上司等のオペレータは、ＳＶ入力部２４から検索キーとして前記所望の作業者ＮＳに対応する作業者ＩＤを入力し、検索開始の指示を入力し、管理サーバ装置ＳＶｂは、これに応じて画像をＳＶ出力部２５に再生表示する。これによって前記オペレータは、所望の作業者ＮＳに対する画像を参照できる。
【０１３８】
以上説明したように、第２実施形態における画像記録システムＭＳｂおよびこれに実装された画像記録方法は、所定の作業者ＮＳが撮像対象の領域（本実施形態では前記居室ＲＭ）に入場すると、前記第１および第２特定情報のうちの一方の特定情報（本実施形態では第２特定情報としてのカメラＩＤ）を読み取って他方の特定情報（本実施形態では第１特定情報としての作業者ＩＤ）に紐付けることによって前記第１および第２特定情報を互いに紐付けた紐付け情報を生成し、一方、撮像装置ＣＵｂから画像とその第２特定情報とを得る。そして、上記画像記録システムＭＳｂおよび画像記録方法は、前記画像と共に撮像装置ＣＵｂから受信した前記第２特定情報および携帯端末装置ＴＡｂから受信した紐付け情報に基づいて、前記画像を前記第１特定情報に紐付けて画像記憶部２３１に記憶する。したがって、上記画像記録システムＭＳｂおよび画像記録方法は、前記画像に紐付けられた前記第１特定情報を参照することで、所望（目的）の作業者ＮＳに対する画像をより簡単に抽出できる。このため、作業者ＮＳの上司は、前記作業者ＮＳに対する画像を参照することで、前記作業者ＮＳにおける仕事に対する手際や適切さや丁寧さ等を把握でき、前記作業者ＮＳの実態を把握した上で、前記作業者ＮＳを指導できる。
【０１３９】
次に、別の実施形態について説明する。
【０１４０】
（第３実施形態）
図１４は、前記画像記録システムにおける第３実施形態の撮像装置の構成を示す図である。
【０１４１】
これら上述の第１および第２実施形態における画像記録システムＭＳａ、ＭＳｂでは、ＩＤ装置ＲＤａ、ＲＤｂと携帯端末装置ＴＡａ、ＴＡｂとが互いに近接されることで撮像対象の領域に対する作業者ＮＳの入退場が判定されたが、第３実施形態における画像記録システムＭＳｃでは、センサで撮像対象の領域に対する作業者ＮＳの入退場が判定されるものである。このような第３実施形態における画像記録システムＭＳｃは、これら上述の第１および第２実施形態における画像記録システムＭＳａ、ＭＳｂをベースに構成できる。ここでは、一例として、第１実施形態における画像記録システムＭＳａをベースに構成した第３実施形態における画像記録システムＭＳｃについて、以下に説明する。なお、第２実施形態における画像記録システムＭＳｂをベースに第３実施形態における画像記録システムＭＳｃも以下と同様に構成できる。
【０１４２】
このような第３実施形態における画像記録システムＭＳｃは、例えば、図１示すように、第１実施形態における画像記録システムＭＳａと同様に、１または複数の撮像装置ＣＵｃ（ＣＵｃ−１〜ＣＵｃ−３）と、１または複数のＩＤ装置ＲＤｃ（ＲＤｃ−１〜ＲＤｃ−３）と、管理サーバ装置ＳＶｃと、１または複数の携帯端末装置ＴＡｃ（ＴＡｃ−１、ＴＡｃ−２）と、構内交換機ＣＸとを備え、これらは、ネットワークＮＷを介して通信可能に接続される。これら第３実施形態の画像記録システムＭＳｃにおけるＩＤ装置ＲＤｃ、管理サーバ装置ＳＶｃ、携帯端末装置ＴＡｃおよび構内交換機ＣＸは、それぞれ、第１実施形態の画像記録システムＭＳａにおけるＩＤ装置ＲＤａ、管理サーバ装置ＳＶａ、携帯端末装置ＴＡａおよび構内交換機ＣＸと同様であるので、その説明を省略する。
【０１４３】
撮像装置ＣＵｃは、第１実施形態の撮像装置ＣＵａと同様に、撮像対象に対応して設けられ、ネットワークＮＷを介して管理サーバ装置ＳＶｃと通信する通信機能等を備え、前記撮像対象を撮像して画像を生成する装置である。そして、本実施形態では、撮像装置ＣＵｃは、後述の入退場検知部１５の検知結果にさらに基づいて撮像対象の領域に対する作業者ＮＳの入出状況を管理し、予め自機の第２特定情報を持ち、前記生成した画像を前記自機の第２特定情報と共に管理サーバ装置ＳＶｃへ出力（送信）する。このような撮像装置ＣＵｃは、例えば、図１４に示すように、カメラ１１と、ＣＵ制御処理部１２ｃと、ＣＵ通信ＩＦ部１３と、ＣＵ記憶部１４ｃと、入退場検知部１５とを備え、これら第３実施形態の撮像装置ＣＵｃにおけるカメラ１１、ＣＵ通信ＩＦ部１３およびＣＵ記憶部１４ｃは、それぞれ、第１実施形態の撮像装置ＣＵａにおけるカメラ１１、ＣＵ通信ＩＦ部１３およびＣＵ記憶部１４ａと同様であるので、その説明を省略する。したがって、ＣＵ記憶部１４ｃには、ＣＵ入出状況情報記憶部１４１ａと同様のＣＵ入出状況情報記憶部１４１ｃを機能的に備える。
【０１４４】
入退場検知部１５は、ＣＵ制御処理部１２ｃに接続され、ＣＵ制御処理部１２ｃの制御に従って、撮像対象の領域に対する入退場の有無を検知するものである。入退場検知部１５は、その検知結果をＣＵ制御処理部１２ｃへ出力する。入退場検知部１５は、例えば、前記撮像対象の領域の境界（例えば前記居室ＲＭの出入口等）に、所定の高さ位置に入退場方向に沿って並置するように配設された複数の発光部と、前記複数の発光部から前記入退場方向と直交する直交方向で所定の幅（例えば人幅以上の長さや記居室ＲＭの出入口の幅等）で離間するように、かつ、前記複数の発光部それぞれから発光された各光をそれぞれ受光するように配設された複数の受光部と、前記複数の受光部それぞれの各受光結果に応じて前記撮像対象の領域に対する入退場の有無を判定する入退場判定部とを備えて構成される。このような構成では、入退場判定部は、前記複数の受光部から入場方向に沿って順次に受光出力が得られると入場と判定し、前記複数の受光部から退場方向に沿って順次に受光出力が得られると退場と判定する。
【０１４５】
なお、撮像対象の領域に対する作業者ＮＳの入場のみを管理し、撮像開始から所定の時間の経過後に、撮像を終了する場合には、入退場検知部１５は、例えば、撮像対象の領域の境界（例えば前記居室ＲＭの出入口等）に配置され、前記撮像対象の領域（例えば前記居室ＲＭ等）を検知領域とする赤外線型人感センサと、前記赤外線型人感センサの検知結果に応じて前記監視領域内への入場の有無を判定する入場判定部とを備えて構成されても良い。
【０１４６】
ＣＵ制御処理部１２ｃは、第１実施形態におけるＣＵ制御処理部１２ａと同様に、撮像装置ＣＵｃの各部１１、１３、１４ｃを当該各部の機能に応じてそれぞれ制御し、前記撮像対象を撮像して画像を生成し、この生成した画像を、管理サーバ装置ＳＶｃへ通知するための回路である。そして、ＣＵ制御処理部１２ｃは、入退場検知部１５の検知結果にさらに基づいて撮像対象の領域に対する作業者ＮＳの入出状況を管理し、前記生成した画像を管理サーバ装置ＳＶｃへ通知する際に、ＣＵ記憶部１４ｃに予め記憶された自機の第２特定情報（本実施形態ではカメラＩＤ）と共に、前記生成した画像を管理サーバ装置ＳＶｃへ通知する。ＣＵ制御処理部１２ｃは、例えば、ＣＰＵおよびその周辺回路を備えて構成される。ＣＵ制御処理部１２ｃは、そのＣＵ制御処理プログラムが実行されることによって、ＣＵ制御部１２１、生成部１２２ｃおよび撮像制御部１２３を機能的に備える。これら第３実施形態のＣＵ制御処理部１２ｃにおけるＣＵ制御部１２１および撮像制御部１２３は、それぞれ、第１実施形態のＣＵ制御処理部１２ａにおけるＣＵ制御部１２１および撮像制御部１２３と同様であるので、その説明を省略する。
【０１４７】
生成部１２２ｃは、作業者ＮＳが撮像対象の領域（本実施形態では前記居室ＲＭ）に入退場（入室、退室）する際にＩＤ装置ＲＤｃによって第１特定情報（本実施形態では作業者ＩＤ）を読み取って入退場検知部１５で入退場を検知した場合に、自機の第２特定情報（本実施形態ではカメラＩＤ）とＩＤ装置ＲＤｃによって読み取った第１特定情報とを互いに紐付けた紐付け情報を生成し、前記生成した紐付け情報を管理サーバ装置ＳＶｃへ出力（送信）するものである。
【０１４８】
本実施形態では、生成部１２２ｃは、撮像対象の領域に対する作業者ＮＳの入出状況を管理するための撮像側管理処理部（ＣＵ管理処理部）１２２１ｃと、紐付け情報を生成して送信するための通知処理部１２２２とを機能的に備える。第３実施形態の生成部１２２ｃにおける通知処理部１２２２は、第１実施形態の生成部１２２ｃにおける通知処理部１２２２と同様であるので、その説明を省略する。
【０１４９】
ＣＵ管理処理部１２２１ｃは、入退場検知部１５の検知結果に基づきＩＤ装置ＲＤｃで読み取った前記第１特定情報（本実施形態では作業者ＩＤ）を管理するものである。より具体的には、ＣＵ管理処理部１２２１ｃは、ＩＤ装置ＲＤｃで読み取ってＩＤ装置ＲＤｃから作業者ＩＤが通知された場合であって、かつ、入退場検知部１５で入場を検知した場合に、この通知された作業者ＩＤが、ＣＵ入出状況情報記憶部１４１ｃに記憶されているＣＵ入出状況情報テーブルＭＴｃの作業者ＩＤフィールド１４１１（後述の図１６参照）に登録されていない場合には、新たなレコードを生成し、この新たに生成したレコードの作業者ＩＤフィールド１４１１に前記通知された作業者ＩＤを登録する。一方、ＣＵ管理処理部１２２１ｃは、ＩＤ装置ＲＤｃで読み取ってＩＤ装置ＲＤｃから作業者ＩＤが通知された場合であって、かつ、入退場検知部１５で退場を検知した場合に、この通知された作業者ＩＤが、ＣＵ入出状況情報記憶部１４１ｃに記憶されているＣＵ入出状況情報テーブルＭＴｃの作業者ＩＤフィールド１４１１に登録されている場合には、前記通知された作業者ＩＤを登録するレコードを削除する。このようにＣＵ管理処理部１２２１ｃは、作業者ＩＤの記憶の有り無しによって、撮像対象の領域に対する作業者ＮＳの入出状況を管理する。
【０１５０】
なお、入退場検知部１５が入場のみを検知する場合には、ＩＤ装置ＲＤｃと携帯端末装置ＴＡｃとが互いに近接され、ＩＤ装置ＲＤｃから作業者ＩＤが通知された場合に、ＣＵ管理処理部１２２１ｃは、この通知された作業者ＩＤが、ＣＵ入出状況情報記憶部１４１ｃに記憶されている前記ＣＵ入出状況情報テーブルＭＴｃの作業者ＩＤフィールド１４１１に登録されている場合には、前記通知された作業者ＩＤを登録するレコードを削除すれば良い。
【０１５１】
次に、本実施形態の動作について説明する。図１５は、一例として、前記画像記録システムにおける画像記録に関する第３実施形態の動作を示すシーケンス図である。図１６は、図１５に示す動作におけるＣＵ入出状況情報テーブルの変遷を説明するための図である。図１６には、紙面左側から紙面右側へ順に、時刻ｔ３１、時刻ｔ３２、時刻ｔ３３および時刻ｔ３４それぞれの各ＣＵ入出状況情報テーブルＭＴｃ−ｔ３１、ＭＴｃ−ｔ３２、ＭＴｃ−ｔ３３、ＭＴｃ−ｔ３４が示されている。
【０１５２】
上記構成の画像記録システムＭＳｃでは、各装置ＣＵｃ、ＲＤｃ、ＳＶｃ、ＴＡｃは、電源が投入されると、必要な各部の初期化を実行し、その稼働を始める。撮像装置ＣＵｃでは、そのＣＵ制御処理プログラムの実行によって、ＣＵ制御処理部１２ｃには、ＣＵ制御部１２１、生成部１２２ｃおよび撮像制御部１２３が機能的に構成され、生成部１２２ｃには、ＣＵ管理処理部１２２１ｃおよび通知処理部１２２２が機能的に構成される。管理サーバ装置ＳＶｃおよび携帯端末装置ＴＡｃでは、第１実施形態と同様である。
【０１５３】
そして、画像記録システムＭＳｃは、次のような画像記録に関する第３実施形態の動作によって各撮像装置ＣＵｃ−１〜ＣＵｃ−３から各画像を収集し、各画像を記録する。ここで、以下の説明において、一例として、その当初では、作業者ＮＳ−１が携帯する携帯端末装置ＴＡｃ−１には、例えばログイン操作の際に、作業者ＩＤ；「ＩＤ−ＮＡ」が入力され、作業者ＩＤ；「ＩＤ−ＮＡ」が予め記憶されて、作業者ＮＳ−２が携帯する携帯端末装置ＴＡｃ−２には、例えばログイン操作の際に、作業者ＩＤ；「ＩＤ−ＮＢ」が入力され、作業者ＩＤ；「ＩＤ−ＮＢ」が予め記憶されているものとする。そして、居室ＲＭ−１には、作業者ＮＳが在室せず、ＣＵ入出状況情報記憶部１４１ｃに記憶されているＣＵ入出状況情報テーブルＭＴｃ−ｔ３１には、図１６の紙面左側に示すように、作業者ＩＤが登録（記憶）されていないものとする。
【０１５４】
図１５において、例えば看護や介護や清掃等の所定の仕事を行うために、作業者ＮＳ−１は、被監視者Ｏｂ−１の居室ＲＭ−１に入室する際に、その携行している携帯端末装置ＴＡｃ−１を、前記居室ＲＭ−１に対応して設けられたＩＤ装置ＲＤｃ−１に近接させ、作業者ＩＤを読み取らせる読み取り操作を行う（Ｃ２１１）。
【０１５５】
携帯端末装置ＴＡｃ−１とＩＤ装置ＲＤｃ−１とは、互いに近接されると、上述の処理Ｃ１２と同様に、携帯端末装置ＴＡｃ−１は、その記憶されている作業者ＩＤ；「ＩＤ−ＮＡ」をＴＡＩＦ部３７で送信し、ＩＤ装置ＲＤｃ−１は、携帯端末装置ＴＡｃ−１から送信された作業者ＩＤ；「ＩＤ−ＮＡ」を受信し、これによって作業者ＩＤ；「ＩＤ−ＮＡ」を携帯端末装置ＴＡｃ−１から読み取る（Ｃ２１２）。
【０１５６】
続いて、ＩＤ装置ＲＤｃ−１は、上述の処理Ｃ１３と同様に、携帯端末装置ＴＡｃ−１から読み取った作業者ＩＤ；「ＩＤ−ＮＡ」を、前記居室ＲＭ−１に設けられた撮像装置ＣＵｃ−１へ通知する（Ｃ２１３）。
【０１５７】
ここで、作業者ＮＳ−１は、上述のように携帯端末装置ＴＡｃ−１とＩＤ装置ＲＤｃ−１とを互いに近接させたが、例えば急な呼び出し等によって、前記居室ＲＭ−１に入室（入場）せずに、前記居室ＲＭ−１から離れると、入退場検知部１５が作業者ＮＳ−１の入場を検知せず、入退場検知部１５から入場の検知結果がＣＵ制御処理部１２ｃへ出力されない。このため、撮像装置ＣＵｃ−１は、以降の処理を行わない。このため、図１６に示す例では、ＩＤ装置ＲＤｃ−１から作業者ＩＤ；「ＩＤ−ＮＡ」の通知を受けても、図１６の紙面左側に示すＣＵ入出状況情報テーブルＭＴｃ−ｔ３１は、図１６の紙面左から２番目に示すＣＵ入出状況情報テーブルＭＴｃ−ｔ３２のように、変わらず、ＣＵ入出状況情報記憶部１４１ｃには、作業者ＩＤの登録の無いＳＵ入出状況情報テーブルＭＴｃ−ｔ３２が記憶される（ＭＴｃ−ｔ３１＝ＭＴｃ−ｔ３２）。したがって、撮像装置ＣＵｃ−１による撮像は、開始されない。なお、撮像装置ＣＵｃは、ＩＤ装置ＲＤｃから作業者ＩＤが通知されてから、予め設定された所定の時間以内（例えば５秒以内や１０秒以内等）に、入退場検知部１５から入場または退場の検知結果が通知されない場合に、今回の処理を終了しても良い。
【０１５８】
そこに、例えば所定の仕事を行うために、作業者ＮＳ−２は、被監視者Ｏｂ−１の居室ＲＭ−１に入室する際に、その携行している携帯端末装置ＴＡｃ−２を、前記居室ＲＭ−１に対応して設けられたＩＤ装置ＲＤｃ−１に近接させ、作業者ＩＤを読み取らせる読み取り操作を行う（Ｃ２２１）。
【０１５９】
携帯端末装置ＴＡｃ−２とＩＤ装置ＲＤｃ−１とは、互いに近接されると、上述の処理Ｃ１２と同様に、携帯端末装置ＴＡｃ−２は、その記憶されている作業者ＩＤ；「ＩＤ−ＮＢ」をＴＡＩＦ部３７で送信し、ＩＤ装置ＲＤｃ−１は、携帯端末装置ＴＡｃ−２から送信された作業者ＩＤ；「ＩＤ−ＮＢ」を受信し、これによって作業者ＩＤ；「ＩＤ−ＮＢ」を携帯端末装置ＴＡｃ−２から読み取る（Ｃ２２２）。
【０１６０】
続いて、ＩＤ装置ＲＤｃ−１は、上述の処理Ｃ１３と同様に、携帯端末装置ＴＡｃ−２から読み取った作業者ＩＤ；「ＩＤ−ＮＢ」を、前記居室ＲＭ−１に設けられた撮像装置ＣＵｃ−１へ通知する（Ｃ２２３）。
【０１６１】
作業者ＮＳ−２が前記居室ＲＭ−１に入室すると、入退場検知部１５は、作業者ＮＳ−２の入場を検知し、入場の検知結果をＣＵ制御処理部１１２ｃへ出力する（Ｃ２２４）。
【０１６２】
ＩＤ装置ＲＤｃ−１から作業者ＩＤ；「ＩＤ−ＮＢ」の通知を受け、かつ、入退場検知部１５から入場の検知結果を受けると、撮像装置ＣＵｃ−１は、前記居室ＲＭ−１に対する作業者ＮＳの入出状況を処理するために、ＣＵ制御処理部１２ｃにおける生成部１２２ｃのＣＵ管理処理部１２２１ｃによって、ＩＤ装置ＲＤｃ−１から通知された作業者ＩＤ；「ＩＤ−ＮＢ」を管理する（Ｃ２２５）。より具体的には、この通知された作業者ＩＤ；「ＩＤ−ＮＢ」が、ＣＵ入出状況情報記憶部１４１ｃに記憶されているＣＵ入出状況情報テーブルＭＴｃの作業者ＩＤフィールド１４１１に登録されていない場合には、ＣＵ管理処理部１２２１ｃは、新たなレコードを生成し、この新たに生成したレコードの作業者ＩＤフィールド１４１１に前記通知された作業者ＩＤ；「ＩＤ−ＮＢ」を登録する。一方、この通知された作業者ＩＤ；「ＩＤ−ＮＢ」が、ＣＵ入出状況情報記憶部１４１ｃに記憶されているＣＵ入出状況情報テーブルＭＴｃの作業者ＩＤフィールド１４１１に登録されている場合には、ＣＵ管理処理部１２２１ｃは、前記通知された作業者ＩＤ；「ＩＤ−ＮＢ」を登録するレコードを削除する。
【０１６３】
図１６に示す例では、ＩＤ装置ＲＤｃ−１から作業者ＩＤ；「ＩＤ−ＮＢ」の通知を受け、かつ、入退場検知部１５から入場の検知結果を受けると、この通知された作業者ＩＤ；「ＩＤ−ＮＢ」が、ＣＵ入出状況情報記憶部１４ｃに記憶されているＣＵ入出状況情報テーブルＭＴｃ−ｔ３２の作業者ＩＤフィールド１４１１に登録されていないので、ＣＵ管理処理部１２２１ｃは、新たなレコードを生成し、この新たに生成したレコードの作業者ＩＤフィールド１４１１に前記通知された作業者ＩＤ；「ＩＤ−ＮＢ」を登録する。これによって図１６の紙面左から２番目に示すＣＵ入出状況情報テーブルＭＴｃ−ｔ３２からその紙面右から２番目に示すＣＵ入出状況情報テーブルＭＴｃ−ｔ３３となり、ＣＵ入出状況情報記憶部１４１ｃには、作業者ＩＤ；「ＩＤ−ＮＢ」を登録したＣＵ入出状況情報テーブルＭＴｃ−ｔ３３が記憶される。
【０１６４】
続いて、ＣＵ管理処理部１２２１ｃで管理されているＣＵ入出状況情報テーブルＭＴｃ−ｔ３３に、作業者ＩＤ；「ＩＤ−ＮＢ」が有るので、撮像装置ＣＵｃ−１は、撮像を開始するために、撮像制御部１２３によって、撮像を開始させる撮像開始の指示をカメラ１１へ出力する（Ｃ２２６）。カメラ１１は、撮像制御部１２３から前記撮像開始の指示を受けると、撮像を開始し、この撮像によって生成した画像をＣＵ制御処理部１２ｃへ出力し、ＣＵ制御処理部１２ｃは、この画像をＣＵ記憶部１４ｃに一時的に記憶する。これによって撮像対象を撮像した画像（本実施形態では動画）が生成され、ＣＵ記憶部１４ｃに記憶されて行く。
【０１６５】
続いて、処理Ｃ２２５で新たに作業者ＩＤを登録したので、上述の処理Ｃ１６と同様に、撮像装置ＣＵｃ−１は、紐付き情報を通知するために、ＣＵ制御処理部１２ｃにおける生成部１２２ｃの通知処理部１２２２によって、自機のカメラＩＤ；「ＣＵ−１」とＩＤ装置ＲＤｃ−１によって読み取って通知された作業者ＩＤ；「ＩＤ−ＮＢ」とを互いに紐付けた紐付け情報を生成し、この生成した紐付け情報および撮像開始時刻としての現在の時刻を管理サーバ装置ＳＶｃへ通知する（Ｃ２２７）。
【０１６６】
撮像装置ＣＵｃ−１から紐付け情報および撮像開始時刻の通知を受けると、管理サーバ装置ＳＶｃは、上述の処理Ｃ１７と同様に、前記紐付け情報および撮像開始時刻をＳＶ記憶部２３ａに一時的に仮に記憶する（Ｃ２２８）。
【０１６７】
そして、前記仕事の終了によって、前記居室ＲＭ−１に在室している作業者ＮＳ−２は、退出する際に、その携行している携帯端末装置ＴＡｃ−２を、前記居室ＲＭ−１に対応して設けられたＩＤ装置ＲＤｃ−１に近接させ、作業者ＩＤ；「ＩＤ−ＮＢ」を読み取らせる読み取り操作を行う（Ｃ２３１）。
【０１６８】
携帯端末装置ＴＡｃ−２とＩＤ装置ＲＤｃ−１とは、互いに近接されると、上述の処理Ｃ１２と同様に、携帯端末装置ＴＡｃ−２は、その記憶されている作業者ＩＤ；「ＩＤ−ＮＢ」をＴＡＩＦ部３７で送信し、ＩＤ装置ＲＤｃ−１は、携帯端末装置ＴＡｃ−２から送信された作業者ＩＤ；「ＩＤ−ＮＢ」を受信し、これによって作業者ＩＤ；「ＩＤ−ＮＢ」を携帯端末装置ＴＡｃ−２から読み取る（Ｃ２３２）。
【０１６９】
続いて、ＩＤ装置ＲＤｃ−１は、上述の処理Ｃ１３と同様に、携帯端末装置ＴＡｃ−２から読み取った作業者ＩＤ；「ＩＤ−ＮＢ」を、前記居室ＲＭ−１に設けられた撮像装置ＣＵｃ−１へ通知する（Ｃ２３３）。
【０１７０】
作業者ＮＳ−２が前記居室ＲＭ−１から退室すると、入退場検知部１５は、作業者ＮＳ−２の退場を検知し、退場の検知結果をＣＵ制御処理部１１２ｃへ出力する（Ｃ２３４）。
【０１７１】
ＩＤ装置ＲＤｃ−１から作業者ＩＤ；「ＩＤ−ＮＢ」の通知を受け、かつ、入退場検知部１５から退場の検知結果を受けると、撮像装置ＣＵｃ−１は、前記居室ＲＭ−１に対する作業者ＮＳの入出状況を処理するために、ＣＵ制御処理部１２ｃにおける生成部１２２ｃのＣＵ管理処理部１２２１ｃによって、ＩＤ装置ＲＤｃ−１から通知された作業者ＩＤ；「ＩＤ−ＮＢ」を管理する（Ｃ２３５）。より具体的には、ここでは、図１６の紙面右から２番目に示すように、この通知された作業者ＩＤ；「ＩＤ−ＮＢ」が、ＣＵ入出状況情報記憶部１４１ｃに記憶されているＣＵ入出状況情報テーブルＭＴｃ−ｔ３３の作業者ＩＤフィールド１４１１に登録されているので、ＣＵ管理処理部１２２１ｃは、前記通知された作業者ＩＤ；「ＩＤ−ＮＢ」を登録するレコードを削除する。これによって図１６の紙面右から２番目に示すＣＵ入出状況情報テーブルＭＴｃ−ｔ３３からその紙面右側に示すＣＵ入出状況情報テーブルＭＴｃ−ｔ３４となり、ＣＵ入出状況情報記憶部１４１ｃには、作業者ＩＤ；「ＩＤ−ＮＢ」を登録したレコードが無くなって、作業者ＩＤを１つも登録しないＣＵ入出状況情報テーブルＭＴｃ−ｔ３４が記憶される。
【０１７２】
続いて、ＣＵ管理処理部１２２１ｃで管理されているＣＵ入出状況情報テーブルＭＴｃ−ｔ３４に、作業者ＩＤが無いので、撮像装置ＣＵｃ−１は、上述の処理Ｃ２５と同様に、撮像を終了するために、撮像制御部１２３によって、撮像を終了させる撮像終了の指示をカメラ１１へ出力する（Ｃ２３６）。カメラ１１は、撮像制御部１２３から前記撮像終了の指示を受けると、撮像を終了する。
【０１７３】
撮像が終了すると、撮像装置ＣＵｃ−１は、ＣＵ制御処理部１２ｃによって、ＣＵ記憶部１４ｃに一時的に記憶した前記画像を管理サーバ装置ＳＶｃへ送信する（Ｃ２３７）。より具体的には、ＣＵ制御処理部１２ｃは、ＣＵ記憶部１４ｃに一時的に記憶した前記画像、自機のカメラＩＤ、および、撮像終了時刻としての現在の時刻を収容した画像通知通信信号を管理サーバ装置ＳＶｃへ送信する。
【０１７４】
撮像装置ＣＵｃ−１から前記画像の通知を受けると、管理サーバ装置ＳＶｃは、上述の処理Ｃ２７と同様に、前記撮像装置ＣＵｃ−１からの画像を前記第１特定情報としての作業者ＩＤに紐付けて画像記憶部２３１に記憶する（Ｃ２３８）。
【０１７５】
このような動作によって、画像記録システムＭＳｃは、各居室ＲＭ−１〜ＲＭ−３に配置された各撮像装置ＣＵｃ−１〜ＣＵｃ−３から各画像を収集し、各画像に作業者ＩＤを紐付けて記憶（記録）する。
【０１７６】
そして、所望（目的）の作業者ＮＳに対する画像を抽出する場合には、第１実施形態における画像記録システムＭＳａと同様に、例えば前記作業者ＮＳの上司等のオペレータは、ＳＶ入力部２４から検索キーとして前記所望の作業者ＮＳに対応する作業者ＩＤを入力し、検索開始の指示を入力し、管理サーバ装置ＳＶｃは、これに応じて画像をＳＶ出力部２５に再生表示する。これによって前記オペレータは、所望の作業者ＮＳに対する画像を参照できる。
【０１７７】
以上説明したように、第３実施形態における画像記録システムＭＳｃおよびこれに実装された画像記録方法は、第１実施形態と同様の作用効果を奏する（第２実施形態をベースとする場合には、第２実施形態と同様の作用効果を奏する）。
【０１７８】
撮像対象の領域に来たものの、状況の変化によって他の場所に向かう必要が生じた等のために、作業者ＮＳは、ＩＤ装置ＲＤｃに前記一方の特定情報として第１特定情報（上述では作業者ＩＤ）を読み取らせたものの、当該撮像対象の領域に入場しない場合も有り得る。上記画像記録システムＭＳｃおよび画像記録方法は、入退場検知部１５をさらに備え、入退場検知部１５で入場有りを検知した場合に、前記紐付き情報を管理サーバ装置ＳＶｃへ出力する。このため、作業者ＮＳがＩＤ装置ＲＤｃに前記一方の特定情報を読み取らせたものの、当該撮像対象の領域に対し入場しなかった場合、前記紐付き情報が管理サーバ装置ＳＶｃへ出力されない。したがって、上記画像記録システムＭＳｃおよび画像記録方法は、撮像装置ＣＵｃ部からの画像に、前記第１特定情報（上述では作業者ＩＤ）を、より適切に紐付けられる。
【０１７９】
また、上述のように、作業者ＮＳは、ＩＤ装置ＲＤｃに前記一方の特定情報を読み取らせたものの、当該撮像対象の領域に入場しない場合も有り得る。一方、所定の作業が終了したと考えて、前記作業者ＮＳは、ＩＤ装置ＲＤｃに前記一方の特定情報を読み取らせたものの、作業のやり残しに気づき、当該撮像対象の領域から退場しない場合も有り得る。上記画像記録システムＭＳｃおよび画像記録方法は、入退場検知部１５をさらに備え、入退場検知部１５で入場有りを検知した場合に、前記撮像開始の指示をカメラ１１へ出力し、入退場検知部１５で退場有りを検知した場合に、前記撮像終了の指示を前記カメラ１１へ出力する。このため、作業者ＮＳがＩＤ装置ＲＤｃに前記一方の特定情報を読み取らせたものの、当該撮像対象の領域に対し入退場しなかった場合、前記撮像開始の指示や前記撮像終了の指示が行われない。したがって、上記画像記録システムＭＳｃおよび画像記録方法は、より適切に、作業者の入退場に応じて画像を記憶（記録）できる。
【０１８０】
次に、別の実施形態について説明する。
【０１８１】
（第４実施形態）
図１７は、第４実施形態における被監視者監視支援システムの構成を示す図である。図１８は、前記被監視者監視支援システムにおけるセンサ装置の構成を示す図である。図１９は、前記被監視者監視支援システムにおける管理サーバ装置の構成を示す図である。図２０は、図１９に示す前記管理サーバ装置に記憶される検知イベント付き画像情報テーブルの構成を示す図である。図２１は、前記被監視者監視支援システムにおける携帯端末装置の構成を示す図である。
【０１８２】
第４実施形態は、前記画像記録システムを、監視領域に所在する監視対象の被監視者に関わる所定のイベントを検知して通知することによって前記被監視者の監視を支援する被監視者監視支援システムに組み込んだ実施形態である。前記被監視者監視支援システムには、これら上述の第１ないし第３実施形態における画像記録システムＭＳａ〜ＭＳｃのいずれも組み込むことができる。ここでは、第１実施形態における画像記録システムＭＳａを組み込んだ被監視者監視支援システムについて、以下に、説明する。なお、第２または第３実施形態における画像記録システムＭＳｂ、ＭＳｃを組み込んだ被監視者監視支援システムも以下と同様に構成できる。
【０１８３】
このような被監視者監視支援システムＭＳｄは、監視すべき（見守るべき）監視対象（見守り対象）である被監視者（見守り対象者）Ｏｂ（Ｏｂ−１〜Ｏｂ−３）を検知して前記被監視者Ｏｂの監視を支援するものであり、例えば、図１７に示すように、１または複数のセンサ装置ＳＵ（ＳＵ−１〜ＳＵ−３）と、１または複数のＩＤ装置ＲＤｄ（ＲＤｄ−１〜ＲＤｄ−３）と、管理サーバ装置ＳＶｄと、１または複数の携帯端末装置ＴＡｄ（ＴＡｄ−１、ＴＡｄ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。これら第４実施形態の被監視者監視支援システムＭＳｄにおけるセンサ装置ＳＵ、管理サーバ装置ＳＶｄおよび携帯端末装置ＴＡｄには、それぞれ、第１実施形態における画像記録システムＭＳａにおける撮像装置ＣＵａ、管理サーバ装置ＳＶａおよび携帯端末装置ＴＡａの各構成が後述のように組み込まれている。これら第４実施形態の被監視者監視支援システムＭＳｄにおけるＩＤ装置ＲＤｄおよび構内交換機ＣＸは、第１実施形態の画像記録システムＭＳａにおけるＩＤ装置ＲＤａおよび構内交換機ＣＸと同様であるので、その説明を省略する。これら第４実施形態の被監視者監視支援システムＭＳｄにおけるセンサ装置ＳＵ、ＩＤ装置ＲＤａ、管理サーバ装置ＳＶｄ、携帯端末装置ＴＡｄおよび構内交換機ＣＸの、通信に関する接続関係は、第１実施形態と同様であるので、その説明を省略する。
【０１８４】
被監視者監視支援システムＭＳｄは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視支援システムＭＳｄは、被監視者Ｏｂの種類に応じて、病院、老人福祉施設および住戸等の建物に好適に配設される。図１７に示す例では、被監視者監視支援システムＭＳｄは、複数の被監視者Ｏｂが入居する複数の居室ＲＭや、ナースステーション等の複数の居室を備える介護施設の建物に配設されている。
【０１８５】
センサ装置ＳＵは、監視対象の被監視者Ｏｂが所在する監視領域に対応して設けられ、ネットワークＮＷを介して他の装置ＳＶｄ、ＴＡｄと通信する通信機能等を備え、被監視者Ｏｂに関わる所定のイベント（事象）を、管理サーバ装置ＳＶｄへ通知する装置である。前記所定のイベント（事象）は、好適には対処が必要な所定のイベントであり、例えば、本実施形態では、被監視者Ｏｂにおける予め設定された所定の行動およびナースコールである。このため、本実施形態では、センサ装置ＳＵは、被監視者Ｏｂにおける所定の行動を検知して検知結果を前記所定のイベントの一例として管理サーバ装置ＳＶへ通知（送信）し、ナースコールを受け付けて前記ナースコールを前記所定のイベントの他の一例として管理サーバ装置ＳＶへ通知（送信）し、携帯端末装置ＴＡｄとの間で音声通話を行い、動画を含む画像を生成して携帯端末装置ＴＡｄへ動画を配信する装置である。そして、第４実施形態では、センサ装置ＳＵは、さらに、前記監視領域を前記撮像対象の領域として第１実施形態の撮像装置ＣＵａと同様の機能を備える。このようなセンサ装置ＳＵは、例えば、図１８に示すように、カメラ４１と、センサ側音入出力部（ＳＵ音入出力部）４２と、ナースコール受付操作部４３と、センサ側制御処理部（ＳＵ制御処理部）４４と、センサ側通信インターフェース部（ＳＵ通信ＩＦ部）４５と、センサ側記憶部（ＳＵ記憶部）４６とを備える。
【０１８６】
カメラ４１およびＳＵ通信ＩＦ部４５は、それぞれ、第１実施形態におけるカメラ１１およびＣＵ通信ＩＦ部１３と同様であるので、その説明を省略する。
【０１８７】
ＳＵ音入出力部４２は、音を入出力する回路である。すなわち、ＳＵ音入出力部４２は、第１実施形態における携帯端末装置ＴＡａのＴＡ音入出力部３４と同様に、ＳＵ制御処理部４４に接続され、ＳＵ制御処理部４４の制御に従って音を表す電気信号に応じた音を生成して出力するための回路であって、外部の音を取得してセンサ装置ＳＵに入力するための回路である。
【０１８８】
ナースコール受付操作部４３は、ＳＵ制御処理部４４に接続され、ナースコールを当該センサ装置ＳＵに入力するための例えば押しボタン式スイッチ等のスイッチ回路である。なお、ナースコール受付操作部１３は、有線でＳＵ制御処理部４４に接続されて良く、また、例えばＢｌｕｅｔｏｏｔｈ（登録商標）規格等の前記近距離無線通信でＳＵ制御処理部４４に接続されて良い。
【０１８９】
ＳＵ記憶部４６は、ＳＵ制御処理部４４に接続され、ＳＵ制御処理部４４の制御に従って、各種の所定のプログラムおよび各種の所定のデータを記憶する回路である。前記各種の所定のプログラムには、例えば、所定のＳＵ制御処理プログラムが含まれ、前記ＳＵ制御処理プログラムには、例えば、センサ装置ＳＵの各部４１〜４３、４５、４６を当該各部の機能に応じてそれぞれ制御するＳＵ制御プログラムや、第１実施形態と同様な生成プログラムや、第１実施形態と同様な撮像制御プログラムや、被監視者Ｏｂに対する監視に関する所定の情報処理を実行するＳＵ監視処理プログラム等が含まれる。前記ＳＵ監視処理プログラムには、被監視者Ｏｂにおける所定の行動を検知して検知結果を前記所定のイベント（事象）の一例として管理サーバ装置ＳＶｄを介して所定の携帯端末装置ＴＡｄへ通知する行動検知処理プログラムや、ナースコール受付操作部１３でナースコールを受け付けた場合にその旨を前記所定のイベントの他の一例として管理サーバ装置ＳＶｄを介して所定の携帯端末装置ＴＡｄへ通知し、ＳＵ音入出力部４２等を用いることで携帯端末装置ＴＡｄとの間で音声通話を行うナースコール処理プログラムや、カメラ１１で生成した動画を、その動画を要求した携帯端末装置ＴＡｄへストリーミングで配信するＳＵストリーミング処理プログラム等が含まれる。前記各種の所定のデータには、自機の第２特定情報（本実施形態ではカメラＩＤ（センサＩＤ））、管理サーバ装置ＳＶｄの通信アドレス、および、監視領域（撮像対象の領域）に対する作業者ＮＳの入出状況を表すＳＵ入出状況情報等の、各プログラムを実行する上で必要なデータ等が含まれる。ＳＵ記憶部４６は、例えばＲＯＭやＥＥＰＲＯＭやＲＡＭ等を備える。ＳＵ記憶部４６は、前記ＳＵ入出状況情報を記憶するセンサ側入出状況情報記憶部（ＳＵ入出状況情報記憶部）４６１を機能的に備える。このＳＵ入出状況情報記憶部４６１は、第１実施形態のＣＵ入出状況情報記憶部１４１ａと同様であるので、その説明を省略する。
【０１９０】
ＳＵ制御処理部４４は、センサ装置ＳＵの各部４１〜４３、４５、４６を当該各部の機能に応じてそれぞれ制御し、被監視者Ｏｂに関わる所定のイベント（事象）を、管理サーバ装置ＳＶｄへ通知するための回路である。より具体的には、本実施形態では、ＳＵ制御処理部４４は、被監視者Ｏｂにおける所定の行動を検知してその検知結果を前記所定のイベントの一例として管理サーバ装置ＳＶｄへ通知（報知、送信）し、ナースコールを受け付けてそのナースコールを前記所定のイベントの他の一例として管理サーバ装置ＳＶｄへ通知（報知、送信）し、携帯端末装置ＴＡｄとの間で音声通話を行い、動画を含む画像を生成して携帯端末装置ＴＡｄへ動画を配信する。そして、第４実施形態では、ＳＵ制御処理部４４は、さらに、第１実施形態のＣＵ制御処理部１２ａと同様にも機能する。ＳＵ制御処理部４４は、例えば、ＣＰＵよびその周辺回路を備えて構成される。ＳＵ制御処理部４４は、そのＳＵ制御処理プログラムが実行されることによって、センサ側制御部（ＳＵ制御部）４４１、生成部４４２、撮像制御部４４３、行動検知処理部４４４、ナースコール処理部４４５およびセンサ側ストリーミング処理部（ＳＵストリーミング処理部）４４６を機能的に備え、生成部４４２は、ＳＵ管理処理部４４２１および通知処理部４４２２を機能的に備える。生成部４４２および撮像制御部４４３は、それぞれ。第１実施形態における生成部１２２ａおよび撮像制御部１２３と同様であり、ＳＵ管理処理部４４２１および通知処理部４４２２は、第１実施形態におけるＣＵ管理処理部１２２１ａおよび通知処理部１２２２と同様であるので、その説明を省略する。
【０１９１】
ＳＵ制御部４４１は、センサ装置ＳＵの各部４１〜４３、４５、４６を当該各部の機能に応じてそれぞれ制御し、センサ装置ＳＵの全体制御を司るものである。ＳＵ制御部４４１は、年月日時分秒で計時する。
【０１９２】
行動検知処理部４４４は、被監視者Ｏｂにおける、予め設定された所定の行動を検知して検知結果を前記所定のイベントの一例として管理サーバ装置ＳＶｄへ通知するものである。より具体的には、本実施形態では、前記所定の行動は、例えば、被監視者Ｏｂが起きた起床、被監視者Ｏｂが寝具から離れた離床、被監視者Ｏｂが寝具から落ちた転落、および、被監視者Ｏｂが倒れた転倒の４つの行動である。そして、行動検知処理部４４４は、例えば、カメラ１１で撮像した画像（対象画像）に基づいて被監視者Ｏｂの頭部を検出し、この検出した被監視者Ｏｂの頭部における大きさの時間変化に基づいて被監視者Ｏｂの起床、離床、転倒および転落を検知する。より詳しくは、まず、寝具ＢＤの所在領域および第１ないし第３閾値Ｔｈ１〜Ｔｈ３が前記各種の所定のデータの１つとして予めＳＵ記憶部４６に記憶される。前記第１閾値Ｔｈ１は、寝具ＢＤの所在領域内における横臥姿勢の頭部の大きさと座位姿勢の頭部の大きさとを識別するための閾値である。前記第２閾値Ｔｈ２は、寝具ＢＤの所在領域を除く居室ＲＭ内における立位姿勢の頭部の大きさであるか否かを識別するための閾値である。前記第３閾値Ｔｈ３は、寝具ＢＤの所在領域を除く居室ＲＭ内における横臥姿勢の頭部の大きさであるか否かを識別するための閾値である。そして、行動検知処理部４４４は、まず、対象画像から例えば背景差分法やフレーム差分法によって被監視者Ｏｂの人物の領域として動体領域を抽出する。次に、行動検知処理部４４４は、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出する。そして、行動検知処理部４４４は、この抽出した頭部の位置および大きさから起床、離床、転倒および転落を検知する。例えば、行動検知処理部４４４は、この抽出した頭部の位置が寝具ＢＤの所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、行動検知処理部４４４は、この抽出した頭部の位置が寝具ＢＤの所在領域内から寝具の所在領域外へ時間変化した場合であって、前記抽出した頭部の大きさが前記第２閾値Ｔｈ２を用いることによって或る大きさから立位姿勢の大きさへ時間変化した場合には、離床と判定し、前記離床を検知する。例えば、行動検知処理部４４４は、この抽出した頭部の位置が寝具ＢＤの所在領域内から寝具ＢＤの所在領域外へ時間変化した場合であって、前記抽出した頭部の大きさが前記第３閾値Ｔｈ３を用いることによって或る大きさから横臥姿勢の大きさへ時間変化した場合には、転落と判定し、前記転落を検知する。例えば、行動検知処理部４４４は、この抽出した頭部の位置が寝具ＢＤの所在領域を除く居室ＲＭ内であって、前記抽出した頭部の大きさが前記第３閾値Ｔｈ３を用いることによって或る大きさから横臥姿勢の大きさへ時間変化した場合には、転倒と判定し、前記転倒を検知する。
【０１９３】
このように前記所定の行動を検知すると、行動検知処理部４４４は、被監視者Ｏｂに関わる所定のイベント（事象）の内容を表すイベント情報（事象情報）を収容した、前記イベントを通知するための通信信号（第１イベント通知通信信号）をＳＵ通信ＩＦ部４５で管理サーバ装置ＳＶｄへ通知する。より詳しくは、行動検知処理部４４４は、自機のカメラＩＤ、前記イベントの内容を表すイベント情報、前記所定の行動の検知に用いられた対象画像を収容した第１イベント通知通信信号を、ＳＵ通信ＩＦ部４５を介して管理サーバ装置ＳＶｄへ送信する。前記イベント情報は、イベントの種別で表され、本実施形態では、起床、離床、転落、転倒およびナースコール（ＮＣ）のうちの１または複数であり、ここでは、行動検知処理部１４２は、検知した起床、離床、転落および転倒のうちの１または複数を前記イベント情報として第１イベント通知通信信号に収容する。前記画像は、静止画および動画のうちの少なくとも一方であって良く、本実施形態では、まず、静止画が報知され、作業者の要求に応じて動画が配信される。
【０１９４】
ナースコール処理部４４５は、ナースコール受付操作部４３でナースコールを受け付けた場合にその旨を前記所定のイベントの他の一例として収容した第１イベント通知通信信号を管理サーバ装置ＳＶｄへ通知し、ＳＵ音入出力部４２等を用いることで携帯端末装置ＴＡｄとの間で音声通話を行うものである。より具体的には、ナースコール処理部４４５は、ナースコール受付操作部４３が入力操作されると、自機のカメラＩＤおよび前記イベント情報としてナースコールを収容した第１イベント通知通信信号をＳＵ通信ＩＦ部４５を介して管理サーバ装置ＳＶｄへ送信する。そして、ナースコール処理部４４５は、ＳＵ音入出力部４２等を用い、携帯端末装置ＴＡｄとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【０１９５】
ＳＵストリーミング処理部４４６は、ＳＵ通信ＩＦ部４６を介して携帯端末装置ＴＡｄから動画の配信の要求があった場合に、この要求のあった携帯端末装置ＴＡｄへ、カメラ１１で生成した動画（例えばライブの動画）をストリーミング再生でＳＵ通信ＩＦ部４５を介して配信するものである。
【０１９６】
図１には、一例として、第１ないし第３センサ装置ＳＵ−１〜ＳＵ−３が示されており、第１センサ装置ＳＵ−１は、第１ＩＤ装置ＲＤｄ−１と共に、被監視者Ｏｂの一人であるＡさんＯｂ−１の居室ＲＭ−１（不図示）に配設され、第２センサ装置ＳＵ−２は、第２ＩＤ装置ＲＤｄ−２と共に、被監視者Ｏｂの一人であるＢさんＯｂ−２の居室ＲＭ−２（不図示）に配設され、そして、第３センサ装置ＳＵ−３は、第３ＩＤ装置ＲＤｄ−３と共に、被監視者Ｏｂの一人であるＣさんＯｂ−３の居室ＲＭ−３（不図示）に配設されている。
【０１９７】
管理サーバ装置ＳＶｄは、ネットワークＮＷを介して他の装置ＳＵ、ＴＡｄと通信する通信機能を備え、センサ装置ＳＵから前記所定のイベントの通知を受けると、被監視者Ｏｂに対する監視に関する情報（監視情報（本実施形態では例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等））を管理し、前記所定のイベントを所定の携帯端末装置ＴＡｄへ通知（再通知、再報知、送信）し、クライアント（本実施形態では携帯端末装置ＴＡｄ等）の要求に応じたデータを前記クライアントに提供し、被監視者監視支援システムＭＳｄ全体を管理する装置である。そして、第４実施形態では、管理サーバ装置ＳＶｄは、前記画像にさらに直近にセンサ装置ＳＵで検知したイベントに紐付ける点を除き、第１実施形態の管理サーバ装置ＳＶａと同様の機能を備える。このような管理サーバ装置ＳＶｄは、例えば、図１９に示すように、ＳＶ通信ＩＦ部２１と、ＳＶ制御処理部２２ｄと、ＳＶ記憶部２３ｃと、ＳＶ入力部２４と、ＳＶ出力部２５と、ＳＶＩＦ部２６とを備える。これら第４実施形態の管理サーバ装置ＳＶｄにおけるＳＶ通信ＩＦ部２１、ＳＶ入力部２４、ＳＶ出力部２５、ＳＶＩＦ部２６は、それぞれ、第１実施形態の管理サーバ装置ＳＶａにおけるＳＶ通信ＩＦ部２１、ＳＶ入力部２４、ＳＶ出力部２５、ＳＶＩＦ部２６と同様であるので、その説明を省略する。
【０１９８】
ＳＶ記憶部２３ｄは、ＳＶ制御処理部２２ｄに接続され、ＳＶ制御処理部２２ｄの制御に従って、各種の所定のプログラムおよび各種の所定のデータを記憶する回路である。前記各種の所定のプログラムには、例えば、所定のＳＶ制御処理プログラムが含まれ、前記ＳＶ制御処理プログラムには、管理サーバ装置ＳＶｄの各部２１、２３ｄ、２４〜２６を当該各部の機能に応じてそれぞれ制御するＳＶ制御プログラムや、センサ装置ＳＵで生成された画像を後述の画像記憶部２３１ｄに記憶させる画像記憶処理プログラムや、被監視者Ｏｂに対する監視に関する所定の情報処理を実行するＳＶ監視処理プログラム等が含まれる。前記各種の所定のデータには、自機のサーバＩＤや、撮像装置ＣＵａとしてのセンサ装置ＳＵで生成され受信した前記画像（画像データ）や、被監視者Ｏｂの前記監視情報や、前記所定のイベントの通知先等の装置ＳＵ、ＴＡｄ間の情報を表す装置間情報や、センサ装置ＳＵに関するセンサ情報等の各プログラムを実行する上で必要なデータ等が含まれる。ＳＶ記憶部２３ｄは、例えばＲＯＭやＥＥＰＲＯＭやＲＡＭ等を備え、必要に応じてＨＤＤをさらに備えても良い。そして、前記画像、前記監視情報、前記装置間情報および前記センサ情報それぞれを記憶するために、ＳＶ記憶部２３ｄは、画像記憶部２３１、サーバ側監視情報記憶部（ＳＶ監視情報記憶部）２３４、装置間情報記憶部２３５およびセンサ情報記憶部２３６を機能的に備える。
【０１９９】
画像記憶部２３１ｄは、第１実施形態と同様に、撮像装置ＣＵａとしてのセンサ装置ＳＵからの画像を第１特定情報（本実施形態では作業者ＩＤ）に紐付けて記憶するものである。さらに、第４実施形態では、画像記憶部２３１ｄは、前記画像に、直近にセンサ装置ＳＵで検知したイベント情報を紐付けて記憶する。より具体的には、互いに紐付けられた１組の前記画像、前記作業者ＩＤおよび前記イベント情報は、テーブル形式で画像記憶部２３１ｄに記憶される。互いに紐付けられた１組の前記画像、前記作業者ＩＤおよび前記イベント情報を登録する検知イベント付き画像情報テーブルＩＴは、例えば、図２０に示すように、前記画像ＩＤを登録する画像ＩＤフィールド２３１１と、イベントを検知したイベント検知時刻を登録するイベント検知時刻フィールド２３１５と、イベント情報を登録するイベント種別フィールド２３１６と、記録時刻を登録する記録時刻フィールド２３１２と、画像ファイル名を登録する画像ファイル名フィールド２３１３と、部屋名を登録する部屋名フィールド２３１７と、作業者ＩＤを登録する作業者ＩＤフィールド２３１４とを備え、前記画像ごとに（前記１組ごとに）、さらに、イベントの通知ごとにレコードを持つ。すなわち、この検知イベント付き画像情報テーブルＩＴは、上述の図４に示す画像情報テーブルＰＴに、さらに、イベント検知時刻フィールド２３１５、イベント種別フィールド２３１６および部屋名フィールド２３１７を備える。
【０２００】
ＳＶ監視情報記憶部２３４は、各装置ＳＵ、ＴＡｄそれぞれとの間で送受信した被監視者Ｏｂの監視情報を記憶するものである。より具体的には、ＳＶ監視情報記憶部２３４には、本実施形態では、前記監視情報として、第１イベント通知通信信号等の通信信号に収容された各情報に基づいて、カメラＩＤ、イベント情報（事象情報、本実施形態では起床、離床、転落、転倒およびナースコール）、受信時刻、対象画像（静止画および動画）および対処の有無（対応の受付の有無）等が互いに対応付けて記憶される。
【０２０１】
装置間情報記憶部２３５は、前記装置間情報として、本実施形態では、通知先対応関係情報および通信アドレス対応関係情報等を記憶するものである。前記通知先対応関係情報は、センサ装置ＳＵから送信された第１イベント通知通信信号等の通知先（再通知先、再報知先、送信先）を示す、送信元であるカメラＩＤと通知先（再通知先）である端末ＩＤとの対応関係を表す情報である。前記通信アドレス対応関係情報は、各装置ＳＵ、ＴＡｄのＩＤ（センサＩＤ、端末ＩＤ）とその通信アドレスとの対応関係を表す情報である。端末ＩＤは、携帯端末装置ＴＡｄを特定し携帯端末装置ＴＡｄを識別するための端末識別子である。
【０２０２】
センサ情報記憶部２３６は、センサ装置ＳＵに関する情報であるセンサ情報を記憶するものである。本実施形態では、前記センサ情報は、例えば、センサ装置ＳＵのカメラＩＤと、前記センサ装置ＳＵの配設場所（前記監視領域、前記撮像対象の領域）と、前記センサ装置ＳＵの配設場所に所在する被監視者Ｏｂの被監視者名とを互いに対応付けた情報である。前記センサ装置ＳＵの配設場所は、例えば部屋名（居室名）で表される。
【０２０３】
ＳＶ制御処理部２２ｄは、管理サーバ装置ＳＶｄの各部２１、２３ｄ、２４〜２６を当該各部の機能に応じてそれぞれ制御し、センサ装置ＳＵから前記所定のイベントの通知を受けると、被監視者Ｏｂに対する監視に関する監視情報を管理し、前記所定のイベントを所定の携帯端末装置ＴＡｄへ通知し、クライアントの要求に応じたデータを前記クライアントに提供するための回路である。そして、第４実施形態では、ＳＶ制御処理部２２ｄは、前記画像にさらに直近にセンサ装置ＳＵで検知したイベントに紐付ける点を除き、第１実施形態のＳＶ制御処理部２２ａと同様に機能する。ＳＶ制御処理部２２ｄは、例えば、ＣＰＵおよびその周辺回路を備えて構成される。ＳＶ制御処理部２２ｄは、そのＳＶ制御処理プログラムが実行されることによって、ＳＶ制御部２２１、画像記憶処理部２２２ｄおよびサーバ側監視処理部（ＳＶ監視処理部）２２３を機能的に備える。
【０２０４】
ＳＶ制御部２２１は、管理サーバ装置ＳＶｄの各部２１、２３ｄ、２４〜２６を当該各部の機能に応じてそれぞれ制御し、管理サーバ装置ＳＶｄの全体制御を司るものである。ＳＶ制御部２２１は、年月日時分秒で計時する。
【０２０５】
ＳＶ監視処理部２２４は、センサ装置ＳＵから前記所定のイベントの通知を受信すると被監視者Ｏｂに対する監視に関する監視情報を管理し、前記所定のイベントを所定の携帯端末装置ＴＡｄへ通知するものである。
【０２０６】
より具体的には、ＳＶ監視処理部２２４は、センサ装置ＳＵから前記第１イベント通知通信信号を受信すると、この受信した第１イベント通知通信信号に収容された、被監視者Ｏｂに対する監視に関する監視情報をＳＶ監視情報記憶部２３４に記憶（記録）する。ＳＶ監視処理部２２２は、この受信した第１イベント通知通信信号を送信したセンサ装置ＳＵに対応する通知先（再通知先、転送先、送信先）を、装置間情報記憶部２３５に記憶された前記通知先対応関係情報から選定（検索）し、選定結果に基づき第２イベント通知通信信号を生成し、前記生成した前記第２イベント通知通信信号をＳＶ通信ＩＦ部２１で送信する。前記第１イベント通知通信信号に収容されたイベント情報が前記所定の行動（起床、離床、転落および転倒のうちの１または複数）である場合には、前記第２イベント通知通信信号には、第１イベント通知通信信号に収容されたカメラＩＤ、イベント情報および対象画像、ならびに、動画のダウンロード先として、第１イベント通知通信信号に収容されたカメラＩＤを持つセンサ装置ＳＵに対応する通信アドレスが収容される。この通信アドレスは、前記受信した第１イベント通知通信信号を送信したセンサ装置ＳＵに対応するカメラＩＤに基づいて通信アドレス対応関係情報から選定（検索）される。前記第１イベント通知通信信号に収容されたイベント情報が前記ナースコールである場合には、前記第２イベント通知通信信号には、第１イベント通知通信信号に収容されたカメラＩＤおよびイベント情報（ここではナースコール）が収容される。
【０２０７】
画像記憶処理部２２２ｄは、撮像装置ＣＵａとしてのセンサ装置ＳＵで生成された画像を画像記憶部２３１ｄに記憶させるものである。画像記憶処理部２２２ｄは、第１実施形態の画像記憶処理部２２２ａと同様に、前記画像を記憶する際に、前記画像と共にセンサ装置ＳＵから受信した前記第２特定情報（本実施形態ではカメラＩＤ）およびセンサ装置ＳＵから受信した紐付け情報に基づいて、前記画像を前記第１特定情報（本実施形態では作業者ＩＤ）に紐付けて画像記憶部２３１ｄに記憶する。そして、第４実施形態では、画像記憶処理部２２２ｄは、前記画像にさらに直近にセンサ装置ＳＵで検知したイベントに紐付ける。
【０２０８】
より具体的には、画像記憶処理部２２２ｄは、センサ装置ＳＵから前記第１イベント通知通信信号を受信すると、まず、現在の時刻をイベント検知時刻とし、前記受信した第１イベント通知通信信号に収容されたカメラＩＤ、イベント情報および対象画像を取り出す。なお、センサ装置ＳＵが第１イベント通知通信信号にイベント検知時刻を収容する場合には、このイベント検知時刻が用いられても良い。次に、画像記憶処理部２２２ｄは、前記カメラＩＤを、センサ情報記憶部２３６に記憶されたセンサ情報に基づいて部屋名に変換する。なお、カメラＩＤとして部屋名が利用されている場合には、この処理は省略される。次に、画像記憶処理部２２２ｄは、前記対象画像に、画像ファイル名を付して画像記憶部２３１ｄに記憶する。この画像ファイル名は、任意であって良いが、画像通知通信信号に収容された前記画像に付される画像ファイル名と通番であって良い。次に、画像記憶処理部２２２ｄは、画像通知通信信号の受信の際に生成される画像ＩＤと通番で画像ＩＤを生成する。次に、画像記憶処理部２２２ｄは、画像記憶部２３１ｄに記憶されている検知イベント付き画像情報テーブルＩＴに新たなレコードを生成し、この生成したレコードにおける画像ＩＤフィールド２３１１、イベント検知時刻フィールド２３１５、イベント種別フィールド２３１６、画像ファイル名フィールド２３１３および部屋名フィールド２３１７それぞれに、前記画像ＩＤ、前記イベント検知時刻、前記画像ファイル名および前記部屋名それぞれを登録する。
【０２０９】
なお、上述の処理は、ＳＶ監視処理部２２４が前記第１イベント通知通信信号で通知された前記監視情報をＳＶ監視情報記憶部２３４に記憶した後に、ＳＶ監視情報記憶部２３４に記憶された前記監視情報から、画像記憶処理部２２２ｄが検知イベント付き画像情報テーブルＩＴへ転記しても良い。あるいは、上述の処理は、画像記憶処理部２２２ｄに替え、ＳＶ監視処理部２２４が実行しても良い。
【０２１０】
そして、画像記憶処理部２２２ｄは、センサ装置ＳＵから前記画像通知通信信号を受信すると、前記画像にさらに直近にセンサ装置ＳＵで検知したイベントに紐付ける点を除き、第１実施形態の画像記憶処理部２２２ａと同様に機能する。すなわち、センサ装置ＳＵから前記画像通知通信信号を受信すると、画像記憶処理部２２２ｄは、第１実施形態の画像記憶処理部２２２ａと同様に、画像記憶部２３１ｄに記憶されている検知イベント付き画像情報テーブルＩＴに新たに生成したレコードにおける各フィールド２３１１、２３１２１、２３１２２、２３１３、２３１４に各データを登録するが、この際に、この新たに生成したレコードにおけるイベント種別フィールド２３１６に、前記受信した画像通知通信信号に収容されたカメラＩＤと同一のカメラＩＤを収容した第１イベント通知通信信号であって、かつ、前記受信した画像通知通信信号に最も時間的に近い時刻に受信した前記第１イベント通知通信信号に収容されたイベント情報を登録する。例えば、図２０に示す検知イベント付き画像情報テーブルＩＴでは、２行目のレコードにおけるイベント種別フィールド２３１６には、これに直近の１行目のレコードにおけるイベント種別フィールド２３１６に登録されているイベント情報；「転倒」が登録される。
【０２１１】
携帯端末装置ＴＡｄは、ネットワークＮＷを介して他の装置ＳＶｄ、ＳＵと通信する通信機能、所定の情報を表示する表示機能、所定の指示やデータを入力する入力機能、および、音声通話を行う通話機能等を備え、管理サーバ装置ＳＶｄやセンサ装置ＳＵに与える所定の指示やデータを入力したり、管理サーバ装置ＳＶｄからの通知によってセンサ装置ＳＵで得られた前記監視情報を表示したり、センサ装置ＳＵとの間で音声通話によってナースコールの応答や声かけしたり等するための機器である。そして、第４実施形態では、携帯端末装置ＴＡｄは、第１実施形態の携帯端末装置ＴＡａと同様の機能を備える。このような携帯端末装置ＴＡｄは、本実施形態では、例えば、図２１に示すように、ＴＡ通信ＩＦ部３１と、ＴＡ制御処理部３２ｄと、ＴＡ記憶部３３ｄと、ＴＡ音入出力部３４と、ＴＡ入力部３５と、ＴＡ表示部３６と、ＴＡＩＦ部３７とを備える。これら第４実施形態の携帯端末装置ＴＡｄにおけるＴＡ通信ＩＦ部３１、ＴＡ音入出力部３４、ＴＡ入力部３５、ＴＡ表示部３６およびＴＡＩＦ部３７は、それぞれ、第１実施形態の携帯端末装置ＴＡａにおけるＴＡ通信ＩＦ部３１、ＴＡ音入出力部３４、ＴＡ入力部３５、ＴＡ表示部３６およびＴＡＩＦ部３７と同様であるので、その説明を省略する。第４実施形態の携帯端末装置ＴＡｄにおけるＴＡ記憶部３３ｄは、ＴＡ制御処理プログラムに含まれる１つのプログラムとして、被監視者Ｏｂに対する監視に関する所定の情報処理を実行するＴＡ監視処理プログラム、ＴＡ音入出力部３４等を用いることでセンサ装置ＳＵとの間で音声通話を行う通話処理プログラム、センサ装置ＳＵから動画の配信を受け、前記配信を受けた動画をストリーミング再生でＴＡ表示部３６に表示するＴＡストリーミング処理プログラム、および、管理サーバ装置ＳＶｄから第２イベント通知通信信号で受信した監視情報をさらに記憶する点を除いて、第１実施形態の携帯端末装置ＴＡａにおけるＴＡ記憶部３３ａと同様であるので、その説明を省略する。
【０２１２】
ＴＡ制御処理部３２ｄは、携帯端末装置ＴＡｄの各部３１、３３ｄ、３４〜３７を当該各部の機能に応じてそれぞれ制御し、被監視者Ｏｂの前記監視情報を受けて表示し、ナースコールの応答や声かけするための回路である。そして、第４実施形態では、ＴＡ制御処理部３２ｄは、第１実施形態のＴＡ制御処理部３２ａと同様に機能する。ＴＡ制御処理部３２ｄは、例えば、ＣＰＵおよびその周辺回路を備えて構成される。ＴＡ制御処理部３２ｄは、そのＴＡ制御処理プログラムが実行されることによって、ＴＡ制御部３２１、作業者ＩＤ情報出力処理部３２２、端末側監視処理部（ＴＡ監視処理部）３２３、通知処理部３２４および端末側ストリーミング処理部（ＴＡストリーミング処理部）３２５を機能的に備える。この作業者ＩＤ情報出力処理部３２２は、第１実施形態と同様であるので、その説明を省略する。
【０２１３】
ＴＡ制御部３２１は、携帯端末装置ＴＡｄの各部３１、３３ｄ、３４〜３７を当該各部の機能に応じてそれぞれ制御し、携帯端末装置ＴＡｄの全体制御を司るものである。ＴＡ制御部３２１は、年月日時分秒で計時する。
【０２１４】
ＴＡ監視処理部３２４は、被監視者Ｏｂに対する監視に関する所定の情報処理を実行するものである。より具体的には、ＴＡ監視処理部３２４は、センサ装置ＳＵによって送信された第１イベント通知通信信号、に起因して管理サーバ装置ＳＶｄによって送信された第２イベント通知通信信号を受信した場合に、この受信した第２イベント通知通信信号に収容された各情報（各データ）に基づき、被監視者Ｏｂの監視情報をＴＡ記憶部３３ｄに記憶（記録）する。ＴＡ監視処理部３２４は、この受信した第２イベント通知通信信号に収容された各情報に応じた画面をＴＡ表示部３６に表示する。そして、ＴＡ監視処理部３２４は、ＴＡ入力部３５から所定の入力操作を受け付けると、その入力操作に応じた所定の処理を実行する。
【０２１５】
通話処理部３２５は、ＴＡ音入出力部３４等を用いることでセンサ装置ＳＵとの間で音声通話を行うものである。より具体的には、例えば、通話処理部３２５は、ＴＡ音入出力部３４等を用い、第２イベント通知通信信号の送信の原因となった第１イベント通知通信信号を管理サーバ装置ＳＶｄへ送信した送信元のセンサ装置ＳＵとの間で例えばＶｏＩＰによって音声通話を行う。
【０２１６】
ＴＡストリーミング処理部３２６は、センサ装置ＳＵから動画の配信を受け、前記配信を受けた動画をストリーミング再生でＴＡ表示部３６に表示するものである。
【０２１７】
次に、本実施形態の動作について説明する。図２２は、一例として、前記被監視者監視支援システムにおけるイベントの検知および画像記録に関する動作を示すシーケンス図である。図２３は、前記携帯端末装置に表示される待受け画面の一例を示す図である。図２４は、前記携帯端末装置に表示される監視情報画面の一例を示す図である。図２５は、前記携帯端末装置に表示されるナースコール受付画面の一例を示す図である。図２６は、前記被監視者監視支援システムにおいて、前記管理サーバ装置に表示される、複数の画像ファイルの中から所望の作業者に対する画像を抽出した抽出結果を表示する抽出結果表示画面の一例を示す図である。図２７は、前記被監視者監視支援システムにおいて、前記管理サーバ装置に表示される、複数の画像ファイルの中から所望の検知結果に対する画像を抽出した抽出結果を表示する抽出結果表示画面の他の一例を示す図である。
【０２１８】
上記構成の被監視者監視支援システムＭＳｄでは、各装置ＳＵ、ＲＤｄ、ＳＶｄ、ＴＡｄは、電源が投入されると、必要な各部の初期化を実行し、その稼働を始める。センサ装置ＳＵでは、そのＳＵ制御処理プログラムの実行によって、ＳＵ制御処理部４４には、ＳＵ制御部４４１、生成部４４２、撮像制御部４４３、行動検知処理部４４４、ナースコール処理部４４５およびＳＵストリーミング処理部４４６が機能的に構成され、生成部４４２には、ＳＵ管理処理部４４２１および通知処理部４４２２が機能的に構成される。管理サーバ装置ＳＶｄでは、そのＳＶ制御処理プログラムの実行によって、ＳＶ制御処理部２２ｄには、ＳＶ制御部２２１、画像記憶処理部２２２ｄおよびＳＶ監視処理部２２４が機能的に構成される。そして、携帯端末装置ＴＡｄでは、そのＴＡ制御処理プログラムの実行によって、ＴＡ制御処理部３２ｄには、ＴＡ制御部３２１、作業者ＩＤ情報出力処理部３２２、ＴＡ監視処理部３２４、通知処理部３２４およびＴＡストリーミング処理部３２６が機能的に構成される。
【０２１９】
そして、イベントの検知では、まず、図２２において、センサ装置ＳＵは、所定のイベントを検知すると（Ｃ３１１）、前記所定のイベントを通知するために、第１イベント通知通信信号を管理サーバ装置ＳＶｄへ送信する（Ｃ３１２）。
【０２２０】
より具体的には、センサ装置ＳＵは、各フレームごとに、あるいは、数フレームおきに、次のように動作することで、被監視者Ｏｂにおける所定のイベントを検知し、第１イベント通知通信信号を管理サーバ装置ＳＶｄへ送信している。まず、センサ装置ＳＵは、カメラ１１から１フレーム分の画像（画像データ）を対象画像として取得し、この取得した対象画像に基づいて被監視者Ｏｂにおける所定の行動を検知し、前記所定の行動を検知すると、その検知結果を所定の携帯端末装置ＴＡｄへ通知するために、前記イベント情報として検知した前記所定の行動を収容した、前記所定の行動の検知にかかる第１イベント通知通信信号を、管理サーバ装置ＳＶｄへ送信する。このように動作している間に、センサ装置ＳＵは、ナースコールを受け付けているか否かを判定し、ナースコールを受け付けると、そのナースコールの受付を所定の携帯端末装置ＴＡｄへ通知するために、センサ装置ＳＵは、前記イベント情報として前記受け付けたナースコールを収容した、前記ナースコールの受付にかかる第１イベント通知通信信号を、管理サーバ装置ＳＶｄへ送信する。
【０２２１】
第１イベント通知通信信号をセンサ装置ＳＵから受信すると、管理サーバ装置ＳＶｄは、ＳＶ制御処理部２２ｄのＳＶ監視処理部２２４によって、この受信した第１イベント通知通信信号に収容された、被監視者Ｏｂに対する監視に関する監視情報をＳＶ監視情報記憶部２３４に記憶（記録）する。そして、管理サーバ装置ＳＶｄは、ＳＶ制御処理部２２ｄの画像記憶処理部２２２ｄによって、前記受信した第１イベント通知通信信号に収容された各情報（各データ）に基づき、画像記憶部２３１に記憶されている検知イベント付き画像情報テーブルＩＴに新たに生成したレコードにおける画像ＩＤフィールド２３１１、イベント検知時刻フィールド２３１５、イベント種別フィールド２３１６、画像ファイル名フィールド２３１３および部屋名フィールド２３１７それぞれに、前記画像ＩＤ、前記イベント検知時刻、前記画像ファイル名および前記部屋名それぞれを登録する（Ｃ３１３）。
【０２２２】
続いて、管理サーバ装置ＳＶｄは、ＳＶ制御処理部２２ｄのＳＶ監視処理部２２４によって、前記受信した第１イベント通知通信信号に応じた第２イベント通知通信信号を生成し、この生成した第２イベント通知通信信号をＳＶ通信ＩＦ部２１で所定の携帯端末装置ＴＡｄへ送信する（Ｃ３１４）。
【０２２３】
第２イベント通知通信信号を管理サーバ装置ＳＶｄから受信すると、携帯端末装置ＴＡｄは、前記受信した第２イベント通知通信信号に収容された各情報（各データ）に基づき、被監視者Ｏｂの監視情報をＴＡ記憶部３３ｄに記憶（記録）し、前記受信した第２イベント通知通信信号に収容された各情報に応じた画面をＴＡ表示部３６に表示する（Ｃ３１５）。
【０２２４】
例えば、携帯端末装置ＴＡｄにログインすると、例えば図２３に示す待受け画面５１がＴＡ表示部３６に表示され、前記受信した第２イベント通知通信信号に収容された前記イベント情報が前記所定の行動である場合には、例えば図２４に示す監視情報画面５２がＴＡ表示部３６に表示され、一方、前記受信した第２イベント通知通信信号に収容された前記イベント情報が前記ナースコールである場合には、例えば図２５に示すナースコール受付画面５３がＴＡ表示部３６に表示される。
【０２２５】
この図２３に示す例の待受け画面５１は、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末装置ＴＡａにログインしている監視者名を表示する監視者名領域５１５とを備える。
【０２２６】
この監視情報画面５２は、被監視者Ｏｂの監視に関する前記監視情報を表示するための画面である。この図２４に示す例の監視情報画面５２は、メニューバー領域５１１と、前記受信した第２イベント通知通信信号に収容されたカメラＩＤを持つセンサ装置ＳＵの配設場所および前記カメラＩＤを持つ前記センサ装置ＳＵによって監視される被監視者Ｏｂの名前を表示する被監視者名領域５２１と、前記受信した第２イベント通知通信信号の受信時刻からの経過時間、および、前記受信した第２イベント通知通信信号に収容された前記イベント情報（前記所定の行動の検知結果）を表示する検知情報表示領域５２２と、前記受信した第２イベント通知通信信号に収容された画像（すなわち、前記カメラＩＤを持つ前記センサ装置ＳＵによって撮像された対象画像）（ここでは静止画）を表示する画像領域５２３と、「対応する」ボタン５２４と、「話す」ボタン５２５と、「ＬＩＶＥを見る」ボタン５２６とを備える。
【０２２７】
被監視者名領域５２１にセンサ装置ＳＵの配設場所および被監視者Ｏｂの名前を表示するために、カメラＩＤ、センサ装置ＳＵの配設場所および被監視者Ｏｂの名前を互いに対応付けた情報（センサ情報）がＴＡ記憶部３３ｄに記憶される。検知情報表示領域５２２には、前記受信した第２イベント通知通信信号に収容されたイベント情報（検知結果、本実施形態では、起床、離床、転倒および転落の各名称）がそのまま表示されても良いが、本実施形態では、前記検知結果を象徴的に表すアイコンで表示されている。このアイコンで表示するために、ＴＡ記憶部３３ｄには、各行動およびその行動を象徴的に表すアイコンが互いに対応付けられて予め記憶される。図２４に示す例では、検知情報表示領域５２２には、起床を象徴的に表す起床アイコンが表示されている。「対応する」ボタン５２４は、監視情報画面５２では、この監視情報画面５２に表示された検知結果に対し例えば救命、看護、介護および介助等の所定の対応（対処、処置、措置）を実施する意思が当該携帯端末装置ＴＡｄの作業者ＮＳにある旨を、当該携帯端末装置ＴＡｄに入力するためのボタンである。「話す」ボタン５２５は、音声通話を要求するためのボタンであって、前記カメラＩＤの前記センサ装置ＳＵと当該携帯端末装置ＴＡｄとをネットワークＮＷを介して通話可能に接続する指示を入力するためのボタンである。「ＬＩＶＥを見る」ボタン５２６は、ライブでの動画を要求するためのボタンであって、前記カメラＩＤの前記センサ装置ＳＵによって撮像される動画を表示させる指示を入力するためのボタンである。
【０２２８】
前記ナースコール受付画面５３は、ナースコールの受付を表示するための画面である。この図２５に示す例のナースコール受付画面５３は、メニューバー領域５１１と、被監視者名領域５２１と、検知情報表示領域５２２と、ナースコールを受け付けた旨を表すメッセージ（例えば「ナースコールです」）を表示するナースコール受付通知表示領域５３１と、「対応する」ボタン５２４と、「話す」ボタン５２５とを備える。このナースコール受付画面５３では、検知情報表示領域５２２には、前記受信した第２イベント通知通信信号の受信時刻からの経過時間のみが表示される。なお、ナースコール受付画面５３は、「ＬＩＶＥを見る」ボタン５２６をさらに備えても良い。
【０２２９】
そして、このような監視情報画面５２やナースコール受付画面５３の表示中に、携帯端末装置ＴＡｄは、ＴＡ制御処理部３２ｄによって、入力操作を受け付けるまで繰り返し、ＴＡ入力部３５およびＴＡ表示部３６を備えて成るタッチパネルで入力操作を受け付けたか否かを、判定する。入力操作を受け付けると、携帯端末装置ＴＡｄは、ＴＡ制御処理部３２ｄによって、入力操作の内容に応じた適宜な処理を実行し、本処理を終了し、そして、待受け画面５１をＴＡ表示部３６に表示し、次の自機宛の通信信号を待ち受ける。
【０２３０】
例えば、「対応する」ボタン５２４の入力操作を受け付けると、ＴＡ制御処理部３２ｄは、自機の端末ＩＤ、ＴＡ表示部３６に表示している被監視者Ｏｂの監視情報に対応するカメラＩＤ、イベント情報および「対応する」を受け付けた旨を表す情報（対応有意思情報）を収容した通信信号（対応有意思通知通信信号）を管理サーバ装置ＳＶｄへ送信する。この対応有意思通知通信信号を受信した管理サーバ装置ＳＶｄは、まず、ＳＶ制御処理部２２ｄによって、ＳＶ監視情報記憶部２３４に対応有意思情報を記憶し、「対応する」を受け付けた旨を各携帯端末装置ＴＡｄ間で同期するために、前記受信した対応有意思通知通信信号に収容されたカメラＩＤ、イベント情報および対応有意思情報を収容した通信信号（対応有意思周知通信信号）を同報通信で携帯端末装置ＴＡｄへ送信する。
【０２３１】
また例えば、「話す」ボタン５２５の入力操作を受け付けると、通話処理部３２５によって、ＴＡ表示部３６に表示している被監視者Ｏｂを監視するセンサ装置ＳＵへ、音声通話を要求する旨等の情報を収容した通信信号（通話要求通信信号）を送信し、これに応じたセンサ装置ＳＵとネットワークＮＷを介して音声通話可能に接続する。これによって携帯端末装置ＴＡｄとセンサ装置ＳＵとの間で音声通話が可能となる。
【０２３２】
また例えば、「ＬＩＶＥを見る」ボタン５２６の入力操作を受け付けると、ＴＡストリーミング処理部３２６は、現在、ＴＡ表示部３６に表示している被監視者Ｏｂを監視するセンサ装置ＳＵへ、ライブでの動画の配信を要求する旨等の情報を収容した通信信号（動画配信要求通信信号）を送信し、これに応じたセンサ装置ＳＵとネットワークＮＷを介して動画のダウンロード可能に接続し、前記センサ装置ＳＵからライブでの動画の配信を受け、この配信を受けた動画をストリーミング再生でＴＡ表示部３６に表示する。
【０２３３】
なお、これら通話中やストリーミング再生中では、図略の「終了」ボタンが表示され、この「終了」ボタンの入力操作によって、通話やストリーミング再生が終了される。
【０２３４】
被監視者監視支援システムＭＳｄは、前記所定のイベントの通知に関し、このように動作し、イベントの検知ごとに、前記監視情報がＳＶ監視情報記憶部２３４に蓄積されて行き、画像記憶部２３１ｄの検知イベント付き画像情報テーブルＩＴにレコードが追加されて各情報が登録され、検知イベント付き画像情報テーブルＩＴが更新されて行く。
【０２３５】
図２２に戻って、一方、前記撮像対象の領域に対する作業者ＮＳの入退場に応じた画像の蓄積では、例えばセンサ装置ＳＵによる管理サーバ装置ＳＶｄを介した所定のイベントの通知によって、作業者ＮＳ−１は、被監視者Ｏｂ−１の居室ＲＭ−１（監視領域）に入室（入場）する際に、その携行している携帯端末装置ＴＡｄ−１を、前記居室ＲＭ−１に対応して設けられたＩＤ装置ＲＤｄ−１に近接させ、作業者ＩＤ（第１特定情報）を読み取らせる読み取り操作を行う（Ｃ３２１）。なお、第１実施形態と同様に、一例として、その当初では、例えばログイン操作の際に、作業者ＮＳ−１が携帯する携帯端末装置ＴＡｄ−１には、作業者ＩＤ；「ＩＤ−ＮＡ」が入力され、作業者ＩＤ；「ＩＤ−ＮＡ」が予め記憶されているものとする。そして、居室ＲＭ−１には、作業者ＮＳが在室せず、ＳＵ入出状況情報記憶部４６１に記憶されている、ＣＵ入出状況情報テーブルＭＴａと同様な図略のＳＵ入出状況情報テーブルＭＴｄには、作業者ＩＤが登録（記憶）されていないものとする。
【０２３６】
これに応じて図２２に示す処理Ｃ３２２、処理Ｃ３２３、処理Ｃ３２４、処理Ｃ３２５、処理Ｃ３２６および処理Ｃ３２７が、順次に、図６に示す上述の処理Ｃ１２、処理Ｃ１３、処理Ｃ１４、処理Ｃ１５、処理Ｃ１６および処理Ｃ１７と同様に実行される。このため、ここでは、これら処理Ｃ３２２、処理Ｃ３２３、処理Ｃ３２４、処理Ｃ３２５、処理Ｃ３２６および処理Ｃ３２７の各処理の説明を省略する。
【０２３７】
そして、例えば被監視者Ｏｂに生じた前記イベントに対する対処が終了すると、前記居室ＲＭ−１に在室している作業者ＮＳ−１は、退出する際に、その携行している携帯端末装置ＴＡｄ−１を、前記居室ＲＭ−１に対応して設けられたＩＤ装置ＲＤｄ−１に近接させ、作業者ＩＤ；「ＩＤ−ＮＡ」を読み取らせる読み取り操作を行う（Ｃ３３１）。
【０２３８】
これに応じて図２２に示す処理Ｃ３３２、処理Ｃ３３３、処理Ｃ３３４、処理Ｃ３３５および処理Ｃ３３６が、順次に、図６に示す上述の処理Ｃ２２、処理Ｃ２３、処理Ｃ２４、処理Ｃ２５および処理Ｃ２６と同様に実行される。このため、ここでは、これら処理Ｃ３３２、処理Ｃ３３３、処理Ｃ３３４、処理Ｃ３３５および処理Ｃ３３６の各処理の説明を省略する。
【０２３９】
センサ装置ＳＵから前記画像の通知を受けると（センサ装置ＳＵから画像通知通信信号を受信すると）、管理サーバ装置ＳＶｄは、ＳＶ制御処理部２２ｄの画像記憶処理部２２２ｄによって、前記センサ装置ＳＵからの画像を、前記第１特定情報としての作業者ＩＤおよび直近にセンサ装置ＳＵで検知したイベントに紐付けて画像記憶部２３１ａに記憶する（Ｃ２７）。
【０２４０】
より具体的には、画像記憶処理部２２２ｄは、前記受信した画像通知通信信号に収容された画像を、画像ファイル名を付して画像記憶部２３１ｄに記憶する。次に、画像記憶処理部２２２ｄは、ＳＶ記憶部２３ｄに一時的に仮に記憶されている各紐付け情報の各カメラＩＤの中から、前記受信した画像通知通信信号に収容されたカメラＩＤと一致するカメラＩＤを選定（検索）し、この選定したカメラＩＤを持つ紐付け情報における作業者ＩＤおよび前記撮像開始時刻と、前記受信した画像通知通信信号に収容された前記画像（前記画像ファイル名）および前記撮像終了時刻と、を紐付ける。次に、画像記憶処理部２２２ｄは、この紐付けた１組の前記作業者ＩＤ、前記撮像開始時刻、前記画像ファイル名および前記撮像終了時刻に対し、シリアル番号を画像ＩＤとして割り振る。次に、画像記憶処理部２２２ｄは、前記受信した画像通知通信信号に収容されたカメラＩＤを部屋名に変換し（カメラＩＤが部屋名である場合、この変換処理は省略できる）、画像記憶部２３１ｄに記憶された検知イベント付き画像情報テーブルＩＴから、前記必要に応じて変換した部屋名（すなわち、前記受信した画像通知通信信号に収容されたカメラＩＤ）と同一の部屋名（カメラＩＤ）を、部屋名フィールド２３１７に登録し、かつ、前記受信した画像通知通信信号に収容された撮像終了時刻に最も時間的に近い時刻を、イベント検知時刻フィールド２３１５に登録するレコードを選定（検索）し、この選定したレコードにおけるイベント種別フィールド２３１６に登録されているイベント情報を抽出し、この抽出したイベント情報を、前記紐付けた１組の前記作業者ＩＤ、前記撮像開始時刻、前記画像ファイル名および前記撮像終了時刻にさらに紐付ける。そして、画像記憶処理部２２２ｄは、画像記憶部２３１ｄに記憶されている検知イベント付き画像情報テーブルＩＴに新たなレコードを生成し、この生成したレコードにおける画像ＩＤフィールド２３１１、イベント種別フィールド２３１６、開始時刻サブフィールド２３１２１、終了時刻サブフィールド２３１２２、画像ファイル名フィールド２３１３および作業者ＩＤフィールド２３１４それぞれに、前記画像ＩＤ、前記抽出したイベント情報、前記撮像開始時刻（前記紐付け情報通知通信信号に収容された時刻）、前記撮像終了時刻（前記画像通知通信信号に収容された時刻）、画像ファイル名および作業者ＩＤそれぞれを登録する。そして、画像記憶処理部２２２ｄは、ＳＶ記憶部２３ｄに一時的に仮に記憶されている前記紐付け情報および前記撮像開始時刻を消去（削除）する。なお、この新たなレコードにおける部屋名フィールド２３１７に部屋名が登録されても良い。
【０２４１】
なお、上述では、直近のイベント情報のみを紐付けたが、前記受信した画像通知通信信号より所定時間以内前（例えば５分以内前や１０分以内前）に受信した全ての第１イベント通知通信信号に収容されたイベント情報が紐付けられても良い。
【０２４２】
このような動作によって、被監視者監視支援システムＭＳｄは、各居室ＲＭ−１〜ＲＭ−３に配置された各センサ装置ＳＵ−１〜ＳＵ−３から各画像を収集し、各画像に作業者ＩＤおよびイベントを紐付けて記憶（記録）する。
【０２４３】
そして、所望（目的）の作業者ＮＳに対する画像を抽出する場合には、例えば前記作業者ＮＳの上司等のオペレータは、ＳＶ入力部２４から検索キーとして前記所望の作業者ＮＳに対応する作業者ＩＤを入力し、検索開始の指示を入力する。
【０２４４】
管理サーバ装置ＳＶｄは、検索キーの作業者ＩＤと検索開始の指示を受け付けると、ＳＶ制御処理部２２ｄによって、画像記憶部２３１ｄに記憶されている各画像の中から、前記検索キーの作業者ＩＤを持つ画像を検索し、ＳＶ出力部２５に出力する。より具体的には、検索キーの作業者ＩＤ；「ＩＤ−ＮＡ」を受け付けると、ＳＶ制御処理部２２ｄは、画像記憶部２３１ｄに記憶されている検知イベント付き画像情報テーブルＩＴの作業者ＩＤフィールド２３１４に、前記受け付けた作業者ＩＤ；「ＩＤ−ＮＡ」を登録するレコードを抽出し、この抽出したレコードにおける各フィールド２３１１、２３１５、２３１６、２３１２（２３１２１、２３１２２）、２３１３、２３１７、２３１４に登録されている画像ＩＤ、イベント検知時刻、イベント情報、記録時刻（撮像開始時刻、撮像終了時刻）、画像ファイル名、部屋名および作業者ＩＤを取り出し、この取り出した画像ＩＤ、イベント検知時刻、イベント情報、記録時刻（撮像開始時刻、撮像終了時刻）、画像ファイル名、部屋名および作業者ＩＤを、例えば、図２６に示すように、一覧表形式でＳＶ出力部２５に表示する。この図２６に示す一例の抽出結果表示画面６２ａは、前記取り出した画像ＩＤを表示する画像ＩＤ表示欄６２１と、前記取り出したイベント検知時刻を表示するイベント検知時刻表示欄６２２と、前記取り出したイベント情報を表示するイベント種別表示欄６２３と、前記取り出した記録時刻を表示する記録時刻表示欄６２４と、前記取り出した画像ファイル名を表示する画像ファイル名表示欄６２５と、前記取り出した部屋名を表示する部屋名表示欄６２６と、前記取り出した作業者ＩＤを表示する作業者ＩＤ表示欄６２７とを備え、前記抽出したレコードの個数に応じた個数の表示行を持つ。記録時刻表示欄６２４は、前記取り出した撮像開始時刻および撮像終了時刻それぞれを表示する開始時刻表示欄６２４１および終了時刻表示欄６２４２を備える。そして、画像ファイル名表示欄６２５に表示された画像ファイル名をＳＶ入力部２４から入力操作すると（例えばマウスによってカーソルを画像ファイル名に合わせ、左クリックすると）、ＳＶ制御処理部２２ｄは、この入力操作された画像ファイル名を持つ画像を画像記憶部２３１ｄから取り出し、この取り出した画像をＳＶ出力部２５に再生表示する。これによって前記オペレータは、所望の作業者ＮＳに対する画像を参照できる。
【０２４５】
そして、第４実施形態では、画像は、イベント情報にも紐付けられているので、イベントの種別に検索することもできる。この場合では、前記オペレータは、ＳＶ入力部２４から検索キーとして前記所望のイベント情報（本実施形態では起床、離床、転倒、転落およびナースコールのうちの１または複数）を入力し、検索開始の指示を入力する。
【０２４６】
管理サーバ装置ＳＶｄは、検索キーのイベント情報と検索開始の指示を受け付けると、ＳＶ制御処理部２２ｄによって、画像記憶部２３１ｄに記憶されている各画像の中から、前記検索キーのイベント情報を持つ画像を検索し、ＳＶ出力部２５に出力する。より具体的には、検索キーのイベント情報；「転倒」を受け付けると、ＳＶ制御処理部２２ｄは、画像記憶部２３１ｄに記憶されている検知イベント付き画像情報テーブルＩＴのイベント種別フィールド２３１６に、前記受け付けたイベント情報；「転倒」を登録するレコードを抽出し、この抽出したレコードにおける各フィールド２３１１、２３１５、２３１６、２３１２（２３１２１、２３１２２）、２３１３、２３１７、２３１４に登録されている画像ＩＤ、イベント検知時刻、イベント情報、記録時刻（撮像開始時刻、撮像終了時刻）、画像ファイル名、部屋名および作業者ＩＤを取り出し、この取り出した画像ＩＤ、イベント検知時刻、イベント情報、記録時刻（撮像開始時刻、撮像終了時刻）、画像ファイル名、部屋名および作業者ＩＤを、例えば、図２７に示すように、一覧表形式でＳＶ出力部２５に表示する。この図２７には、図２６と同様の各表示欄６２１〜６２７を持つ他の一例の抽出結果表示画面６２ｂが示されている。そして、画像ファイル名表示欄６２５に表示された画像ファイル名をＳＶ入力部２４から入力操作すると、ＳＶ制御処理部２２ｄは、この入力操作された画像ファイル名を持つ画像を画像記憶部２３１ｄから取り出し、この取り出した画像をＳＶ出力部２５に再生表示する。これによって前記オペレータは、所望のイベントの種別に対する、作業者ＩＤ表示欄６２７に表示されている作業者ＩＤを持つ作業者ＮＳの画像を参照できる。
【０２４７】
以上説明したように、第４実施形態における、画像記録システムを組み込んだ被監視者監視支援システムＭＳｄは、第１実施形態と同様の作用効果を奏する（第２実施形態をベースとする場合には、第２実施形態と同様の作用効果を奏する、第３実施形態をベースとする場合には、第３実施形態と同様の作用効果を奏する）。
【０２４８】
上記被監視者監視支援システムＭＳｄは、さらに、前記画像を、前記第１特定情報（本実施形態では作業者ＩＤ）およびセンサ装置ＳＵから直近に受信した検知結果に紐付けて画像記憶部２３１ｄに記憶する。このため、上記被監視者監視支援システムＭＳｄは、所望（目的）の作業者に対する画像をより簡単に抽出できるだけでなく、検知結果の種別ごとにも画像をより簡単に抽出できる。このため、作業者の上司は、前記検知結果の種別ごとに、作業者ＮＳに対する画像を参照することで、前記作業者ＮＳにおける仕事に対する手際や適切さや丁寧さ等を前記検知結果の種別ごとに把握でき、前記検知結果の種別ごとに前記作業者ＮＳの実態を把握した上で、前記作業者ＮＳを指導できる。前記上司は、前記検知結果の種別で画像を抽出できるので、複数の作業者ＮＳ間で、仕事に対する手際や適切さや丁寧さ等を比較することもできる。前記上司は、前記検知結果の種別で画像を抽出できるので、作業者ＮＳが種別に応じた手順で対処しているか否かも確認できる。
【０２４９】
本明細書は、上記のように様々な態様の技術を開示しているが、そのうち主な技術を以下に纏める。
【０２５０】
一態様にかかる画像記録システムは、所定の撮像対象に対応して設けられ、前記撮像対象を撮像して画像を生成する撮像部と、前記撮像部で生成された画像を記憶する画像記憶部と、前記撮像部で生成された画像を前記画像記憶部に記憶させる画像記憶処理部と、所定の作業者が撮像対象の領域に入場する場合に、前記作業者を特定する第１特定情報および前記撮像対象に対応する撮像部を特定する第２特定情報のうちの一方の特定情報を読み取る読取部と、前記第１および第２特定情報のうちの他方の特定情報を予め持ち、前記読取部によって前記一方の特定情報を読み取った場合に、前記他方の特定情報と前記読取部で読み取った前記一方の特定情報とを互いに紐付けた紐付け情報を生成し、前記生成した紐付け情報を前記画像記憶処理部へ出力する生成部とを備え、前記撮像部は、予め自機の第２特定情報を持ち、前記生成した画像を前記自機の第２特定情報と共に前記画像記憶処理部へ出力し、前記画像記憶処理部は、前記撮像部からの前記第２特定情報および前記生成部からの前記紐付け情報に基づいて、前記撮像部からの画像を前記第１特定情報に紐付けて前記画像記憶部に記憶する。好ましくは、上述の画像記録システムにおいて、前記読取部は、前記第１特定情報を記憶するＩＣカード（ＲＦタグ）または磁気カードから前記第１特定情報を読み取り、前記読み取った前記第１特定情報を有線通信または無線通信で前記生成部へ通知するカードリーダである。好ましくは、上述の画像記録システムにおいて、前記読取部は、前記第１特定情報を表す１次元コード（バーコード）または２次元コードから前記第１特定情報を読み取り、前記読み取った前記第１特定情報を有線通信または無線通信で前記生成部へ通知するコードリーダである。好ましくは、上述の画像記録システムにおいて、前記読取部は、前記第１特定情報を記憶する携帯電話装置、スマートフォンまたはタブレット端末装置から無線通信で前記第１特定情報を読み取り、前記読み取った前記第１特定情報を有線通信または無線通信で前記生成部へ通知するリーダである。好ましくは、上述の画像記録システムにおいて、前記読取部は、前記第１特定情報を記憶する携帯電話装置、スマートフォンまたはタブレット端末装置から無線通信で前記第１特定情報を読み取り、前記読み取った前記第１特定情報を有線通信または無線通信で前記生成部へ通知するタブレット端末装置である。好ましくは、上述の画像記録システムにおいて、前記読取部は、前記第２特定情報を表す１次元コード（バーコード）または２次元コードから前記第２特定情報を読み取るコードリーダの機能を備える携帯電話装置、スマートフォンまたはタブレット端末装置であり、前記携帯電話装置、スマートフォンまたはタブレット端末装置は、前記生成部をさらに備え、前記生成部は、前記機能で読み取った前記第２特定情報と予め持っている前記第１特定情報とを互いに紐付けた紐付け情報を生成し、前記生成した紐付け情報を無線通信で前記画像記憶処理部へ出力する。好ましくは、上述の画像記録システムにおいて、前記読取部は、前記第２特定情報を記憶するＩＣカード（ＲＦタグ）または磁気カードから前記第２特定情報を読み取るカードリーダの機能を備える携帯電話装置、スマートフォンまたはタブレット端末装置であり、前記携帯電話装置、スマートフォンまたはタブレット端末装置は、前記生成部をさらに備え、前記生成部は、前記機能で読み取った前記第２特定情報と予め持っている前記第１特定情報とを互いに紐付けた紐付け情報を生成し、前記生成した紐付け情報を無線通信で前記画像記憶処理部へ出力する。好ましくは、上述の画像記録システムにおいて、前記読取部は、前記第２特定情報を記憶するタブレット端末装置から無線通信で前記第２特定情報を読み取る携帯電話装置、スマートフォンまたはタブレット端末装置であり、前記携帯電話装置、スマートフォンまたはタブレット端末装置は、前記生成部をさらに備え、前記生成部は、前記読み取った前記第２特定情報と予め持っている前記第１特定情報とを互いに紐付けた紐付け情報を生成し、前記生成した紐付け情報を無線通信で前記画像記憶処理部へ出力する。好ましくは、上述の画像記録システムにおいて、前記生成部は、前記読取部で読み取った前記一方の特定情報を管理する管理部と、前記管理部で管理されている前記一方の特定情報が有る場合に、前記紐付け情報を生成し、前記生成した紐付け情報を前記画像記憶処理部へ出力する通知部とを備える。
【０２５１】
このような画像記録システムは、所定の作業者が撮像対象の領域に入場すると、前記第１および第２特定情報のうちの一方の特定情報を読み取って他方の特定情報に紐付けることによって前記第１および第２特定情報を互いに紐付けた紐付け情報を生成し、一方、前記撮像部から画像とその第２特定情報とを得る。そして、上記画像記録システムは、前記撮像部からの前記第２特定情報および前記生成部からの前記紐付け情報に基づいて、前記撮像部からの画像を前記第１特定情報に紐付けて前記画像記憶部に記憶する。すなわち、上記画像記録システムは、前記生成部からの前記紐付け情報から、前記撮像部からの前記第２特定情報に対応する前記第１特定情報を得て、この得られた前記第１特定情報に前記撮像部からの画像を紐付けて前記画像記憶部に記憶する。したがって、上記画像記録システムは、前記画像に紐付けられた前記第１特定情報を参照することで、所望（目的）の作業者に対する画像をより簡単に抽出できる。このため、作業者の上司は、前記作業者に対する画像を参照することで、前記作業者における仕事に対する手際や適切さや丁寧さ等を把握でき、前記作業者の実態を把握した上で、前記作業者を指導できる。
【０２５２】
他の一態様では、上述の画像記録システムにおいて、前記読取部は、さらに、前記作業者が前記撮像対象の領域から退場する場合に、前記第１および第２特定情報のうちの一方の特定情報を読み取り、前記読取部で読み取った前記一方の特定情報を管理し、既に管理している前記一方の特定情報が前記読取部でさらに読み取った場合に、前記既に管理している前記一方の特定情報の管理を解除する管理部と、前記管理部で管理されている前記一方の特定情報が有る場合に、撮像開始の指示を前記撮像部へ出力し、前記管理部で管理されている前記一方の特定情報が無くなった場合に、撮像終了の指示を前記撮像部へ出力する撮像制御部とをさらに備え、前記撮像部は、前記撮像制御部から前記撮像開始の指示を受けると、撮像を開始し、前記撮像制御部から前記撮像終了の指示を受けると、撮像を終了する。
【０２５３】
このような画像記録システムは、管理下の前記一方の特定情報が有る場合に、撮像開始の指示を前記撮像部へ出力し、管理下の前記一方の特定情報が無くなった場合に、撮像終了の指示を前記撮像部へ出力する。すなわち、上記画像記録システムは、前記撮像対象の領域に対し、作業者が入場すると前記撮像開始を指示し、少なくとも１人の作業者が所在している間、撮像を継続し、そして、作業者が退場すると、前記撮像終了を指示する。このため、上記画像記録システムは、少なくとも１人の作業者が前記撮像対象の領域内に所在する間の画像を画像記憶部に記憶でき、作業者の所在に無関係に連続的に撮像する場合（例えば２４時間撮像）に較べて、画像のデータ容量を低減できる。前記作業者の上司も、速やかに前記作業者の仕事の様子を観察できる。
【０２５４】
他の一態様では、これら上述の画像記録システムにおいて、前記撮像対象に対応して設けられ、前記撮像対象の領域に対する入場の有無を検知する入場検知部をさらに備え、前記生成部は、さらに、前記作業者が入る撮像対象の領域における当該撮像対象に対応する前記入場検知部で入場有りを検知した場合に、前記紐付き情報を前記画像記憶処理部へ出力する。好ましくは、上述の画像記録システムにおいて、前記入場検知部は、前記撮像対象の領域の境界に配置され、前記撮像対象の領域を検知領域とする赤外線型人感センサと、前記赤外線型人感センサの検知結果に応じて前記撮像対象の領域内への入場の有無を判定する入場判定部とを備える。
【０２５５】
撮像対象の領域に来たものの、状況の変化によって他の場所に向かう必要が生じた等のために、作業者は、前記読取部に前記一方の特定情報を読み取らせたものの、当該撮像対象の領域に入場しない場合も有り得る。上記画像記録システムは、入場検知部をさらに備え、前記入場検知部で入場有りを検知した場合に、前記紐付き情報を前記画像記憶処理部へ出力する。すなわち、前記生成部は、前記読取部で前記一方の特定情報を読み取った場合であって、かつ、前記作業者が入る撮像対象の領域における当該撮像対象に対応する前記入場検知部で入場有りを検知した場合に、前記紐付き情報を前記画像記憶処理部へ出力する。このため、作業者が読取部に前記一方の特定情報を読み取らせたものの、当該撮像対象の領域に対し入場しなかった場合、前記紐付き情報が前記画像記憶処理部へ出力されない。したがって、上記画像記録システムは、前記撮像部からの画像に、前記第１特定情報を、より適切に紐付けられる。
【０２５６】
他の一態様では、上述の画像記録システムにおいて、前記撮像対象に対応して設けられ、前記撮像対象の領域に対する入退場の有無を検知する入退場検知部をさらに備え、前記撮像制御部は、さらに、前記作業者が入る撮像対象の領域における当該撮像対象に対応する前記入退場検知部で入場有りを検知した場合に、前記撮像開始の指示を前記撮像部へ出力し、さらに、前記作業者が入る撮像対象の領域における当該撮像対象に対応する前記入退場検知部で退場有りを検知した場合に、前記撮像終了の指示を前記撮像部へ出力する。好ましくは、上述の画像記録システムにおいて、前記入退場検知部は、前記撮像対象の領域の境界に、所定の高さ位置に入退場方向に沿って並置するように配設された複数の発光部と、前記複数の発光部から前記入退場方向と直交する直交方向で所定の幅（例えば人幅以上の長さ等）で離間するように、かつ、前記複数の発光部それぞれから発光された各光をそれぞれ受光するように配設された複数の受光部と、前記複数の受光部それぞれの各受光結果に応じて前記撮像対象の領域に対する入退場の有無を判定する入退場判定部とを備える。
【０２５７】
上述のように、作業者は、前記読取部に前記一方の特定情報を読み取らせたものの、当該撮像対象の領域に入場しない場合も有り得る。一方、所定の作業が終了したと考えて、前記作業者は、前記読取部に前記一方の特定情報を読み取らせたものの、前記作業のやり残しに気づき、当該撮像対象の領域から退場しない場合も有り得る。上記画像記録システムは、入退場検知部をさらに備え、前記入退場検知部で入場有りを検知した場合に、前記撮像開始の指示を前記撮像部へ出力し、前記入退場検知部で退場有りを検知した場合に、前記撮像終了の指示を前記撮像部へ出力する。すなわち、前記撮像制御部は、前記読取部で前記一方の特定情報を読み取った場合であって、かつ、前記作業者が入る撮像対象の領域における当該撮像対象に対応する前記入退場検知部で入場有りを検知した場合に、前記撮像開始の指示を前記撮像部へ出力し、再度、前記読取部で前記一方の特定情報を読み取った場合であって、かつ、前記作業者が入る撮像対象の領域における当該撮像対象に対応する前記入退場検知部で退場有りを検知した場合に、前記撮像終了の指示を前記撮像部へ出力する。このため、作業者が読取部に前記一方の特定情報を読み取らせたものの、当該撮像対象の領域に対し入退場しなかった場合、前記撮像開始の指示や前記撮像終了の指示が行われない。したがって、上記画像記録システムは、より適切に、作業者の入退場に応じて画像を記憶（記録）できる。
【０２５８】
他の一態様にかかる画像記録方法は、所定の撮像対象に対応して設けられる撮像部で、前記撮像対象を撮像して画像を生成する撮像工程と、前記撮像工程で生成された画像を画像記憶部に記憶させる画像記憶処理工程と、所定の作業者が撮像対象の領域に対し入場する場合に、前記作業者を特定する第１特定情報および前記撮像対象に対応する撮像部を特定する第２特定情報のうちの一方の特定情報を読み取る読取工程と、前記第１および第２特定情報のうちの他方の特定情報を予め持つ生成部で、前記他方の特定情報と前記読取工程で読み取った前記一方の特定情報とを互いに紐付けた紐付け情報を生成する生成工程とを備え、前記撮像部は、予め自機の第２特定情報を持ち、前記画像記憶処理工程は、前記撮像部によって前記撮像工程で生成された画像を、前記撮像部の前記第２特定情報および前記生成部によって前記生成工程で生成された前記紐付け情報に基づく前記第１特定情報に紐付けて前記画像記憶部に記憶する。
【０２５９】
このような画像記録方法は、所定の作業者が撮像対象の領域に入場すると、前記第１および第２特定情報のうちの一方の特定情報を読み取って他方の特定情報に紐付けることによって前記第１および第２特定情報を互いに紐付けた紐付け情報を生成し、一方、前記撮像部から画像とその第２特定情報とを得る。そして、上記画像記録方法は、前記撮像部からの前記第２特定情報および前記生成部からの前記紐付け情報に基づいて、前記撮像部からの画像を前記第１特定情報に紐付けて前記画像記憶部に記憶する。すなわち、上記画像記録方法は、前記生成部からの前記紐付け情報から、前記撮像部からの前記第２特定情報に対応する前記第１特定情報を得て、この得られた前記第１特定情報に前記撮像部からの画像を紐付けて前記画像記憶部に記憶する。したがって、上記画像記録方法は、前記画像に紐付けられた前記第１特定情報を参照することで、所望（目的）の作業者に対する画像をより簡単に抽出できる。このため、作業者の上司は、前記作業者に対する画像を参照することで、前記作業者における仕事に対する手際や適切さや丁寧さ等を把握でき、前記作業者の実態を把握した上で、前記作業者を指導できる。
【０２６０】
他の一態様にかかる被監視者監視支援システムは、監視領域に対応して設けられ、前記監視領域に所在する被監視者に関わる所定のイベントを検知するセンサ装置、前記センサ装置と通信可能に接続され前記センサ装置から受信した検知結果を管理する中央管理装置、および、前記中央管理装置と通信可能に接続され前記中央管理装置を介して前記検知結果を受信して表示する端末装置を備え、前記被監視者の監視を支援する被監視者監視支援システムであって、さらに、前記監視領域を前記撮像対象の領域とした、これら上述のいずれかの画像記録システムを備え、前記中央管理装置は、前記画像記憶部と、前記画像記憶処理部とを備え、前記画像記憶処理部は、前記撮像部からの画像を前記第１特定情報に紐付けて前記画像記憶部に記憶する際に、前記センサ装置から直近に受信した検知結果をさらに前記撮像部からの画像に紐付ける。好ましくは、上述の被監視者監視支援システムにおいて、前記センサ装置は、前記撮像部と、前記生成部とを備え、前記端末装置は、前記読取部で読み取り可能に前記第１特定情報を記憶する。好ましくは、上述の被監視者監視支援システムにおいて、前記センサ装置は、前記撮像部を備え、前記端末装置は、前記読取部と、前記生成部とを備える。好ましくは、上述の被監視者監視支援システムにおいて、前記所定のイベントは、前記被監視者における所定の行動を含む。好ましくは、前記所定の行動は、起床、離床、転倒および転落のうちの少なくとも１つを含む。好ましくは、上述の被監視者監視支援システムにおいて、前記所定のイベントは、ナースコールを含む。
【０２６１】
このような被監視者監視支援システムは、さらに、これら上述のいずれかの画像記録システムを備え、前記撮像部からの画像を、前記第１特定情報および前記センサ装置から直近に受信した検知結果に紐付けて前記画像記憶部に記憶する。このため、上記被監視者監視支援システムは、所望（目的）の作業者に対する画像をより簡単に抽出できるだけでなく、検知結果の種別ごとにも画像をより簡単に抽出できる。このため、作業者の上司は、前記検知結果の種別ごとに、前記作業者に対する画像を参照することで、前記作業者における仕事に対する手際や適切さや丁寧さ等を前記検知結果の種別ごとに把握でき、前記検知結果の種別ごとに前記作業者の実態を把握した上で、前記作業者を指導できる。前記上司は、前記検知結果の種別で画像を抽出できるので、複数の作業者間で、仕事に対する手際や適切さや丁寧さ等を比較することもできる。前記上司は、前記検知結果の種別で画像を抽出できるので、作業者が種別に応じた手順で対処しているか否かも確認できる。
【０２６２】
この出願は、２０１８年１月１９日に出願された日本国特許出願特願２０１８−６９４８を基礎とするものであり、その内容は、本願に含まれるものである。
【０２６３】
本発明の実施形態が詳細に図示され、かつ、説明されたが、それは単なる図例及び実例であって限定ではない。本発明の範囲は、添付されたクレームの文言によって解釈されるべきである。
【０２６４】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０２６５】
本発明によれば、画像を記録する画像記録システムおよび画像記録方法、ならびに、前記画像記録システムを備え、監視対象である被監視者の監視を支援する被監視者監視支援システムが提供できる。
【図１】
2019142449.tif 000003
【図２】
2019142449.tif 000004
【図３】
2019142449.tif 000005
【図４】
2019142449.tif 000006
【図５】
2019142449.tif 000007
【図６】
2019142449.tif 000008
【図７】
2019142449.tif 000009
【図８】
2019142449.tif 000010
【図９】
2019142449.tif 000011
【図１０】
2019142449.tif 000012
【図１１】
2019142449.tif 000013
【図１２】
2019142449.tif 000014
【図１３】
2019142449.tif 000015
【図１４】
2019142449.tif 000016
【図１５】
2019142449.tif 000017
【図１６】
2019142449.tif 000018
【図１７】
2019142449.tif 000019
【図１８】
2019142449.tif 000020
【図１９】
2019142449.tif 000021
【図２０】
2019142449.tif 000022
【図２１】
2019142449.tif 000023
【図２２】
2019142449.tif 000024
【図２３】
2019142449.tif 000025
【図２４】
2019142449.tif 000026
【図２５】
2019142449.tif 000027
【図２６】
2019142449.tif 000028
【図２７】
2019142449.tif 000029
【国際調査報告】
2019142449.tif 000030
2019142449.tif 000031
2019142449.tif 000032